(57)【要約】  表示装置に入力された画像信号に含まれる複数の同一パターン画像によって区画される複数の表示領域を含む表示面に現れるクロストークを検出する方法であって、異なる輝度で表現される複数の主領域をそれぞれ含む複数の第１パターン画像を有する第１画像と、前記複数の主領域と前記複数の主領域内においてそれぞれ異なる輝度で表現される複数の副領域とをそれぞれ含む第２パターン画像を複数有する第２画像とを前記表示面に表示する段階と、前記表示面を撮像し、撮像データを得る段階と、前記第１画像及び前記第２画像のうち少なくとも一方と前記撮像データとを対比し、クロストークを検出する段階と、を備え、前記第１パターン画像及び前記第２パターン画像は、前記表示面の中央に位置する中央領域及び該中央領域に隣接する隣接領域それぞれに表示されることを特徴とするクロストークの検出方法。
2012056708.tif 000002
【特許請求の範囲】
【請求項１】
表示装置に入力された画像信号に含まれる複数の同一パターン画像によって区画される複数の表示領域を含む表示面に現れるクロストークを検出する方法であって、
異なる輝度で表現される複数の主領域をそれぞれ含む複数の第１パターン画像を有する第１画像と、前記複数の主領域と前記複数の主領域内においてそれぞれ異なる輝度で表現される複数の副領域とをそれぞれ含む第２パターン画像を複数有する第２画像とを前記表示面に表示する段階と、
前記表示面を撮像し、撮像データを得る段階と、
前記第１画像及び前記第２画像のうち少なくとも一方と前記撮像データとを対比し、クロストークを検出する段階と、を備え、
前記第１パターン画像及び前記第２パターン画像は、前記表示面の中央に位置する中央領域及び該中央領域に隣接する隣接領域それぞれに表示されることを特徴とするクロストークの検出方法。
【請求項２】
前記表示面は、前記中央領域と、該中央領域を取り囲むように配置された複数の隣接領域に区画され、
前記第１パターン画像は、前記中央領域及び前記複数の隣接領域それぞれに表示され、
前記第２パターン画像は、前記中央領域及び前記複数の隣接領域それぞれに表示されることを特徴とする請求項１に記載のクロストークの検出方法。
【請求項３】
前記表示面は、９つの表示領域に区画されることを特徴とする請求項２に記載のクロストークの検出方法。
【請求項４】
前記複数の主領域は、第１輝度で表される第１主領域と、該第１輝度よりも高い第２輝度で表される第２主領域と、前記第２輝度よりも高い第３輝度で表される第３主領域と、を含むことを特徴とする請求項１乃至３のいずれか１項に記載のクロストークの検出方法。
【請求項５】
前記複数の主領域は、第１輝度で表される第１主領域を含み、
前記複数の副領域は、前記第１主領域内において互いに異なる輝度で表現される複数の領域からなる第１領域グループを含むことを特徴とする請求項１乃至４のいずれか１項に記載のクロストークの検出方法。
【請求項６】
前記副領域は、矩形又は円形であることを特徴とする請求項１乃至５のいずれか１項に記載のクロストークの検出方法。
【請求項７】
前記複数の主領域は、第１輝度で表される第１主領域を含み、
該第１主領域は、水平方向に延びる水平帯状領域又は垂直方向に延びる垂直帯状領域であり、
前記第１主領域内の前記副領域は、前記水平帯状領域内で前記水平方向に輝度が増大又は減少するグラデーションパターン又は前記垂直帯状領域内で前記垂直方向に輝度が増大又は減少するグラデーションパターンを形成することを特徴とする請求項１乃至４のいずれか１項に記載のクロストークの検出方法。
【請求項８】
前記第１主領域は、第１方向に延びる帯状領域であり、
前記複数の副領域は、前記第１方向に対して直交する第２方向に整列する複数の領域をそれぞれ有する複数の第２領域グループを含み、
該複数の第２領域グループは、前記第１方向に等間隔に整列することを特徴とする請求項５に記載のクロストークの検出方法。
【請求項９】
前記第１パターン画像の平均輝度は、前記第２パターン画像の平均輝度に等しいことを特徴とする請求項１乃至８のいずれか１項に記載のクロストークの検出方法。
【請求項１０】
前記第１画像と前記第２画像とを前記表示面に表示する段階において、前記表示面の平均輝度は、１５％以上２５％以下の範囲に保たれることを特徴とする請求項１乃至９のいずれか１項に記載のクロストークの検出方法。
【請求項１１】
表示装置の表示面上に現れるクロストークの検出に用いられる画像を表示するための画像信号を生成する信号生成装置であって、
互いに異なる輝度で表現される複数の主領域をそれぞれ含む複数の第１パターン画像を有する第１画像を前記表示面に表示するための第１信号と、前記複数の主領域と前記複数の主領域内において前記主領域とは異なる輝度で表示される複数の副領域とをそれぞれ含む複数の第２パターン画像を有する第２画像を前記表示面に表示するための第２信号と、を生成する信号生成部と、
前記第１信号と前記第２信号とを出力する出力部と、を備え、
前記信号生成部は、前記複数の第１パターン画像それぞれが表示される領域として区画された複数の表示領域に、前記複数の第２パターン画像がそれぞれ表示されるように前記第２信号を生成することを特徴とする信号生成装置。
【請求項１２】
表示装置に入力された画像信号に含まれる複数の同一パターン画像によって区画される複数の表示領域を含む表示装置の表示面上に現れるクロストークを検出するための画像ファイルを記憶したコンピュータ可読媒体であって、
互いに異なる輝度で表現される複数の主領域をそれぞれ含む複数の第１パターン画像を有し、前記複数の表示領域に前記複数の第１パターン画像をそれぞれ表示するための第１画像のデータと、前記複数の主領域と前記複数の主領域内において前記主領域とは異なる輝度で表示される複数の副領域とをそれぞれ含む複数の第２パターン画像を有し、前記複数の表示領域に前記複数の第２パターン画像をそれぞれ表示するための第２画像のデータと、を記憶することを特徴とするコンピュータ可読媒体。
【請求項１３】
異なる輝度で表現される複数の主領域をそれぞれ含む複数の第１パターン画像を有する第１画像が表示され、前記複数の第１パターン画像それぞれが表示される領域として区画される複数の表示領域を含む表示面と、
前記第１画像を表示するための第１信号と、前記複数の主領域と前記複数の主領域それぞれにおいて前記主領域とは異なる輝度で表現される複数の副領域とを含む第２パターン画像を複数有する第２画像を前記表示面に表示するための第２信号と、が入力される入力部と、
前記表示面の輝度特性を調整するための調整部と、を備え、
前記第２信号が前記入力部に入力されると、前記表示面は、前記複数の表示領域に前記複数の第２パターン画像をそれぞれ表示することを特徴とする表示装置。
【請求項１４】
画像信号に含まれる複数の同一パターン画像によって区画される複数の表示領域を含む表示面を有する表示装置の製造方法であって、
異なる輝度で表現される複数の主領域をそれぞれ含む複数の第１パターン画像を有する第１画像と、前記複数の主領域と前記複数の主領域内においてそれぞれ異なる輝度で表現される複数の副領域とをそれぞれ含む複数の第２パターン画像を有する第２画像とを、前記複数の表示領域それぞれに表示する段階と、
前記表示面を撮像し、撮像データを得る段階と、
前記第１画像及び前記第２画像のうち少なくとも一方と前記撮像データとを対比し、クロストーク特性を検査する段階と、を含むことを特徴とする表示装置の製造方法。
【発明の詳細な説明】
【技術分野】
【０００１】
本発明は、クロストークを検出するための技術に関する。
【背景技術】
【０００２】
画像を表示するための表示装置の技術分野において、「クロストーク」は、しばしば問題となる。「クロストーク」との用語は、多くの場合、複数の画像間の干渉に起因する画質の劣化を意味する。【０００３】
特許文献１は、水平方向に並んだ２つの画像領域間に生ずるクロストークの測定方法を開示する。特許文献１の開示技術は、１つのフレーム画像内において生ずるクロストークの定量化に貢献する。【０００４】
「クロストーク」との用語は、位置において異なる表示領域間で生ずる画質の劣化だけでなく、１つの表示領域において生ずる画質の劣化をも意味する。特定の表示領域において生ずる「クロストーク」は、特に、立体映像の表示に対する障害となる。【０００５】
立体映像を表示するために、典型的には、表示装置は、左眼で視聴される左フレーム画像と、右眼で視聴される右フレーム画像と、を交互に表示する。例えば、左フレーム画像内に表現されるオブジェクトの表示位置が、右フレーム画像内に表現されるオブジェクトの表示位置と視差の分だけ異なるように、左フレーム画像及び右フレーム画像は作成される。【０００６】
視聴者は、典型的には、眼鏡装置を着用し、立体映像を視聴する。例えば、眼鏡装置は、左眼前に配設された左シャッタと、右眼前に配設された右シャッタと、を含む。左フレーム画像が表示されている間、左シャッタが開かれる一方で、右シャッタが閉じられる。右フレーム画像が表示されている間、右シャッタが開かれる一方で、左シャッタが閉じられる。したがって、視聴者は、左眼のみで左フレーム画像を観察し、右眼のみで右フレーム画像を観察する。かくして、視聴者は、左フレーム画像と右フレーム画像との間での視差量に基づき、表示装置が表示する映像を立体的に知覚することができる。【０００７】
例えば、表示装置が液晶パネルを用いて、映像を表示するならば、液晶の応答遅れに起因して、左シャッタが開かれている間、先行して表示された右フレーム画像の一部が液晶パネルの特定領域に表示されることがある。また、右シャッタが開かれている間、先行して表示された左フレーム画像の一部が液晶パネルの特定領域に表示されることがある。この結果、視聴者は左フレーム画像と右フレーム画像とが混在した映像を観察することとなる。【０００８】
例えば、表示装置がＰＤＰ（プラズマディスプレイパネル）を用いて、映像を表示するならば、発光素子の発光特性に起因して、左シャッタが開かれている間、先行して表示された右フレーム画像が左フレーム画像の特定領域に影響することがある。また、右シャッタが開かれている間、先行して表示された左フレーム画像が右フレーム画像の特定領域に影響することがある。この結果、視聴者は、先行して表示されたフレーム画像の影響を受けた映像を観察することとなる。【０００９】
左フレーム画像と右フレーム画像との間の干渉に起因する画質の劣化も「クロストーク」と称される。この「クロストーク」は、一般的に、「眼間クロストーク（interocular crosstalk）」と呼ばれるが、本明細書において、以下、単に、「クロストーク」と称される。特許文献２は、フレーム画像間の干渉に起因するクロストークの評価技術を開示する。【００１０】
フレーム画像間の干渉に起因するクロストークの他の評価技術は、動画サイト（http://video.consumerreports.org/services/player/bcpid1886192484?bctid=624905278001）に開示されている。当該開示技術によれば、水平方向に延びる複数の矩形領域で表現された第１画像と、水平方向に延びる複数の矩形領域と当該矩形領域内に表現された複数の三角形領域とを含む第２画像とが交互に表示される。【００１１】
第１画像及び第２画像の複数の矩形領域は、垂直方向に整列されている。また、第１画像及び第２画像は、垂直方向に整列した複数の矩形領域の輝度を下方に向けて低減させ、垂直方向に輝度が変化するグラデーションパターンを形成する。尚、矩形領域は、水平方向に一定の輝度を有する。【００１２】
複数の三角形領域は、マトリックス状に配列される。第２画像は、第１画像（水平方向に延びる複数の矩形領域によって表現された画像）と、マトリックス状に配列された複数の三角形領域とを重畳させて得られる画像である。水平方向に整列した三角形領域の輝度は、徐々に増大する一方で、垂直方向に整列した三角形領域の輝度は一定である。【００１３】
表示装置は、第１画像及び第２画像を交互に表示する。眼鏡装置のシャッタは、第１画像の表示に同期して映像光の光路を開く。上述のクロストークの結果、視聴者は、複数の矩形領域のみからなる第１画像の表示期間中に、三角形領域を観察することとなる。【００１４】
液晶の応答特性や発光素子の発光特性は、温度の影響を受けやすい。上述の如く、クロストークは、液晶の応答特性や発光素子の発光特性に依存する。上述の既知のクロストークの評価技術に基づき、映像が表示される表示面全体のクロストークの測定を評価するのには時間がかかるので、得られたクロストークのデータは温度の影響を大きく受けることとなる。したがって、既知の評価技術では、再現性のあるデータを取得することは困難である。【００１５】
クロストークの評価に関して、視野角特性は無視されるべきではない。例えば、表示装置が液晶パネルを用いて表示するならば、視聴者が映像を視聴する方向に応じて、視聴者が観察する映像の輝度や色相が変わることがある。上述の既知の評価技術は、視野角特性を考慮するものではない。したがって、既知の評価技術から得られたクロストークのデータは、実際に視聴者が知覚する映像から乖離しうる。かくして、既知の評価技術に基づくクロストークのデータの信頼性は低くなる。
【先行技術文献】
【特許文献】
【００１６】
【特許文献１】特開２００９−２３９５９６号公報
【特許文献２】特開２０１１−６４８９４号公報
【発明の概要】
【００１７】
本発明は、クロストークに関する再現性のあるデータを取得することを可能とし、且つ、視聴者の実際の視聴環境に近似した条件下でデータを取得することを可能にするクロストークの検出方法を提供することを目的とする。本発明は、当該検出方法に用いられる信号生成装置、信号生成プログラム及び信号生成プログラムを格納するコンピュータ可読媒体を提供することを更に目的とする。本発明は、信号生成装置及び／又は信号生成プログラムが生成する信号を用いて画像を表示する表示装置及び当該表示装置を製造するための製造方法を提供することを更に目的とする。
【００１８】
本発明の一の局面に係る表示装置に入力された画像信号に含まれる複数の同一パターン画像によって区画される複数の表示領域を含む表示面に現れるクロストークを検出する方法は、異なる輝度で表現される複数の主領域をそれぞれ含む複数の第１パターン画像を有する第１画像と、前記複数の主領域と前記複数の主領域内においてそれぞれ異なる輝度で表現される複数の副領域とをそれぞれ含む第２パターン画像を複数有する第２画像とを前記表示面に表示する段階と、前記表示面を撮像し、撮像データを得る段階と、前記第１画像及び前記第２画像のうち少なくとも一方と前記撮像データとを対比し、クロストークを検出する段階と、を備え、前記第１パターン画像及び前記第２パターン画像は、前記表示面の中央に位置する中央領域及び該中央領域に隣接する隣接領域それぞれに表示されることを特徴とする。
【００１９】
本発明の他の局面に係る表示装置の表示面上に現れるクロストークの検出に用いられる画像を表示するための画像信号を生成する信号生成装置は、互いに異なる輝度で表現される複数の主領域をそれぞれ含む複数の第１パターン画像を有する第１画像を前記表示面に表示するための第１信号と、前記複数の主領域と前記複数の主領域内において前記主領域とは異なる輝度で表示される複数の副領域とをそれぞれ含む複数の第２パターン画像を有する第２画像を前記表示面に表示するための第２信号と、を生成する信号生成部と、前記第１信号と前記第２信号とを出力する出力部と、を備え、前記信号生成部は、前記複数の第１パターン画像それぞれが表示される領域として区画された複数の表示領域に、前記複数の第２パターン画像がそれぞれ表示されるように前記第２信号を生成することを特徴とする。
【００２０】
本発明の他の局面に係る表示装置に入力された画像信号に含まれる複数の同一パターン画像によって区画される複数の表示領域を含む表示装置の表示面上に現れるクロストークを検出するための画像ファイルを記憶したコンピュータ可読媒体は、互いに異なる輝度で表現される複数の主領域をそれぞれ含む複数の第１パターン画像を有し、前記複数の表示領域に前記複数の第１パターン画像をそれぞれ表示するための第１画像のデータと、前記複数の主領域と前記複数の主領域内において前記主領域とは異なる輝度で表示される複数の副領域とをそれぞれ含む複数の第２パターン画像を有し、前記複数の表示領域に前記複数の第２パターン画像をそれぞれ表示するための第２画像のデータと、を記憶することを特徴とする。
【００２１】
本発明の他の局面に係る表示装置は、異なる輝度で表現される複数の主領域をそれぞれ含む複数の第１パターン画像を有する第１画像が表示され、前記複数の第１パターン画像それぞれが表示される領域として区画される複数の表示領域を含む表示面と、前記第１画像を表示するための第１信号と、前記複数の主領域と前記複数の主領域それぞれにおいて前記主領域とは異なる輝度で表現される複数の副領域とを含む第２パターン画像を複数有する第２画像を前記表示面に表示するための第２信号と、が入力される入力部と、前記表示面の輝度特性を調整するための調整部と、を備え、前記第２信号が前記入力部に入力されると、前記表示面は、前記複数の表示領域に前記複数の第２パターン画像をそれぞれ表示することを特徴とする。
【００２２】
本発明の他の局面に係る画像信号に含まれる複数の同一パターン画像によって区画される複数の表示領域を含む表示面を有する表示装置の製造方法は、異なる輝度で表現される複数の主領域をそれぞれ含む複数の第１パターン画像を有する第１画像と、前記複数の主領域と前記複数の主領域内においてそれぞれ異なる輝度で表現される複数の副領域とをそれぞれ含む複数の第２パターン画像を有する第２画像とを、前記複数の表示領域それぞれに表示する段階と、前記表示面を撮像し、撮像データを得る段階と、前記第１画像及び前記第２画像のうち少なくとも一方と前記撮像データとを対比し、クロストーク特性を検査する段階と、を含むことを特徴とする。
【００２３】
上述のクロストークを検出するための様々な技術は、クロストークに関する再現性のあるデータを取得することを可能とし、且つ、視聴者の実際の視聴環境に近似した条件下でデータを取得することを可能にする。
【００２４】
本発明の目的、特徴及び利点は、以下の詳細な説明と添付図面とによって、より明白となる。
【図面の簡単な説明】
【００２５】
【図１】クロストークを検出並びに測定するための測定システムの概略図である。
【図２】図１に示される測定システムの表示装置の表示面の概略的な正面図である。
【図３】図２に示される表示面に表示される検出画像を概略的に示す。
【図４】図２に示される表示面に表示される検出画像を概略的に示す。
【図５】図１に示される測定システムの信号生成装置の概略的なブロック図である。
【図６】図１に示される測定システムの表示装置の概略的なブロック図である。
【図７】図３に示される検出画像に含まれる第１パターン画像の概略図である。
【図８】図４に示される検出画像に含まれる第２パターン画像の概略図である。
【図９】立体映像を表示するために用いられるフレーム画像を概略的に示す。
【図１０Ａ】左フレーム画像から右フレーム画像へ画像表示を切り替えた表示面の領域区分の概略図である。
【図１０Ｂ】右フレーム画像から左フレーム画像へ画像表示を切り替えた表示面の領域区分の概略図である。
【図１１Ａ】右眼で知覚される下降クロストークを表す概略的なタイミングチャートである。
【図１１Ｂ】図１１Ａに示されるグラフを重ね合わせたタイミングチャートである。
【図１２Ａ】左眼で知覚される上昇クロストークを表す概略的なタイミングチャートである。
【図１２Ｂ】図１２Ａに示されるグラフを重ね合わせたタイミングチャートである。
【図１３】図７及び図８に示される第１パターン画像及び第２パターン画像を交互に表示したときの輝度変化を示す概略図である。
【図１４】クロストークの平均値を算出するための輝度値の測定位置を表す概略図である。
【図１５】図２に示される表示面に現れるクロストークを検出する方法の概略的なフローチャートである。
【図１６】図１５に示される検出方法のセットアップ工程の概略的なフローチャートである。
【図１７】図１６に示されるセットアップ工程における測定条件を設定するための例示的なスクリーンを表す概略図である。
【図１８】図１５に示される検出方法の表示工程及び撮像工程の概略的なフローチャートである。
【図１９Ａ】図１８に示される表示工程において用いられる画像の組み合わせの概略図である。
【図１９Ｂ】図１８に示される表示工程において用いられる画像の組み合わせの概略図である。
【図２０】図１５に示されるフローチャートに従って得られたクロストークの結果の概略図である。
【図２１】図６に示される表示装置の製造工程の概略的なフローチャートである。
【図２２Ａ】クロストークが評価されるときに用いられるパターン画像の他の組み合わせの概略図である。
【図２２Ｂ】クロストークが評価されるときに用いられるパターン画像の他の組み合わせの概略図である。
【図２３Ａ】クロストークを検出するために用いられる他の第１画像の概略図である。
【図２３Ｂ】クロストークを検出するために用いられる他の第２画像の概略図である。
【図２４】図２３Ｂに示される第２画像の概略図であり、図中に第２画像の寸法値が示されている。
【図２５】クロストークを検出するために用いられる他の第２画像の概略図である。
【図２６】クロストークを検出するために用いられる他の第２パターン画像の概略図である。
【図２７Ａ】クロストークを検出するために用いられる他の第１パターン画像の概略図である。
【図２７Ｂ】クロストークを検出するために用いられる他の第２パターン画像の概略図である。
【図２８】図５に示される信号生成装置に第１信号及び第２信号を生成させるための信号生成プログラムが実行する処理を概略的に示すフローチャートである。
【図２９】単一のパターン画像が表示される表示環境下でのクロストークの測定の概略図である。
【発明を実施するための形態】
【００２６】
以下、クロストークの検出方法、クロストークを検出するための信号を生成するための画像ファイルを記憶したコンピュータ可読媒体、クロストークを検出するための信号を用いて画像を表示する表示装置及び表示装置の製造方法が図面を参照して説明される。尚、以下に説明される様々な実施形態において、同様の構成要素に対して同様の符号が付されている。また、説明の明瞭化のため、必要に応じて、重複する説明は省略される。図面に示される構成、配置或いは形状並びに図面に関連する記載は、単に、様々な実施形態の原理を容易に理解させることを目的とする。したがって、これらの原理は、図面並びに図面に関連して詳述される説明に何ら限定されない。
【００２７】
（測定システム）
図１は、クロストークを検出並びに測定するための測定システム１００の概略図である。図１を用いて、測定システム１００が説明される。
【００２８】
測定システム１００は、クロストークの検出に用いられる検出画像（後述される）を表示する表示装置２００を備える。表示装置２００は、検出画像が表示される表示面２１０と、表示面２１０を保持するための筐体２１１と、を備える。例えば、表示装置２００は、テレビ装置、パーソナルコンピュータのディスプレイ装置や画像を表示することができる他の装置であってもよい。特に、本実施形態の原理は、立体映像を表示する表示装置に好適に適用される。
【００２９】
測定システム１００は、検出画像を表示装置２００の表示面２１０上に表示させるための検出画像信号を生成する信号生成装置３００を更に備える。信号生成装置３００は、表示装置２００に電気的に接続される。表示装置２００は、信号生成装置３００から送信された検出画像信号に基づき、検出画像を表示面２１０上に表示する。この結果、表示面２１０上にクロストークが現れる。検出画像を用いたクロストークの評価手法は後述される。
【００３０】
測定システム１００は、表示面２１０に表示された検出画像を撮像するための撮像システム４００を更に備える。撮像システム４００は、表示装置２００が表示するフレーム画像の切替動作に同期して開閉するシャッタ装置４５０と、表示面２１０を全体的に撮像するカメラ装置４１０と、カメラ装置４１０によって撮像された表示面２１０の像（即ち、撮像データ）に基づき、クロストークの評価処理を実行する処理装置４２０（例えば、パーソナルコンピュータ）と、を備える。本実施形態において、シャッタ装置４５０として、立体映像の視聴に用いられる眼鏡装置が用いられている。表示面２１０上のクロストークは、カメラ装置４１０が撮像した表示面２１０の撮像データと、信号生成装置３００が出力する検出画像信号に基づき生成される検出画像との対比によって検出される。したがって、検出画像と対比可能な表示面２１０の映像が取得されるならば、他の撮像システムが用いられてもよい。処理装置４２０が実行するクロストークの評価処理は後述される。
【００３１】
図１において、表示面２１０の高さ寸法は、「Ｈ」の符号を用いて表されている。一般的に、表示面から表示面の高さ寸法の約３倍の距離だけ離れて、表示面に表示される立体映像を視聴することが推奨されている。したがって、撮像システム４００は、表示面２１０から、「約３Ｈ」の距離だけ離間して配置されることが好ましい。この結果、実際の視聴環境に近似した環境下で、クロストークのデータが取得される。
【００３２】
（表示領域の定義）
図２は、表示面２１０の概略的な正面図である。図１及び図２を用いて、表示面２１０が説明される。
【００３３】
表示面２１０は、表示装置２００に入力された画像信号に含まれる複数の同一パターン画像によって区画される複数の表示領域を含む。本実施形態において、表示面２１０は、９つの表示領域２２１乃至２２９に概念的に区画される。表示面２１０の中央に位置する表示領域２２１は、中央領域として例示される。
【００３４】
表示領域２２１の左上の領域は、表示領域２２２である。表示領域２２１の直上の領域は、表示領域２２３である。表示領域２２１の右上の領域は、表示領域２２４である。表示領域２２１の左の領域は、表示領域２２５である。表示領域２２１の右の領域は、表示領域２２６である。表示領域２２１の左下の領域は、表示領域２２７である。表示領域２２１の直下の領域は、表示領域２２８である。表示領域２２１の右下の領域は、表示領域２２９である。本実施形態において、表示領域２２１を取り囲むように配置された表示領域２２２乃至２２９それぞれは、隣接領域として例示される。
【００３５】
本実施形態において、表示面２１０は、９つの表示領域２２１乃至２２９に概念的に区画される。しかしながら、表示面中の表示領域の数は、２以上且つ９未満であってもよく、或いは、表示面は、１０を超える表示領域からなってもよい。
【００３６】
本実施形態において、９つの表示領域２２１乃至２２９は、同形同大である。代替的に、表示面中で区画された複数の表示領域は、異なる大きさであってもよく、或いは、異なる形状であってもよい。
【００３７】
（検出画像）
図３及び図４は、表示面２１０に表示される検出画像を概略的に示す。図３及び図４を用いて、検出画像が説明される。
【００３８】
本実施形態において、図３に示される第１画像ＦＩ及び図４に示される第２画像ＳＩが検出画像として用いられる。表示面２１０には、第１画像ＦＩ及び第２画像ＳＩが交互に表示される。この結果、表示面２１０上にクロストークが現れる。
【００３９】
本実施形態において、第１画像ＦＩは、９つの第１パターン画像ＦＰＩを含む。第１パターン画像ＦＰＩは、表示領域２２１乃至２２９それぞれに表示される。尚、第１画像が含む第１パターン画像の数は、表示面中で区画された表示領域の数と一致していればよく、９つに限定されるものではない。
【００４０】
本実施形態において、表示領域２２１乃至２２９それぞれに表示される第１パターン画像ＦＰＩは、同一である。代替的に、異なる輝度、形状或いは大きさの第１パターン画像が表示領域２２１乃至２２９に表示されてもよい。
【００４１】
本実施形態において、第２画像ＳＩは、９つの第２パターン画像ＳＰＩを含む。第２パターン画像ＳＰＩは、表示領域２２１乃至２２９それぞれに表示される。表示面２１０中における第２パターン画像ＳＰＩの位置は、対応する第１パターン画像ＦＰＩの表示位置に略一致している。尚、第２画像が含む第２パターン画像の数は、第１パターン画像の数と一致していればよく、９つに限定されるものではない。
【００４２】
本実施形態において、表示領域２２１乃至２２９それぞれに表示される第２パターン画像ＳＰＩは、同一である。代替的に、異なる輝度、形状或いは大きさの第２パターン画像が表示領域２２１乃至２２９に表示されてもよい。
【００４３】
（信号生成装置の構成）
図５は、信号生成装置３００の概略的なブロック図である。図３乃至図５を用いて、信号生成装置３００が説明される。
【００４４】
信号生成装置３００は、検出画像のデータファイルを格納する記憶部３１０を備える。記憶部３１０は、第１画像ＦＩのデータを格納する第１ディレクトリ３１１と、第２画像ＳＩのデータを格納する第２ディレクトリ３１２と、を含む。本実施形態において、検出画像のデータファイルは、画像ファイルとして例示される。また、記憶部３１０は、画像ファイルを格納するクロストークを検出するための信号を生成するための画像ファイルを記憶したコンピュータ可読媒体として例示される。記憶部３１０は、ＲＯＭやハードディスクであってもよい。代替的に、記憶部３１０は、必要に応じて、信号生成装置３００から取り出すことができるリムーバブルメディアであってもよい。
【００４５】
信号生成装置３００は、記憶部３１０に記憶されたデータファイルに基づいて、第１画像ＦＩ及び第２画像ＳＩを表示するための信号を生成する信号生成部３２０を更に備える。信号生成部３２０は、第１ディレクトリ３１１から、第１画像ＦＩのデータを読み出し、第１画像ＦＩを表示面２１０に表示するための第１信号を生成する。信号生成部３２０は、第２ディレクトリ３１２から、第２画像ＳＩのデータを読み出し、第２画像ＳＩを表示面２１０に表示するための第２信号を生成する。
【００４６】
信号生成装置３００は、信号生成部３２０が生成及び出力した第１信号及び第２信号を受ける出力部３３０を更に備える。出力部３３０は、第１信号及び第２信号を交互に表示装置２００へ出力する。
【００４７】
（表示装置の構成）
図６は、表示装置２００の概略的なブロック図である。図１、図３、図４及び図６を用いて、表示装置２００が説明される。
【００４８】
表示装置２００は、上述の表示面２１０に加えて、信号生成装置３００から出力された第１信号及び第２信号を受ける入力部２３０を備える。本実施形態において、第１信号及び第２信号は、入力部２３０に交互に入力される。入力部２３０は、その後、第１信号及び第２信号を出力する。
【００４９】
表示装置２００は、入力部２３０が出力した第１信号及び第２信号を処理し、画像を表示面２１０に表示するための映像信号を生成する信号処理部２４０を更に備える。信号処理部２４０は、第１信号に基づき、第１画像ＦＩを表示するための映像信号を生成する。また、信号処理部２４０は、第２信号に基づき、第２画像ＳＩを表示するための映像信号を生成する。
【００５０】
表示装置２００は、表示面２１０の輝度特性を調整するための調整部２５０を更に備える。図３及び図４に関連して説明された如く、表示面２１０は表示領域２２１乃至２２９に概念的に区分される。表示領域２２１乃至２２９それぞれに第１パターン画像ＦＰＩ及び第２パターン画像ＳＰＩが交互に表示される。この結果、表示領域２２１乃至２２９それぞれに対するクロストークの特性が見極められることとなる。調整部２５０は、表示領域２２１乃至２２９それぞれに対して選択的に輝度特性を調整することができる。例えば、表示領域２２９において、顕著なクロストークが観察されるならば、使用者は、調整部２５０を用いて、表示領域２２９の発光タイミングを他の表示領域よりも先行させるように表示領域２２９の輝度特性を調整してもよい。代替的に、使用者は、調整部２５０を用いて、表示領域２２９の輝度を増減させ、クロストークを低減してもよい。更に代替的に、調整部２５０は、発生するクロストークに応じて、特定領域の左右の電圧レベル（信号レベル）のうち一方のレベルを増減させるクロストークキャンセル処理（図示せず）のパラメータを調整してもよい。
【００５１】
表示装置２００は、表示面２１０における画像（第１画像・第２画像）の表示と撮像システム４００の動作とを同期させるための同期信号を生成する同期信号生成部２６０を更に備える。同期信号は、第１画像及び第２画像の表示タイミングを撮像システムに通知するために用いられる。
【００５２】
表示装置２００は、同期信号を撮像システム４００に送信する送信部２７０を更に備える。本実施形態において、送信部２７０は、同期信号として、無線信号を撮像システム４００に送信する。代替的に、送信部は有線式に同期信号を撮像システム４００に出力してもよい。
【００５３】
図１に関連して説明された如く、本実施形態において、撮像システム４００は、シャッタ装置４５０として、立体映像の視聴に一般的に利用される眼鏡装置を用いる。したがって、撮像システム４００と表示装置２００との間の同期制御は、既知の様々な制御手法に基づき達成されてもよい。尚、本実施形態は、アクティブ方式の表示システムを用いて説明されるが、本実施形態の原理は、パッシブ方式の表示システムにも同様に適用される。パッシブ方式の眼鏡装置が用いられるならば、同期信号生成部や送信部は省略されてもよい。パッシブ方式の表示システムにおいて、第１画像及び第２画像は合成して表示される。例えば、第１画像及び第２画像は１ライン毎に切り替えて表示されてもよい。
【００５４】
（パターン画像）
図７は、第１パターン画像ＦＰＩの概略図である。図６及び図７を用いて、第１パターン画像ＦＰＩが説明される。
【００５５】
第１パターン画像ＦＰＩは、水平方向に延びる５つの水平帯状領域ＨＳＲ１乃至ＨＳＲ５を含む。水平帯状領域ＨＳＲ１は、第１パターン画像ＦＰＩ中、最も上方の領域である。水平帯状領域ＨＳＲ５は、第１パターン画像ＦＰＩ中、最も下方の領域である。水平帯状領域ＨＳＲ２は、水平帯状領域ＨＳＲ１に隣接する領域である。水平帯状領域ＨＳＲ４は、水平帯状領域ＨＳＲ５に隣接する領域である。水平帯状領域ＨＳＲ３は、水平帯状領域ＨＳＲ２と水平帯状領域ＨＳＲ４との間の領域である。本実施形態において、垂直方向に整列した水平帯状領域ＨＳＲ１乃至ＨＳＲ５は、同形同大である。代替的に、水平帯状領域ＨＳＲ１乃至ＨＳＲ５は、互いに異なる長さ或いは幅を有してもよい。本実施形態において、水平帯状領域ＨＳＲ１乃至ＨＳＲ５それぞれは、第１主領域として例示される。
【００５６】
本実施形態において、水平帯状領域ＨＳＲ１の輝度レベルは、「０％」である。水平帯状領域ＨＳＲ５の輝度レベルは、「１００％」である。尚、本実施形態において、「０％」の輝度レベルは、表示面２１０が最も低い輝度で画像を表現するための映像信号の電圧レベルを意味する。「１００％」の輝度レベルは、表示面２１０が最も高い輝度で画像を表現するための映像信号の電圧レベルを意味する。尚、上述の輝度レベルの定義は、本実施形態の原理を容易に理解させるためのものである。したがって、本実施形態の原理は、上述の輝度レベルの定義に何ら限定されるものではない。
【００５７】
水平帯状領域ＨＳＲ２の輝度レベルは、「２５％」である。即ち、水平帯状領域ＨＳＲ２は、水平帯状領域ＨＳＲ５を表示する映像信号の電圧レベルに対して「１／４」の大きさの電圧レベルの映像信号によって表現されている。
【００５８】
水平帯状領域ＨＳＲ３の輝度レベルは、「５０％」である。即ち、水平帯状領域ＨＳＲ３は、水平帯状領域ＨＳＲ５を表示する映像信号の電圧レベルに対して「１／２」の大きさの電圧レベルの映像信号によって表現されている。
【００５９】
水平帯状領域ＨＳＲ４の輝度レベルは、「７５％」である。即ち、水平帯状領域ＨＳＲ４は、水平帯状領域ＨＳＲ５を表示する映像信号の電圧レベルに対して「３／４」の大きさの電圧レベルの映像信号によって表現されている。
【００６０】
本実施形態において、水平帯状領域ＨＳＲ１乃至ＨＳＲ５のうち１つは、第１主領域として例示される。例えば、水平帯状領域ＨＳＲ１が第１主領域として例示されるならば、「０％」の輝度レベルは、第１輝度として例示される。このとき、水平帯状領域ＨＳＲ１よりも高い輝度レベルで表現される水平帯状領域ＨＳＲ２乃至ＨＳＲ５のうち１つは、第２主領域として例示される。例えば、水平帯状領域ＨＳＲ２が第２主領域として例示されるならば、「２５％」の輝度レベルは、第２輝度として例示される。このとき、水平帯状領域ＨＳＲ２よりも高い輝度レベルで表現される水平帯状領域ＨＳＲ３乃至ＨＳＲ５のうち１つは、第３主領域として例示される。例えば、水平帯状領域ＨＳＲ３が第３主領域として例示されるならば、「５０％」の輝度レベルは、第３輝度として例示される。
【００６１】
図８は、第２パターン画像ＳＰＩの概略図である。図７及び図８を用いて、第２パターン画像ＳＰＩが説明される。
【００６２】
第２パターン画像ＳＰＩは、第１パターン画像ＦＰＩと同様に、水平帯状領域ＨＳＲ１乃至ＨＳＲ５を含む。第２パターン画像ＳＰＩは、水平帯状領域ＨＳＲ１乃至ＨＳＲ５よりも小さな矩形領域ＲＳＲ１乃至ＲＳＲ５を更に含む。
【００６３】
矩形領域ＲＳＲ１は、「０％」の輝度レベルで表示される領域である。矩形領域ＲＳＲ２は、「２５％」の輝度レベルで表示される領域である。矩形領域ＲＳＲ３は、「５０％」の輝度レベルで表示される領域である。矩形領域ＲＳＲ４は、「７５％」の輝度レベルで表示される領域である。矩形領域ＲＳＲ５は、「１００％」の輝度レベルで表示される領域である。
【００６４】
水平帯状領域ＨＳＲ１内において、水平帯状領域ＨＳＲ１の輝度レベルとは異なる輝度レベルで表現される４つの矩形領域ＲＳＲ２乃至ＲＳＲ５が表示される。水平帯状領域ＨＳＲ２内において、水平帯状領域ＨＳＲ２の輝度レベルとは異なる輝度レベルで表現される４つの矩形領域ＲＳＲ１，ＲＳＲ３乃至ＲＳＲ５が表示される。水平帯状領域ＨＳＲ３内において、水平帯状領域ＨＳＲ３の輝度レベルとは異なる輝度レベルで表現される４つの矩形領域ＲＳＲ１，ＲＳＲ２，ＲＳＲ４，ＲＳＲ５が表示される。水平帯状領域ＨＳＲ４内において、水平帯状領域ＨＳＲ４の輝度レベルとは異なる輝度レベルで表現される４つの矩形領域ＲＳＲ１乃至ＲＳＲ３，ＲＳＲ５が表示される。水平帯状領域ＨＳＲ５内において、水平帯状領域ＨＳＲ５の輝度レベルとは異なる輝度レベルで表現される４つの矩形領域ＲＳＲ１乃至ＲＳＲ４が表示される。本実施形態において、矩形領域ＲＳＲ１乃至ＲＳＲ５は、副領域としてそれぞれ例示される。水平帯状領域ＨＳＲ１内において表示される４つの矩形領域ＲＳＲ２乃至ＲＳＲ５のグループ、水平帯状領域ＨＳＲ２内において表示される４つの矩形領域ＲＳＲ１，ＲＳＲ３乃至ＲＳＲ５のグループ、水平帯状領域ＨＳＲ３内において表示される４つの矩形領域ＲＳＲ１，ＲＳＲ２，ＲＳＲ４，ＲＳＲ５のグループ、水平帯状領域ＨＳＲ４内において表示される４つの矩形領域ＲＳＲ１乃至ＲＳＲ３，ＲＳＲ５のグループ及び水平帯状領域ＨＳＲ４内において表示される４つの矩形領域ＲＳＲ１乃至ＲＳＲ４のグループは、第１領域グループとして、それぞれ例示される。
【００６５】
本実施形態において、主領域としてそれぞれ例示される水平帯状領域ＨＳＲ１乃至ＨＳＲ５は、水平方向にそれぞれ延びる。したがって、水平方向は、第１方向として例示される。
【００６６】
「０％」の輝度レベルで表現される４つの矩形領域ＲＳＲ１、「２５％」の輝度レベルで表現される４つの矩形領域ＲＳＲ２、「５０％」の輝度レベルで表現される４つの矩形領域ＲＳＲ３、「７５％」の輝度レベルで表現される４つの矩形領域ＲＳＲ４及び「１００％」の輝度レベルで表現される４つの矩形領域ＲＳＲ５は、垂直方向に整列している。本実施形態において、垂直方向は、第２方向として例示される。４つの矩形領域ＲＳＲ１のグループ、４つの矩形領域ＲＳＲ２のグループ、４つの矩形領域ＲＳＲ３のグループ、４つの矩形領域ＲＳＲ４のグループ及び４つの矩形領域ＲＳＲ５のグループは、第２領域グループとして、それぞれ例示される。４つの矩形領域ＲＳＲ１のグループ、４つの矩形領域ＲＳＲ２のグループ、４つの矩形領域ＲＳＲ３のグループ、４つの矩形領域ＲＳＲ４のグループ及び４つの矩形領域ＲＳＲ５のグループは、水平方向に略等間隔に整列する。
【００６７】
（クロストークの発生原理）
図９は、立体映像を表示するために用いられるフレーム画像を概略的に示す。図９を用いて、クロストークの発生原理が説明される。
【００６８】
立体映像を表示するために、典型的には、左眼で視聴される左フレーム画像ＬＦＩ及び右眼で視聴される右フレーム画像ＲＦＩが交互に表示される。図９には、黒色（輝度レベル：０％）の背景及び白色（輝度レベル：１００％）のオブジェクトＯＢがそれぞれ表現された左フレーム画像ＬＦＩ及び右フレーム画像ＲＦＩが示されている。表示面中におけるオブジェクトＯＢの位置は、左フレーム画像ＬＦＩと右フレーム画像ＲＦＩとの間で、距離ＰＡだけずらされている。観察者が左眼で左フレーム画像ＬＦＩを観察し、右眼で右フレーム画像ＲＦＩを観察するならば、観察者は、距離ＰＡ分のオブジェクトＯＢのずれ量を知覚し、脳内で左フレーム画像ＬＦＩと右フレーム画像ＲＦＩとを合成する。この結果、観察者は、表示面から飛び出た或いは引っ込んだオブジェクトＯＢを知覚する。
【００６９】
図１０Ａは、左フレーム画像ＬＦＩから右フレーム画像ＲＦＩへ画像表示を切り替えた表示面２１０の領域区分の概略図である。図１０Ｂは、右フレーム画像ＲＦＩから左フレーム画像ＬＦＩへ画像表示を切り替えた表示面２１０の領域区分の概略図である。図９乃至図１０Ｂを用いて、クロストークの発生原理が更に説明される。
【００７０】
左フレーム画像ＬＦＩと右フレーム画像ＲＦＩとの間の画像表示の切り替え時に生ずる輝度レベルの変化に基づいて、表示面２１０は、４つの領域に大別される。図１０Ａ及び図１０Ｂに示される領域ＫＫは、画像表示の切り替えの間、「０％」の輝度レベル（黒色）を維持する。図１０Ａ及び図１０Ｂに示される領域ＷＷは、画像表示の切り替えの間、「１００％」の輝度レベル（白色）を維持する。図１０Ａ及び図１０Ｂに示される領域ＫＷにおいて、画像表示の切り替えの結果、「０％」（黒色）から「１００％」（白色）への輝度レベルの変化が生ずる。図１０Ａ及び図１０Ｂに示される領域ＷＫにおいて、画像表示の切り替えの結果、「１００％」（白色）から「０％」（黒色）への輝度レベルの変化が生ずる。輝度レベルの変化が大きい領域ＫＷ，ＷＫにおいて、顕著なクロストークが発生しやすい。
【００７１】
視聴者がフレーム画像の観察を開始するときには、領域ＷＫは、理想的には、完全な黒色（輝度レベル：０％）となっている。しかしながら、例えば、表示面２１０を構成する素子（液晶やプラズマ発光素子）の応答遅れによって、領域ＷＫは、完全な黒色（輝度レベル：０％）にならないことが多い。以下の説明において、高い輝度レベルから低い輝度レベルへの変化が生ずる領域において生ずるクロストークは、「下降クロストーク」と称される。
【００７２】
視聴者がフレーム画像の観察を開始するときには、領域ＫＷは、理想的には、完全な白色（輝度レベル：１００％）となっている。しかしながら、例えば、表示面２１０を構成する素子（液晶やプラズマ発光素子）の応答遅れによって、領域ＫＷは、完全な白色（輝度レベル：１００％）にならないことが多い。以下の説明において、低い輝度レベルから高い輝度レベルへの変化が生ずる領域において生ずるクロストークは、「上昇クロストーク」と称される。
【００７３】
図１１Ａは、右眼で知覚される下降クロストークを表す概略的なタイミングチャートである。図１１Ｂは、図１１Ａに示されるグラフを重ね合わせたタイミングチャートである。図９乃至図１１Ｂを用いて、下降クロストークが説明される。
【００７４】
図１１Ａのセクション（ａ）の点線は、領域ＷＫに対する映像信号の電圧変動を概略的に示す。映像信号の電圧値が「１００％」であるならば、映像信号が白色の像の表示を表示面２１０に指示している。映像信号の電圧値が「０％」であるならば、映像信号が黒色の像の表示を表示面２１０に指示している。左フレーム画像ＬＦＩが表示される左フレーム期間において、映像信号の電圧値は「１００％」であり、右フレーム期間において、映像信号の電圧値は「０％」である。
【００７５】
図１１Ａのセクション（ｂ）の一点鎖線は、右眼への透過光量の変動を表す。眼鏡装置のシャッタ動作の下、左フレーム期間において、右眼への透過光量は、ほとんど存在せず、右フレーム期間において、右眼への透過光量は増大する。
【００７６】
図１１Ａのセクション（ｃ）の実線は、表示面２１０上の領域（領域ＷＫ又は領域ＫＷ）の実際の輝度変化を表す。図１１Ａのセクション（ａ）に示される映像信号は、左フレーム期間から右フレーム期間に切り替わるときに、瞬時に「１００％」から「０％」に降下しているのに対し、領域の輝度は、徐々に、「１００％」（白色）から「０％」（黒色）に変化する。映像信号の変化に対する実際の表示面２１０の輝度の変化の遅れは、観察者にクロストークとして知覚される。
【００７７】
図１１Ｂの点線、一点鎖線及び実線は、図１１Ａと同様に、映像信号、右眼への透過光量及び領域（領域ＷＫ又は領域ＫＷ）の輝度変化をそれぞれ表す。図１１Ｂに示されるハッチング領域（一点鎖線、実線及び時間軸で囲まれた領域）の面積は、下降クロストークの量を意味する。ハッチング領域の面積が大きいならば、観察者は顕著な下降クロストークを知覚する。ハッチング領域の面積が小さいならば、観察者は、下降クロストークをほとんど知覚しない。
【００７８】
図１２Ａは、左眼で知覚される上昇クロストークを表す概略的なタイミングチャートである。図１２Ｂは、図１２Ａに示されるグラフを重ね合わせたタイミングチャートである。図９乃至図１２Ｂを用いて、上昇クロストークが説明される。
【００７９】
図１２Ａのセクション（ａ）及びセクション（ｃ）は、図１１Ａのセクション（ａ）及びセクション（ｃ）と同様である。図１２Ａのセクション（ｂ）は、左眼への透過光量の変動を表す。
【００８０】
図１２Ａのセクション（ａ）に示される映像信号は、右フレーム期間から左フレーム期間に切り替わるときに、瞬時に「０％」から「１００％」に増加しているのに対し、領域の輝度は、徐々に、「０％」（黒色）から「１００％」（白色）に変化する。映像信号の変化に対する実際の表示面２１０の輝度の変化の遅れは、観察者にクロストークとして知覚される。
【００８１】
図１２Ｂの点線、一点鎖線及び実線は、図１２Ａと同様に、映像信号、右眼への透過光量及び領域（領域ＷＫ又は領域ＫＷ）の輝度変化をそれぞれ表す。図１２Ｂに示されるハッチング領域（左フレーム期間において実線と一点鎖線によって囲まれる領域）の面積は、上昇クロストークの量を意味する。ハッチング領域の面積が大きいならば、観察者は顕著な上昇クロストークを知覚する。ハッチング領域の面積が小さいならば、観察者は、上昇クロストークをほとんど知覚しない。
【００８２】
（クロストークの定量化）
図１、図１０Ａ及び図１０Ｂを用いて、クロストークの定量化が説明される。
【００８３】
下記の数式は、下降クロストークの定量化式である。
【００８４】
【数１】
2012056708.tif 000003
【００８５】
上述の数式において、「ＣＴＤ」は、下降クロストークの定量化値である。「ＹＷ，Ｋ」は、領域ＷＫの輝度である。「ＹＫ，Ｋ」は、領域ＫＫの輝度である。「ＹＫ，Ｗ」は、領域ＫＷの輝度である。「ＹＷ，Ｋ」、「ＹＫ，Ｋ」及び「ＹＫ，Ｗ」の輝度データは、撮像システム４００によって取得される。
【００８６】
尚、上述の数式は、下降クロストークを定量化するための例示的な数式である。したがって、他の数学的手法に基づき、下降クロストークが定量化されてもよい。
【００８７】
下記の数式は、上昇クロストークの定量化式である。
【００８８】
【数２】
2012056708.tif 000004
【００８９】
上述の数式において、「ＣＴＵ」は、上昇クロストークの定量化値である。「ＹＷ，Ｗ」は、領域ＷＷの輝度である。「ＹＷ，Ｗ」の輝度データも、撮像システム４００によって取得される。
【００９０】
尚、上述の数式は、上昇クロストークを定量化するための例示的な数式である。したがって、他の数学的手法に基づき、上昇クロストークが定量化されてもよい。
【００９１】
（パターン画像を用いたクロストークの定量化）
上述のクロストークの定量化の手法は、白色表示と黒色表示との間の表示切替に適用される。しかしながら、上述の手法は、中間階調における輝度変化に起因するクロストークにも応用可能である。図７及び図８に関連して説明されたパターン画像は、白色領域及び黒色領域だけでなく、中間階調で表現される複数の領域を有する。したがって、図７及び図８に関連して説明されたパターン画像は、様々な輝度変化量の下、クロストークを評価するのに好適に用いられる。
【００９２】
図１３は、図７及び図８に関連して説明された第１パターン画像ＦＰＩ及び第２パターン画像ＳＰＩを交互に表示したときの輝度変化を示す概略図である。図７、８及び図１３を用いて、パターン画像を用いたクロストークの定量化が説明される。
【００９３】
図１３は、第２パターン画像ＳＰＩが表示された後に、第１パターン画像ＦＰＩが表示されたときの表示面２１０の輝度変化を示す。図１３に示される表示面２１０の上に表される数値は、第２パターン画像ＳＰＩの矩形領域ＲＳＲ１乃至ＲＳＲ５の輝度レベルを表す。図１３に示される表示面２１０の左に表される数値は、第１パターン画像ＦＰＩの水平帯状領域ＨＳＲ１乃至ＨＳＲ５の輝度レベルを表す。
【００９４】
図１３に示される表示面２１０内には、一対の長方形領域の組が複数示されている。一対の長方形領域のうち左方に示される長方形領域は、第２パターン画像ＳＰＩの矩形領域ＲＳＲ１乃至ＲＳＲ５を表す。一対の長方形領域のうち右方に示される長方形領域は、矩形領域ＲＳＲ１乃至ＲＳＲ５に対応する位置における水平帯状領域ＨＳＲ１乃至ＨＳＲ５を表す。一対の長方形領域の組の下方に示される数値は、第２パターン画像ＳＰＩから第１パターン画像ＦＰＩへの切替に伴う輝度レベルの変化を表している。
【００９５】
下記の数式は、第１パターン画像ＦＰＩ及び第２パターン画像ＳＰＩを用いて作り出されたクロストークを定量化するために用いられる。下記の数式は、クロストークを定量化するための例示的な数式である。したがって、他の数学的手法に基づき、クロストークが定量化されてもよい。
【００９６】
【数３】
2012056708.tif 000005
【００９７】
上述の数式において、「ＣＴ」は、クロストークの定量化値である。「ｎ」は、輝度変化が発生した領域の数を表す。図１３に示されるクロストークの発生シミュレーションモデルにおいて、「ｎ」は、「２０」である。「ｘ％」は、先行して表示された画像の輝度レベルを意味する。図１３に示されるクロストークの発生シミュレーションモデルにおいて、「ｘ％」は、矩形領域ＲＳＲ１乃至ＲＳＲ５それぞれの輝度レベルを意味する。「ｙ％」は、後続の表示画像の輝度レベルを意味する。図１３に示されるクロストークの発生シミュレーションモデルにおいて、「ｙ％」は、水平帯状領域ＨＳＲ１乃至ＨＳＲ５それぞれの輝度レベルを意味する。
【００９８】
上述の数式において、「Ｙｘ％，ｙ％」は、「ｘ％」の輝度レベルから「ｙ％」の輝度レベルに変化した領域において実際に測定された輝度値を意味する。例えば、水平帯状領域ＨＳＲ４内に表された矩形領域ＲＳＲ３の輝度値は、「Ｙ５０％，７５％」で表現される。
【００９９】
上述の数式において、「Ｙｙ％，ｙ％」は、「ｙ％」の輝度レベルが維持された領域において、実際に測定された輝度値を意味する。図１３において、表示面２１０として、２つの三角形領域が点線で表されている。上側の三角形領域中に表される長方形領域の組は、第２パターン画像ＳＰＩから第１パターン画像ＦＰＩへの表示の切替に伴って、輝度レベルが低下するグループである。下側の三角形領域中に表される長方形領域の組は、第２パターン画像ＳＰＩから第１パターン画像ＦＰＩへの表示の切替に伴って、輝度レベルが増加するグループである。２つの三角形領域の斜辺上の領域において、第２パターン画像ＳＰＩから第１パターン画像ＦＰＩへの表示の切替の間、輝度レベルが維持される。例えば、水平帯状領域ＨＳＲ４内に表された矩形領域ＲＳＲ３と水平帯状領域ＨＳＲ４内に表された矩形領域ＲＳＲ５との間の領域において、「７５％」の輝度レベルが維持される。
【０１００】
上述の数式において、「Ｙ１００％，１００％」は、「１００％」の輝度レベルが維持された領域において、実際に測定された輝度値を意味する。図１３に示されるクロストークの発生シミュレーションモデルにおいて、パターン画像（第１パターン画像ＦＰＩ及び第２パターン画像ＳＰＩ）の右下の角隅部の領域において測定された輝度値は、「Ｙ１００％，１００％」に相当する。
【０１０１】
上述の数式において、「Ｙ０％，０％」は、「０％」の輝度レベルが維持された領域において、実際に測定された輝度値を意味する。図１３に示されるクロストークの発生シミュレーションモデルにおいて、パターン画像（第１パターン画像ＦＰＩ及び第２パターン画像ＳＰＩ）の左上の角隅部の領域において測定された輝度値は、「Ｙ０％，０％」に相当する。
【０１０２】
上述の数式を用いて、様々な輝度レベルの変化の下で生ずるクロストークの平均値が算出される。
【０１０３】
（表示装置の性能評価）
上述のクロストークの平均値の算出手法を用いて、クロストークに関する表示装置２００の全体的な性能評価が好適に実行される。
【０１０４】
図１４は、クロストークの平均値を算出するための輝度値の測定位置を表す概略図である。図１、図３、図４及び図１４を用いて、表示装置２００の性能評価の手法が説明される。
【０１０５】
図３及び図４に関連して説明された如く、第１パターン画像ＦＰＩ及び第２パターン画像ＳＰＩは、表示領域２２１乃至２２９それぞれに表示される。図１に関連して説明された如く、撮像システム４００は、表示面２１０全体を撮像することができる。したがって、撮像システム４００が取得した撮像データに基づいて、表示領域２２１乃至２２９それぞれに対して、クロストークの平均値「ＣＴ」が算出される。図１４には、表示領域２２１乃至２２９それぞれに設けられた輝度値の測定位置Ｐ１乃至Ｐ９が示されている。
【０１０６】
下記の数式は、表示面２１０全体に亘るクロストークの平均値を算出するために用いられる。
【０１０７】
【数４】
2012056708.tif 000006
【０１０８】
上述の数式において、「ＣＴｔｏｔａｌ」は、表示面２１０全体に亘るクロストークの平均値を表す。「ＣＴＰ１」乃至「ＣＴＰ９」は、測定位置Ｐ１乃至Ｐ９それぞれにおいて得られた「ＣＴ」を意味する。
【０１０９】
（クロストークの検出方法）
図１５は、表示装置２００の表示面２１０に現れるクロストークを検出する方法の概略的なフローチャートである。図１、図３、図４及び図１５を用いて、クロストークの検出方法が説明される。
【０１１０】
（ステップＳ１００）
ステップＳ１００において、セットアップ工程が実行される。セットアップ工程において、表示装置２００に信号生成装置３００が接続される。また、表示装置２００に対して、適切な位置に、撮像システム４００が設置される。その後、ステップＳ２００及びステップＳ３００が実行される。
【０１１１】
（ステップＳ２００）
ステップＳ２００において、表示工程が実行される。表示工程において、第１画像ＦＩ及び第２画像ＳＩが表示面２１０に交互に表示される。後述される対比工程（ステップＳ４００）において、第２画像ＳＩは、第１画像ＦＩに先行して表示される画像として取り扱われる。ステップＳ２００と平行して、ステップＳ３００が実行される。
【０１１２】
（ステップＳ３００）
ステップＳ３００において、撮像工程が実行される。撮像工程において、カメラ装置４１０は、第１画像ＦＩ及び第２画像ＳＩを交互に表示する表示面２１０を撮像し、撮像データを処理装置４２０に出力する。上述のクロストークの定量化処理のために必要な撮像データが取得されると、ステップＳ４００が実行される。
【０１１３】
（ステップＳ４００）
ステップＳ４００において、対比工程が実行される。対比工程において、処理装置４２０は、各表示領域２２１乃至２２９について、矩形領域ＲＳＲ１乃至ＲＳＲ５が表示された領域の輝度及び／又は第２パターン画像ＳＰＩ中の対角線（左上の角隅部から右下の角隅部を結ぶ対角線）上の水平帯状領域ＨＳＲ１乃至ＨＳＲ５が表示された領域の輝度を、カメラ装置４１０から取得された撮像データに基づき解析する。この結果、上述の「ＣＴ」を算出するための数式中のパラメータ「Ｙｘ％，ｙ％」、「Ｙｙ％，ｙ％」、「Ｙ１００％，１００％」及び「Ｙ０％，０％」のデータが得られる。
【０１１４】
本実施形態において、処理装置４２０は、第２画像ＳＩを先に表示された画像として取り扱い、「ＣＴ」を算出する。したがって、上述の「ＣＴ」を算出するための数式の分子に表される「Ｙｘ％，ｙ％」と「Ｙｙ％，ｙ％」との差分演算は、実際に取得された輝度と第２画像ＳＩに後続して表示される第１画像ＦＩの輝度との対比を意味する。尚、処理装置４２０は、第１画像ＦＩを先に表示された画像として取り扱ってもよい。
【０１１５】
処理装置４２０は、各表示領域２２１乃至２２９に対して、「ＣＴ」（「ＣＴＰ１」乃至「ＣＴＰ９」）を算出する。処理装置４２０は、取得された「ＣＴＰ１」乃至「ＣＴＰ９」のデータを用いて、「ＣＴｔｏｔａｌ」、「ＣＴ」の最大値や「ＣＴ」の標準偏差を更に算出してもよい。この結果、処理装置４２０は、クロストークに関する様々な情報を検出することができる。
【０１１６】
（セットアップ工程）
図１６は、セットアップ工程の概略的なフローチャートである。図１７は、セットアップ工程における測定条件を設定するための例示的なスクリーンを表す概略図である。図１、図３、図４、図１６及び図１７を用いて、セットアップ工程が説明される。
【０１１７】
（ステップＳ１１０）
セットアップ工程において、ステップＳ１１０が最初に実行される。ステップＳ１１０において、カメラ装置４１０が、表示面２１０の高さ寸法「Ｈ」から「約３Ｈ」の距離だけ離間して設置される。また、カメラ装置４１０が表示面２１０を全体的に撮像できるように、カメラ装置４１０の焦点や他の光学的設定が調整される。また、処理装置４２０がカメラ装置４１０に電気的に接続される。その後、ステップＳ１２０が実行される。
【０１１８】
（ステップＳ１２０）
ステップＳ１２０において、シャッタ装置４５０がカメラ装置４１０の前に配設される。この結果、観察者が表示装置２００を用いて、立体映像を観察する環境と近似した環境の下でのクロストークの測定が可能となる。その後、ステップＳ１３０が実行される。
【０１１９】
（ステップＳ１３０）
ステップＳ１３０において、測定条件の設定及び調整が行われる。例えば、表示装置２００のフレームレートが１２０Ｈｚ（第１画像ＦＩ：６０Ｈｚ，第２画像ＳＩ：６０Ｈｚ）であるならば、撮像システム４００による測定周波数は、６０Ｈｚに設定される。また、本実施形態において、表示面２１０全体について、「５×５×９」個の測定位置の数（（矩形領域ＲＳＲ１乃至ＲＳＲ５が表示される領域の数×第２パターン画像ＳＰＩ中の対角線（左上の角隅部から右下の角隅部を結ぶ対角線）上の水平帯状領域ＨＳＲ１乃至ＨＳＲ５が表示される領域の数）×表示領域２２１乃至２２９の数）が設定される。また、撮像データ中の輝度測定の位置が設定される。例えば、処理装置４２０は、図１７に示されるスクリーン画面を表示してもよい。使用者は、スクリーン画面を通じて、測定位置の数や測定位置の座標を設定することができる。必要に応じて、カメラ装置４１０の露光調整が実行されてもよい。その後、ステップＳ１４０が実行される。
【０１２０】
（ステップＳ１４０）
ステップＳ１４０において、表示装置２００のエイジングが行われる。表示面２１０に画像を表示した状態が、例えば、３０分又は１時間以上継続される。この結果、表示装置２００は、十分に暖められ、上述された表示工程の間における表示装置２００の動作が安定化される。尚、ステップＳ１４０は、ステップＳ１３０以前に行われてもよい。
【０１２１】
（表示工程及び撮像工程）
図１８は、表示工程及び撮像工程の概略的なフローチャートである。図１９Ａ及び図１９Ｂは、表示工程において用いられる画像の組み合わせの概略図である。図１、図３、図４、図１５、図１８乃至図１９Ｂを用いて、セットアップ工程が説明される。
【０１２２】
（ステップＳ２１０）
表示工程において、ステップＳ２１０が最初に実行される。ステップＳ２１０において、信号生成装置３００は、第２画像ＳＩを表示するための第２信号と、第１画像ＦＩを表示するための第１信号と、を交互に表示装置２００に出力する。この結果、表示装置２００は、第２画像ＳＩと第１画像ＦＩとを表示面２１０に交互に表示する（図１９Ａ参照）。尚、上述の如く、対比工程において、第２画像ＳＩは、先行して表示される映像として取り扱われる。第２画像ＳＩと第１画像ＦＩとの交互の表示が開始されると、ステップＳ３１０が実行される。尚、ステップＳ２１０は、表示工程に含まれる。
【０１２３】
（ステップＳ３１０）
ステップＳ３１０において、カメラ装置４１０は、表示面２１０を撮像し、処理装置４２０へ表示面２１０の撮像データを出力する。処理装置４２０は、撮像データに基づき、セットアップ工程において設定された測定位置における輝度を測定する。この結果、処理装置４２０は、上述の「ＣＴ」の算出のために用いられる「Ｙｘ％，ｙ％」のデータを取得する。尚、このとき、処理装置４２０は、セットアップ工程において第２パターン画像ＳＰＩ及び第１パターン画像ＦＰＩの左上の角隅部及び右下の角隅部に設定された測定位置における輝度を測定してもよい。この結果、処理装置４２０は、上述の「ＣＴ」の算出のために用いられる「Ｙ１００％，１００％」及び「Ｙ０％，０％」のデータを取得する。その後、ステップＳ２２０が実行される。尚、ステップＳ３１０は、撮像工程に含まれる。
【０１２４】
（ステップＳ２２０）
ステップＳ２２０において、信号生成装置３００は、第１画像ＦＩを表示するための第１信号を繰り返し表示装置２００に出力する。この結果、表示装置２００は、第１画像ＦＩを表示面２１０に繰り返し表示する（図１９Ｂ参照）。第１画像ＦＩの繰り返しの表示が開始されると、ステップＳ３２０が実行される。尚、ステップＳ２２０は、表示工程に含まれる。
【０１２５】
（ステップＳ３２０）
ステップＳ３２０において、カメラ装置４１０は、表示面２１０を撮像し、処理装置４２０へ表示面２１０の撮像データを出力する。処理装置４２０は、撮像データに基づき、セットアップ工程において設定された測定位置における輝度を測定する。この結果、処理装置４２０は、上述の「ＣＴ」の算出のために用いられる「Ｙｙ％，ｙ％」、「Ｙ１００％，１００％」及び「Ｙ０％，０％」のデータを取得する。
【０１２６】
代替的に、処理装置４２０は、第２パターン画像ＳＰＩ又は第１パターン画像ＦＰＩの左上の角隅部と右下の角隅部とを結ぶ対角線上に設定された測定位置における輝度を、「Ｙｙ％，ｙ％」、「Ｙ１００％，１００％」及び「Ｙ０％，０％」のデータを取得するために用いてもよい。この場合、ステップＳ２２０及びステップＳ３２０は省略されてもよい。しかしながら、この場合、「Ｙｙ％，ｙ％」、「Ｙ１００％，１００％」及び「Ｙ０％，０％」のデータが取得された測定位置と「Ｙｘ％，ｙ％」のデータが取得された測定位置が異なるので、クロストークのデータは、測定位置のずれに起因する誤差を含むこともある。
【０１２７】
（クロストークの測定結果）
図２０は、上述の測定から得られたクロストークの結果の概略図である。図２０を用いて、クロストークの測定結果が説明される。
【０１２８】
上述の測定は、表示領域２２１乃至２２９それぞれに対して、クロストークを評価することを可能にする。本実施形態において、表示面２１０は、概念的に９つの表示領域２２１乃至２２９に略等分割される。また、表示領域２２１乃至２２９に亘って、同一の第１パターン画像ＦＰＩ及び同一の第２パターン画像ＳＰＩが表示される。したがって、表示領域２２１乃至２２９それぞれに対して測定されたクロストークは、定量的に評価される。
【０１２９】
図２０に示される測定結果によれば、表示領域２２６及び表示領域２２９（領域ＣＴＺ）において、顕著なクロストークが観察される。したがって、使用者は、表示領域２２６及び表示領域２２９の輝度特性を変更することによって、表示性能が向上することを理解することができる。尚、使用者は、発生するクロストークに応じて、特定領域の左右の電圧レベル（信号レベル）の少なくとも一方のレベルを増減させるクロストークキャンセル処理（図示せず）のパラメータを調整してもよい。
【０１３０】
（表示装置の製造方法）
上述の如く、クロストークの測定結果に基づき、表示装置２００が製造されるならば、表示装置２００は、高品位の画像（即ち、クロストークが小さな画像）を表示することができる。
【０１３１】
図２１は、表示装置２００の製造工程の概略的なフローチャートである。図１、図６、図１５、図２０及び図２１を用いて、表示装置２００の製造方法が説明される。
【０１３２】
（ステップＳ０５０）
ステップＳ０５０において、組立工程が実行される。組立工程において、液晶ディスプレイパネルやプラズマディスプレイパネルといった表示部が筐体２１１に組み込まれ、表示装置２００が用意される。その後、図１５に関連して説明されたセットアップ工程（ステップＳ１００）、表示工程（ステップＳ２００）、撮像工程（ステップＳ３００）及び対比工程（ステップＳ４００）が実行される。対比工程の後、ステップＳ５００が実行される。
【０１３３】
（ステップＳ５００）
ステップＳ５００において、検査工程が実行される。対比工程において算出された「ＣＴ」（「ＣＴＰ１」乃至「ＣＴＰ９」）に対して、許容値（閾値）が予め設定されている。許容値を超える「ＣＴ」が表示領域２２１乃至２２９のうち少なくとも１つに現れるならば、ステップＳ６００が実行される。他の場合には、製造工程は終了し、表示装置２００が完成する。
【０１３４】
（ステップＳ６００）
ステップＳ６００において、調整工程が実行される。図２０に関連して説明された結果によれば、表示領域２２６及び表示領域２２９において、顕著なクロストーク（許容値を超える「ＣＴ」）が現れている。したがって、使用者は、表示領域２２６及び表示領域２２９の輝度特性が調整されるべきことを見極めることができる。
【０１３５】
図６に関連して説明された調整部２５０は、表示領域２２１乃至２２９それぞれに対して選択的に輝度特性を調整することを可能にする。したがって、図２０に関連して説明された測定結果を得た使用者は、調整部２５０を操作し、表示領域２２６及び表示領域２２９の輝度特性を調整することができる。その後、ステップＳ１００が再度実行され、クロストークが再度検査される。
【０１３６】
（クロストークの他の算出方法）
上述のクロストークの定量値（「ＣＴ」）の算出式において、白色表示をするための信号電圧値によって表示された領域の輝度（「Ｙ１００％，１００％」）と黒色表示をするための信号電圧値によって表示された領域の輝度（「Ｙ０％，０％」）との差分値が用いられている。代替的に、他の算出式に基づいて、クロストークの定量値が算出されてもよい。
【０１３７】
下記の数式は、先行して表示される画像パターンの輝度が後続の画像パターンの輝度より高いときに用いられる（ｘ％＞ｙ％）。即ち、下記の数式は、図１３に示される上側の三角形領域内で表示されるパターンに対するクロストークの評価に利用される。
【０１３８】
【数５】
2012056708.tif 000007
【０１３９】
下記の数式は、先行して表示される画像パターンの輝度が後続の画像パターンの輝度より低いときに用いられる（ｘ％＜ｙ％）。即ち、下記の数式は、図１３に示される下側の三角形領域内で表示されるパターンに対するクロストークの評価に利用される。
【０１４０】
【数６】
2012056708.tif 000008
【０１４１】
図２２Ａ及び図２２Ｂは、上述の２つの数式に基づき、クロストークが評価されるときに用いられるパターン画像の組み合わせの概略図である。図１５、図１９Ａ、図１９Ｂ、図２２Ａ及び図２２Ｂを用いて、クロストークの定量化に用いられるパターン画像の他の組み合わせが説明される。
【０１４２】
上述の２つの数式が用いられるならば、図１９Ａ及び図１９Ｂに関連して説明されたパターン画像の組み合わせに加えて、図２２Ａ及び図２２Ｂに示されるパターン画像の組み合わせが用いられる。図２２Ａに示される組み合わせに関して、第１画像ＦＩは、クロストークの定量値を算出するために、先に表示される画像として取り扱われる。また、第２画像ＳＩは、第１画像ＦＩの後に表示される画像として取り扱われる。図２２Ｂに示される組み合わせは、第２画像ＳＩが繰り返し表示されることを意味する。
【０１４３】
図１５及び図１８に関連して説明された表示工程において、２つの組み合わせパターンで画像が表示される（ステップＳ２１０及びステップＳ２２０）。図２２Ａ及び図２２Ｂに示される画像パターンの組み合わせが用いられるならば、表示工程において、４つの組み合わせパターンが、順次、表示される。表示されたパターン画像の組み合わせそれぞれに対して、輝度が測定される。この結果、上述の２つの数式で用いられたパラメータ「Ｙｘ％，ｘ％」，「Ｙｙ％，ｙ％」のデータが取得される。
【０１４４】
（他のパターン画像）
図２３Ａは、他の第１画像ＦＪの概略図である。図２３Ｂは、他の第２画像ＳＪの概略図である。図３と図２３Ａとを比較し、他の第１画像ＦＪが説明される。図４と図２３Ｂとを比較し、他の第２画像ＳＪが説明される。
【０１４５】
図２３Ａに示される如く、表示面２１０は、表示領域２２１乃至２２９に概念的に区分される。図２３Ａにおいて、表示領域２２１乃至２２９への概念的な区分は、中央の表示領域２２１が第１パターン画像ＦＰＩによって占められるように規定されている。
【０１４６】
表示領域２２２、２２５、２２７に示される第１画像ＦＪの第１パターン画像ＦＰＩは、図３に示される第１パターン画像ＦＰＩの位置よりも右方にずらされている。この結果、表示領域２２２、２２５、２２７に示される第１画像ＦＪの第１パターン画像ＦＰＩは、表示領域２２３、２２１、２２８に示される第１パターン画像ＦＰＩと一体的に視認される。
【０１４７】
表示領域２２４、２２６、２２９に示される第１画像ＦＪの第１パターン画像ＦＰＩは、図３に示される第１パターン画像ＦＰＩの位置よりも左方にずらされている。この結果、表示領域２２４、２２６、２２９に示される第１画像ＦＪの第１パターン画像ＦＰＩは、表示領域２２３、２２１、２２８に示される第１パターン画像ＦＰＩと一体的に視認される。
【０１４８】
第２画像ＳＪは、第１画像ＦＪの複数の第１パターン画像ＦＰＩの表示位置それぞれと対応する位置に表示される複数の第２パターン画像ＳＰＩを含む。図２３Ａ及び図２３Ｂに示される第１パターン画像ＦＰＩ及び第２パターン画像ＳＰＩは、表示面２１０の中央に密集している。したがって、クロストークが認識されやすい表示面２１０の中央領域におけるクロストークが高い精度で検出される。
【０１４９】
図２４は、図２３Ｂに示される第２画像ＳＪの寸法値を示す。図２１及び図２４を用いて、更に改良されたパターン画像が説明される。
【０１５０】
図２４に示される第２画像ＳＪが映し出された表示面２１０は、全体として、「略２４％グレイ」の反射率を有する。水平帯状領域ＨＳＲ１乃至ＨＳＲ５の高さ寸法は、「６４」である。矩形領域ＲＳＲ１乃至ＲＳＲ５の高さ寸法は、「１６」である。矩形領域ＲＳＲ１乃至ＲＳＲ５は、水平帯状領域ＨＳＲ１乃至ＨＳＲ５の中心（垂直方向において）に配設される。したがって、矩形領域ＲＳＲ１乃至ＲＳＲ５の上縁と水平帯状領域ＨＳＲ１乃至ＨＳＲ５の下縁との間の寸法「Ｈ１」並びに矩形領域ＲＳＲ１乃至ＲＳＲ５の下縁と水平帯状領域ＨＳＲ１乃至ＨＳＲ５の下縁との間の寸法「Ｈ１」は、それぞれ「１６」となる。
【０１５１】
水平帯状領域ＨＳＲ１乃至ＨＳＲ５の高さ寸法が、「６４」から「４８」に変更されるならば、上述の寸法「Ｈ１」の値は、「８」となる。このとき、図２４に示される第２画像ＳＪが映し出された表示面２１０は、全体として、「略１８％グレイ」の反射率を有する。かくして、クロストークは、標準的な光学的環境の下、検出されることとなる。
【０１５２】
第２画像ＳＪの第２パターン画像ＳＰＩは、それぞれ「４８０」の幅寸法値「Ｗ１」（水平方向）を有する。第２パターン画像ＳＰＩの幅寸法「Ｗ１」が、「４８０」から「３６０」に変更されるならば、高さ寸法「Ｈ１」の変更と同様に、図２４に示される第２画像ＳＪが映し出された表示面２１０は、全体として、「略１８％グレイ」の反射率を有することとなる。
【０１５３】
図２１に関連して説明された表示工程において表示面２１０の平均輝度が、１５％以上２５％以下となるように、第１画像及び第２画像のパターンの寸法が設定されることが好ましい。この結果、使用者が映像を視聴する環境に近似した条件下で、クロストークの検出が行われることとなる。
【０１５４】
図２５は、他の第２画像ＳＫの概略図である。図３、図４、図８及び図２５を用いて、第２画像ＳＫが説明される。
【０１５５】
第２画像ＳＫは、上述の第２画像ＳＩに代えて、第１画像ＦＩとともに用いられてもよい。第２画像ＳＫは、表示領域２２１乃至２２９それぞれに表示された９つの第２パターン画像ＳＰＫを含む。
【０１５６】
第２パターン画像ＳＰＫは、上述の第２パターン画像ＳＰＩと同様に、水平帯状領域ＨＳＲ１乃至ＨＳＲ５を含む。第２パターン画像ＳＰＫは、水平帯状領域ＨＳＲ１乃至ＨＳＲ５内でそれぞれ表示されるグラデーション帯状領域ＧＳＲを更に含む。グラデーション帯状領域ＧＳＲは、水平帯状領域ＨＳＲ１乃至ＨＳＲ５と同様に水平方向に延びる。グラデーション帯状領域ＧＳＲの輝度は、グラデーション帯状領域ＧＳＲの左端から右端に向けて徐々に高くなっている。本実施形態において、グラデーション帯状領域ＧＳＲは、副領域として例示される。
【０１５７】
第２画像ＳＫがクロストークの検出に用いられるならば、クロストークが発生している表示面２１０の領域が視覚的に把握されやすくなる。したがって、第２画像ＳＫは、直感的なクロストークの検出に好適に用いられる。
【０１５８】
図２６は、他の第２パターン画像ＳＰＬの概略図である。図８及び図２６を対比して、第２パターン画像ＳＰＬが説明される。
【０１５９】
第２パターン画像ＳＰＬは、図８に関連して説明された第２パターン画像ＳＰＩと同様に、水平帯状領域ＨＳＲ１乃至ＨＳＲ５を含む。しかしながら、図８に関連して説明された第２パターン画像ＳＰＩとは異なり、第２パターン画像ＳＰＬは、矩形領域ＲＳＲ１乃至ＲＳＲ５に代えて、水平帯状領域ＨＳＲ１乃至ＨＳＲ５よりも小さな円形領域ＣＳＲ１乃至ＣＳＲ５を含む。
【０１６０】
円形領域ＣＳＲ１は、「０％」の輝度レベルで表示される領域である。円形領域ＣＳＲ２は、「２５％」の輝度レベルで表示される領域である。円形領域ＣＳＲ３は、「５０％」の輝度レベルで表示される領域である。円形領域ＣＳＲ４は、「７５％」の輝度レベルで表示される領域である。円形領域ＣＳＲ５は、「１００％」の輝度レベルで表示される領域である。
【０１６１】
水平帯状領域ＨＳＲ１内において、水平帯状領域ＨＳＲ１の輝度レベルとは異なる輝度レベルで表現される４つの円形領域ＣＳＲ２乃至ＣＳＲ５が表示される。水平帯状領域ＨＳＲ２内において、水平帯状領域ＨＳＲ２の輝度レベルとは異なる輝度レベルで表現される４つの円形領域ＣＳＲ１，ＣＳＲ３乃至ＣＳＲ５が表示される。水平帯状領域ＨＳＲ３内において、水平帯状領域ＨＳＲ３の輝度レベルとは異なる輝度レベルで表現される４つの円形領域ＣＳＲ１，ＣＳＲ２，ＣＳＲ４，ＣＳＲ５が表示される。水平帯状領域ＨＳＲ４内において、水平帯状領域ＨＳＲ４の輝度レベルとは異なる輝度レベルで表現される４つの円形領域ＣＳＲ１乃至ＣＳＲ３，ＣＳＲ５が表示される。水平帯状領域ＨＳＲ５内において、水平帯状領域ＨＳＲ５の輝度レベルとは異なる輝度レベルで表現される４つの円形領域ＣＳＲ１乃至ＣＳＲ４が表示される。本実施形態において、円形領域ＣＳＲ１乃至ＣＳＲ５は、副領域としてそれぞれ例示される。水平帯状領域ＨＳＲ１内において表示される４つの円形領域ＣＳＲ２乃至ＣＳＲ５のグループ、水平帯状領域ＨＳＲ２内において表示される４つの円形領域ＣＳＲ１，ＣＳＲ３乃至ＣＳＲ５のグループ、水平帯状領域ＨＳＲ３内において表示される４つの円形領域ＣＳＲ１，ＣＳＲ２，ＣＳＲ４，ＣＳＲ５のグループ、水平帯状領域ＨＳＲ４内において表示される４つの円形領域ＣＳＲ１乃至ＣＳＲ３，ＣＳＲ５のグループ及び水平帯状領域ＨＳＲ４内において表示される４つの円形領域ＣＳＲ１乃至ＣＳＲ４のグループは、第１領域グループとして、それぞれ例示される。
【０１６２】
「０％」の輝度レベルで表現される４つの円形領域ＣＳＲ１、「２５％」の輝度レベルで表現される４つの円形領域ＣＳＲ２、「５０％」の輝度レベルで表現される４つの円形領域ＣＳＲ３、「７５％」の輝度レベルで表現される４つの円形領域ＣＳＲ４及び「１００％」の輝度レベルで表現される４つの円形領域ＣＳＲ５は、垂直方向に整列している。４つの円形領域ＣＳＲ１のグループ、４つの円形領域ＣＳＲ２のグループ、４つの円形領域ＣＳＲ３のグループ、４つの円形領域ＣＳＲ４のグループ及び４つの円形領域ＣＳＲ５のグループは、第２領域グループとして、それぞれ例示される。４つの円形領域ＣＳＲ１のグループ、４つの円形領域ＣＳＲ２のグループ、４つの円形領域ＣＳＲ３のグループ、４つの円形領域ＣＳＲ４のグループ及び４つの円形領域ＣＳＲ５のグループは、水平方向に略等間隔に整列する。
【０１６３】
図２７Ａは、他の第１パターン画像ＦＰＭの概略図である。図２７Ｂは、他の第２パターン画像ＳＰＭの概略図である。図７と図２７Ａとの対比及び図８と図２７Ｂとの対比の下、第１パターン画像ＦＰＭ及び第２パターン画像ＳＰＭが説明される。
【０１６４】
第１パターン画像ＦＰＭは、垂直方向に延びる５つの垂直帯状領域ＶＳＲ１乃至ＶＳＲ５を含む。垂直帯状領域ＶＳＲ１は、第１パターン画像ＦＰＭ中、最も右方の領域である。垂直帯状領域ＶＳＲ５は、第１パターン画像ＦＰＭ中、最も左方の領域である。垂直帯状領域ＶＳＲ２は、垂直帯状領域ＶＳＲ１に隣接する領域である。垂直帯状領域ＶＳＲ４は、垂直帯状領域ＶＳＲ５に隣接する領域である。垂直帯状領域ＶＳＲ３は、垂直帯状領域ＶＳＲ２と垂直帯状領域ＶＳＲ４との間の領域である。本実施形態において、垂直方向に整列した垂直帯状領域ＶＳＲ１乃至ＶＳＲ５は、同形同大である。代替的に、垂直帯状領域ＶＳＲ１乃至ＶＳＲ５は、互いに異なる長さ或いは幅を有してもよい。本実施形態において、垂直帯状領域ＶＳＲ１乃至ＶＳＲ５それぞれは、第１主領域として例示される。
【０１６５】
本実施形態において、垂直帯状領域ＶＳＲ１の輝度レベルは、「０％」である。垂直帯状領域ＶＳＲ５の輝度レベルは、「１００％」である。垂直帯状領域ＶＳＲ２の輝度レベルは、「２５％」である。垂直帯状領域ＶＳＲ３の輝度レベルは、「５０％」である。垂直帯状領域ＶＳＲ４の輝度レベルは、「７５％」である。垂直帯状領域ＶＳＲ１乃至ＶＳＲ５のうち１つは、第１主領域として例示される。例えば、垂直帯状領域ＶＳＲ１が第１主領域として例示されるならば、「０％」の輝度レベルは、第１輝度として例示される。このとき、垂直帯状領域ＶＳＲ１よりも高い輝度レベルで表現される垂直帯状領域ＶＳＲ２乃至ＶＳＲ５のうち１つは、第２主領域として例示される。例えば、垂直帯状領域ＶＳＲ２が第２主領域として例示されるならば、「２５％」の輝度レベルは、第２輝度として例示される。このとき、垂直帯状領域ＶＳＲ２よりも高い輝度レベルで表現される垂直帯状領域ＶＳＲ３乃至ＶＳＲ５のうち１つは、第３主領域として例示される。例えば、垂直帯状領域ＶＳＲ３が第３主領域として例示されるならば、「５０％」の輝度レベルは、第３輝度として例示される。
【０１６６】
第２パターン画像ＳＰＭは、第１パターン画像ＦＰＭと同様に、垂直帯状領域ＶＳＲ１乃至ＶＳＲ５を含む。第２パターン画像ＳＰＭは、垂直帯状領域ＶＳＲ１乃至ＶＳＲ５よりも小さな矩形領域ＲＳＲ１乃至ＲＳＲ５を更に含む。
【０１６７】
垂直帯状領域ＶＳＲ１内において、垂直帯状領域ＶＳＲ１の輝度レベルとは異なる輝度レベルで表現される４つの矩形領域ＲＳＲ２乃至ＲＳＲ５が表示される。垂直帯状領域ＶＳＲ２内において、垂直帯状領域ＶＳＲ２の輝度レベルとは異なる輝度レベルで表現される４つの矩形領域ＲＳＲ１，ＲＳＲ３乃至ＲＳＲ５が表示される。垂直帯状領域ＶＳＲ３内において、垂直帯状領域ＶＳＲ３の輝度レベルとは異なる輝度レベルで表現される４つの矩形領域ＲＳＲ１，ＲＳＲ２，ＲＳＲ４，ＲＳＲ５が表示される。垂直帯状領域ＶＳＲ４内において、垂直帯状領域ＶＳＲ４の輝度レベルとは異なる輝度レベルで表現される４つの矩形領域ＲＳＲ１乃至ＲＳＲ３，ＲＳＲ５が表示される。垂直帯状領域ＶＳＲ５内において、垂直帯状領域ＶＳＲ５の輝度レベルとは異なる輝度レベルで表現される４つの矩形領域ＲＳＲ１乃至ＲＳＲ４が表示される。垂直帯状領域ＶＳＲ１内において表示される４つの矩形領域ＲＳＲ２乃至ＲＳＲ５のグループ、垂直帯状領域ＶＳＲ２内において表示される４つの矩形領域ＲＳＲ１，ＲＳＲ３乃至ＲＳＲ５のグループ、垂直帯状領域ＶＳＲ３内において表示される４つの矩形領域ＲＳＲ１，ＲＳＲ２，ＲＳＲ４，ＲＳＲ５のグループ、垂直帯状領域ＶＳＲ４内において表示される４つの矩形領域ＲＳＲ１乃至ＲＳＲ３，ＲＳＲ５のグループ及び垂直帯状領域ＶＳＲ５内において表示される４つの矩形領域ＲＳＲ１乃至ＲＳＲ４のグループは、第１領域グループとして、それぞれ例示される。
【０１６８】
本実施形態において、主領域としてそれぞれ例示される垂直帯状領域ＶＳＲ１乃至ＶＳＲ５は、垂直方向にそれぞれ延びる。したがって、垂直方向は、第１方向として例示される。
【０１６９】
「０％」の輝度レベルで表現される４つの矩形領域ＲＳＲ１、「２５％」の輝度レベルで表現される４つの矩形領域ＲＳＲ２、「５０％」の輝度レベルで表現される４つの矩形領域ＲＳＲ３、「７５％」の輝度レベルで表現される４つの矩形領域ＲＳＲ４及び「１００％」の輝度レベルで表現される４つの矩形領域ＲＳＲ５は、水平方向に整列している。本実施形態において、水平方向は、第２方向として例示される。４つの矩形領域ＲＳＲ１のグループ、４つの矩形領域ＲＳＲ２のグループ、４つの矩形領域ＲＳＲ３のグループ、４つの矩形領域ＲＳＲ４のグループ及び４つの矩形領域ＲＳＲ５のグループは、第２領域グループとして、それぞれ例示される。４つの矩形領域ＲＳＲ１のグループ、４つの矩形領域ＲＳＲ２のグループ、４つの矩形領域ＲＳＲ３のグループ、４つの矩形領域ＲＳＲ４のグループ及び４つの矩形領域ＲＳＲ５のグループは、垂直方向に略等間隔に整列する。
【０１７０】
上述の様々なパターン画像に関して、第１パターン画像の平均輝度は、第２パターン画像の平均輝度と略一致している。例えば、図７及び図８を参照するならば、４つの矩形領域ＲＳＲ１が水平帯状領域ＨＳＲ１中で表示される４つの矩形領域ＲＳＲ２乃至ＲＳＲ５と入れ替えられるならば、第１パターン画像ＦＰＩの水平帯状領域ＨＳＲ１に略一致することが分かる。同様に、第２パターン画像ＳＰＩ中の矩形領域ＲＳＲ１乃至ＲＳＲ５の位置が変更されるならば、第１パターン画像ＦＰＩと等しいパターンの画像が作り出される。このことは、平均輝度の変動に起因するクロストークの検出誤差を低減させる。
【０１７１】
（信号生成プログラム）
図５に関連して説明された如く、第１画像及び第２画像を表示するために、信号生成装置３００は、第１信号及び第２信号を出力する。第１信号及び第２信号は、例えば、信号生成部３２０として用いられるＣＰＵが実行するプログラムに従って生成されてもよい。尚、プログラムは、第１画像及び第２画像のデータを格納する記憶部３１０に記憶されてもよいし、他の記憶媒体に格納されてもよい。
【０１７２】
図２８は、信号生成装置３００に第１信号及び第２信号を生成させるための信号生成プログラムが実行する処理を概略的に示すフローチャートである。図５、図１５及び図２８を用いて、信号生成プログラムが説明される。
【０１７３】
（ステップＳ７１０）
図１５に関連して説明されたセットアップ工程が完了すると、信号生成プログラムは、ステップＳ７１０を実行する。ステップＳ７１０において、信号生成プログラムは、第１画像及び第２画像のうち一方を、表示される画像として選択する。尚、最初の処理ルーチンにおいて、信号プログラムは、第１画像及び第２画像のうち一方を、デフォルトで選択してもよい。直前の処理ルーチンで第１画像が選択されているならば、その後の処理ルーチンにおいて、第２画像が選択される。直前の処理ルーチンで第２画像が選択されているならば、その後の処理ルーチンにおいて、第１画像が選択される。ステップＳ７１０において、第１画像が選択されるならば、ステップＳ７２０が実行される。ステップＳ７２０において、第２画像が選択されるならば、ステップＳ７５０が実行される。
【０１７４】
（ステップＳ７２０）
ステップＳ７２０において、信号生成プログラムは、第１ディレクトリ３１１から第１画像のデータを信号生成部３２０に読み出させる。その後、ステップＳ７３０が実行される。
【０１７５】
（ステップＳ７３０）
ステップＳ７３０において、信号生成プログラムは、信号生成部３２０に、第１画像のデータに基づき、第１信号を生成させる。信号生成プログラムは、その後、信号生成部３２０に、第１信号を出力部３３０に向けて出力させる。第１信号が出力部３３０に入力されると、ステップＳ７４０が実行される。
【０１７６】
（ステップＳ７４０）
ステップＳ７４０において、信号生成プログラムは、出力部３３０に、第１信号を表示装置２００に向けて出力させる。この結果、表示装置２００は、第１画像を出力する。第１信号が表示装置２００に出力されると、ステップＳ７８０が実行される。
【０１７７】
（ステップＳ７５０）
ステップＳ７５０において、信号生成プログラムは、第２ディレクトリ３１２から第２画像のデータを信号生成部３２０に読み出させる。その後、ステップＳ７６０が実行される。
【０１７８】
（ステップＳ７６０）
ステップＳ７６０において、信号生成プログラムは、信号生成部３２０に、第２画像のデータに基づき、第２信号を生成させる。信号生成プログラムは、その後、信号生成部３２０に、第２信号を出力部３３０に向けて出力させる。第２信号が出力部３３０に入力されると、ステップＳ７７０が実行される。
【０１７９】
（ステップＳ７７０）
ステップＳ７７０において、信号生成プログラムは、出力部３３０に、第２信号を表示装置２００に向けて出力させる。この結果、表示装置２００は、第２画像を出力する。第２信号が表示装置２００に出力されると、ステップＳ７８０が実行される。
【０１８０】
（ステップＳ７８０）
ステップＳ７８０において、信号生成プログラムは、第１画像又は第２画像の表示動作が継続するか否かを判定する。表示動作が継続されるか否かの判定は、例えば、セットアップ工程において設定された測定時間や他の判断基準に基づいてもよい。表示動作が継続されないと判定されるならば、信号生成プログラムは、処理を終了する。表示動作が継続されると判定されるならば、ステップＳ７１０が再度実行される。
【０１８１】
上述の実施形態において、アクティブ方式での表示環境の下、クロストークの評価が行われている。しかしながら、上述の実施形態の原理は、パッシブ方式の表示環境にも適用可能である。例えば、表示装置は、偏光特性を変えて、パターン画像を表示してもよい。また、シャッタ装置４５０に代えて、偏光フィルタや、映像光の偏光特性に応じて、光の透過或いは遮断を選択することができる他の光学素子が用いられてもよい。このような光学的環境下においても、クロストークは適切に検出並びに評価される。
【０１８２】
上述の実施形態において、グレイスケールを用いて、クロストークの評価が行われている。しかしながら、上述の実施形態の原理は、例えば、三原色（ＲＧＢ）のうち１つの色相の発光に対して適用されてもよい。
【０１８３】
（本実施形態の利点）
本実施形態の原理は、表示面２１０に亘って複数のパターン画像（第１パターン画像又は第２パターン画像）が同時に表示される点に特徴付けられる。表示面に亘って単一のパターン画像が表示されるならば、表示面上で観察されたクロストークが表示面の輝度特性に起因するものなのか、或いは、パターン画像に起因するものなのかを判定することは困難である。表示面の輝度特性に起因するクロストークを見極めるために単一のパターン画像が用いられるならば、表示面の一部に単一のパターン画像を表示し、クロストークが見極められる必要がある。その後、単一のパターン画像の表示位置を変え、別途、クロストークの評価が実行される必要がある。かくして、表示面の輝度特性に起因するクロストークを見極めるために単一のパターン画像が用いられるならば、クロストークの測定が繰り返される必要がある。
【０１８４】
クロストークの測定の繰り返しは、測定間での誤差を生じさせる。例えば、一の測定と他の測定との間で、表示面の温度が変化することもある。表示面の温度は、クロストークの発生に密接に関連するので、クロストークの測定回数が増加するならば、測定データ間に含まれる誤差が大きくなる。
【０１８５】
本実施形態において、表示面２１０に亘って複数のパターン画像（第１パターン画像又は第２パターン画像）が同時に表示される。したがって、クロストークの測定は、繰り返される必要はほとんどない。このため、本実施形態の原理に従って取得されたクロストークのデータは、表示面２１０の経時的な温度変化に起因する誤差をほとんど含まない。
【０１８６】
図２９は、単一のパターン画像が表示される表示環境下でのクロストークの測定の概略図である。図２９の測定手法との比較の下、本実施形態の利点が更に説明される。
【０１８７】
図２９には、表示面の中央に対向する第１測定位置に配設された撮像システムによる測定と、第１測定位置より左の第２測定位置に配設された撮像システムによる測定と、が示されている。図２９に示される表示面の左上の角隅部にパターン画像が表示されている。
【０１８８】
第１測定位置と第２測定位置との間では、パターン画像の撮像角度が異なる。撮像角度の相違は、第１測定位置で測定されたクロストークのデータと第２測定位置で測定されたクロストークのデータとの間でのずれを生じさせる。また、多くの場合、映像を視聴する視聴者は、表示面の中央に正対するので、第２測定位置で測定されたクロストークのデータは、実際の視聴者が知覚するクロストークの乖離する可能性もある。
【０１８９】
図１に示される如く、本実施形態において、撮像システム４００は、表示面２１０に対して、正対される。加えて、撮像システム４００は、表示面２１０を全体的に撮像する。したがって、撮像システム４００は、視聴者の実際の視聴環境下に近い光学的設定の下、クロストークを測定することができる。
【０１９０】
上述の様々な実施形態は、単に例示的なものである。したがって、上述の実施形態の原理は、上記の詳細な説明や図面に記載の事項に限定されない。上述の実施形態の原理の範囲内で、当業者が様々な変形、組み合わせや省略を行うことができることは容易に理解される。
【０１９１】
上述された実施形態は、以下の特徴を主に備える。
【０１９２】
上述の実施形態の一の局面に係る表示装置に入力された画像信号に含まれる複数の同一パターン画像によって区画される複数の表示領域を含む表示面に現れるクロストークの検出方法は、異なる輝度で表現される複数の主領域をそれぞれ含む複数の第１パターン画像を有する第１画像と、前記複数の主領域と前記複数の主領域内においてそれぞれ異なる輝度で表現される複数の副領域とをそれぞれ含む第２パターン画像を複数有する第２画像とを前記表示面に表示する段階と、前記表示面を撮像し、撮像データを得る段階と、前記第１画像及び前記第２画像のうち少なくとも一方と前記撮像データとを対比し、クロストークを検出する段階と、を備え、前記第１パターン画像及び前記第２パターン画像は、前記表示面の中央に位置する中央領域及び該中央領域に隣接する隣接領域それぞれに表示されることを特徴とする。
【０１９３】
上記構成によれば、表示面は、表示装置に入力された画像信号に含まれる複数の同一パターン画像によって区画される複数の表示領域を含む。複数の第１パターン画像を含む第１画像及び複数の第２パターン画像を含む第２画像を表示する表示面が撮像され、撮像データが得られる。第１画像及び第２画像のうち少なくとも一方は、撮像データと対比される。この結果、表示面上に現れたクロストークが適切に検出される。表示面に表示された複数の第１パターン画像及び複数の第２パターン画像の撮像データに基づき、クロストークが検出されるので、クロストークのデータは、経時的な温度変化の影響を受けにくくなる。かくして、クロストークのデータは、高い再現性を有する。
【０１９４】
第１パターン画像は、異なる輝度で表現される複数の主領域を含む。第２パターン画像は、複数の主領域と、複数の主領域内においてそれぞれ表現される複数の副領域と、を含む。副領域は、副領域を取り囲む主領域とは異なる輝度で表現される。したがって、第１画像及び第２画像のうち少なくとも一方と撮像データとを対比の結果、クロストークが適切に検出される。
【０１９５】
表示面は、前記第１パターン画像がそれぞれ表示される複数の表示領域を含む。複数の表示領域は、表示面の中央に位置する中央領域と、中央領域に隣接する隣接領域と、を含む。第１パターン画像は、中央領域及び隣接領域それぞれに表示される。第２パターン画像も、中央領域及び隣接領域それぞれに表示される。この結果、中央領域及び隣接領域におけるクロストークが略同時に検出される。したがって、クロストークのデータは、表示領域間で経時的な温度変化の影響を受けにくくなる。かくして、クロストークのデータは、高い再現性を有する。
【０１９６】
上述の如く、中央領域及び隣接領域におけるクロストークが略同時に検出されるので、視聴者が実際の映像を視聴する条件に近い条件下で、クロストークが検出される。したがって、検出されたクロストークのデータは、高い信頼性を有する。
【０１９７】
上記構成において、前記表示面は、前記中央領域と、該中央領域を取り囲むように配置された複数の隣接領域に区画され、前記第１パターン画像は、前記中央領域及び前記複数の隣接領域それぞれに表示され、前記第２パターン画像は、前記中央領域及び前記複数の隣接領域それぞれに表示されることが好ましい。
【０１９８】
上記構成によれば、表示面は、表示面の中央に位置する中央領域と、中央領域を取り囲むように配置された複数の隣接領域と、に区画される。第１パターン画像は、中央領域及び複数の隣接領域それぞれに表示される。第２パターン画像も、中央領域及び複数の隣接領域それぞれに表示される。この結果、表示面全体におけるクロストークが略同時に検出される。したがって、クロストークのデータは、経時的な温度変化の影響を受けにくくなる。かくして、クロストークのデータは、高い再現性を有する。
【０１９９】
上述の如く、中央領域及び複数の隣接領域におけるクロストークが略同時に検出されるので、視聴者が実際の映像を視聴する条件に近い条件下で、クロストークが検出される。したがって、検出されたクロストークのデータは、高い信頼性を有する。
【０２００】
上記構成において、前記表示面は、９つの表示領域に区画されることが好ましい。
【０２０１】
上記構成によれば、表示面は、９つの表示領域に区画されるので、第１パターン画像は、９つの表示領域それぞれに表示される。第２パターン画像も、９つの表示領域それぞれに表示される。この結果、表示面全体におけるクロストークが略同時に検出される。したがって、クロストークのデータは、経時的な温度変化の影響を受けにくくなる。かくして、クロストークのデータは、高い再現性を有する。
【０２０２】
上述の如く、９つの表示領域におけるクロストークが略同時に検出されるので、視聴者が実際の映像を視聴する条件に近い条件下で、クロストークが検出される。したがって、検出されたクロストークのデータは、高い信頼性を有する。
【０２０３】
上記構成において、前記複数の主領域は、第１輝度で表される第１主領域と、該第１輝度よりも高い第２輝度で表される第２主領域と、前記第２輝度よりも高い第３輝度で表される第３主領域と、を含むことが好ましい。
【０２０４】
上記構成によれば、複数の主領域は、第１輝度で表される第１主領域と、第１輝度よりも高い第２輝度で表される第２主領域と、第２輝度よりも高い第３輝度で表される第３主領域と、を含む。したがって、中間階調で表現される領域のクロストークが適切に検出される。
【０２０５】
上記構成において、前記複数の主領域は、第１輝度で表される第１主領域を含み、前記複数の副領域は、前記第１主領域内において互いに異なる輝度で表現される複数の領域からなる第１領域グループを含むことが好ましい。
【０２０６】
上記構成によれば、複数の主領域は、第１輝度で表される第１主領域を含む。複数の副領域は、第１主領域内で表現される複数の領域からなる第１領域グループを含む。第１領域グループの複数の領域の輝度は互いに異なるので、中間階調で表現される領域のクロストークが適切に検出される。
【０２０７】
上記構成において、前記副領域は、矩形又は円形であることが好ましい。
【０２０８】
上記構成によれば、副領域は、矩形又は円形であるので、クロストークを定量的に評価するための演算が容易となる。
【０２０９】
上記構成において、前記複数の主領域は、第１輝度で表される第１主領域を含み、該第１主領域は、水平方向に延びる水平帯状領域又は垂直方向に延びる垂直帯状領域であり、前記第１主領域内の前記副領域は、前記水平帯状領域内で前記水平方向に輝度が増大又は減少するグラデーションパターン又は前記垂直帯状領域内で前記垂直方向に輝度が増大又は減少するグラデーションパターンを形成することが好ましい。
【０２１０】
上記構成によれば、複数の主領域は、第１輝度で表される第１主領域を含む。第１主領域は、水平方向に延びる水平帯状領域又は垂直方向に延びる垂直帯状領域である。第１主領域内の副領域は、水平帯状領域内で水平方向に輝度が増大又は減少するグラデーションパターン又は垂直帯状領域内で垂直方向に輝度が増大又は減少するグラデーションパターンを形成するので、クロストークの発生領域が定性的に把握されやすくなる。
【０２１１】
上記構成において、前記第１主領域は、第１方向に延びる帯状領域であり、前記複数の副領域は、前記第１方向に対して直交する第２方向に整列する複数の領域をそれぞれ有する複数の第２領域グループを含み、該複数の第２領域グループは、前記第１方向に等間隔に整列することが好ましい。
【０２１２】
上記構成によれば、第１主領域は、第１方向に延びる帯状領域である。複数の副領域は、第１方向に対して直交する第２方向に整列する複数の領域をそれぞれ有する複数の第２領域グループを含む。第１方向に等間隔に整列するので、クロストークを定量的に評価するための演算が容易となる。
【０２１３】
上記構成において、前記第１パターン画像の平均輝度は、前記第２パターン画像の平均輝度に等しいことが好ましい。
【０２１４】
上記構成によれば、第１パターン画像の平均輝度は、第２パターン画像の平均輝度に等しいので、第１パターン画像と第２パターン画像との間の輝度差に影響を受けることなくクロストークが検出される。
【０２１５】
上記構成において、前記第１画像と前記第２画像とを前記表示面に表示する段階において、前記表示面の平均輝度は、１５％以上２５％以下の範囲に保たれることが好ましい。
【０２１６】
上記構成によれば、第１画像と第２画像とを表示面に表示する段階において、表示面の平均輝度は、１５％以上２５％以下の範囲に保たれるので、実際の視聴環境に則した条件下でクロストークが検出される。
【０２１７】
上述の実施形態の他の局面に係る表示装置の表示面上に現れるクロストークの検出に用いられる画像を表示するための画像信号を生成する信号生成装置は、互いに異なる輝度で表現される複数の主領域をそれぞれ含む複数の第１パターン画像を有する第１画像を前記表示面に表示するための第１信号と、前記複数の主領域と前記複数の主領域内において前記主領域とは異なる輝度で表示される複数の副領域とをそれぞれ含む複数の第２パターン画像を有する第２画像を前記表示面に表示するための第２信号と、を生成する信号生成部と、前記第１信号と前記第２信号とを出力する出力部と、を備え、前記信号生成部は、前記複数の第１パターン画像それぞれが表示される領域として区画された複数の表示領域に、前記複数の第２パターン画像がそれぞれ表示されるように前記第２信号を生成することを特徴とする。
【０２１８】
上記構成によれば、信号生成装置は、表示装置の表示面上に現れるクロストークの検出に用いられる画像を表示するための画像信号を生成する。信号生成装置の信号生成部は、複数の第１パターン画像を表示面に表示するための第１信号と、第２パターン画像を表示面に表示するための第２信号と、を生成する。信号生成装置の出力部は、第１信号と第２信号とを出力する。この結果、第１画像の複数の第１パターン画像は、表示面に表示される。同様に、複数の第２パターン画像は、複数の第１パターン画像それぞれが表示される領域として区画された複数の表示領域に、複数の第２パターン画像がそれぞれ表示される。したがって、表示面中において経時的な温度変化の影響の少ないクロストークが表示面に現れる。また、表示面中においてクロストークが略同時に表示されるので、視聴者が実際の映像を視聴する条件に近い条件下でのクロストークがシミュレーションされる。
【０２１９】
第１パターン画像は、異なる輝度で表現される複数の主領域を含む。第１信号は、前記複数の主領域を互いに異なる輝度で表現する。第２パターン画像は、複数の主領域と、複数の主領域内で表示される複数の副領域と、を含む。第２信号は、副領域を、副領域を取り囲む主領域とは異なる輝度で表現する。したがって、クロストークが表示面に適切に現れる。
【０２２０】
上述の実施形態の他の局面に係る表示装置に入力された画像信号に含まれる複数の同一パターン画像によって区画される複数の表示領域を含む表示装置の表示面上に現れるクロストークを検出するための画像ファイルを記憶したコンピュータ可読媒体は、互いに異なる輝度で表現される複数の主領域をそれぞれ含む複数の第１パターン画像を有し、前記複数の表示領域に前記複数の第１パターン画像をそれぞれ表示するための第１画像のデータと、前記複数の主領域と前記複数の主領域内において前記主領域とは異なる輝度で表示される複数の副領域とをそれぞれ含む複数の第２パターン画像を有し、前記複数の表示領域に前記複数の第２パターン画像をそれぞれ表示するための第２画像のデータと、を記憶することを特徴とする。
【０２２１】
上記構成によれば、コンピュータ可読媒体は、表示装置に入力された画像信号に含まれる複数の同一パターン画像によって区画される複数の表示領域を含む表示装置の表示面上に現れるクロストークを検出するための画像ファイルを記憶する。コンピュータ可読媒体は、複数の第１パターン画像のデータと複数の第２パターン画像のデータとを記憶する。したがって、画像ファイルを用いて、経時的な温度変化の影響の少ないクロストークが作り出される。表示面においてクロストークが略全体的に表示されるので、視聴者が実際の映像を視聴する条件に近い条件下でのクロストークがシミュレーションされる。
【０２２２】
第１パターン画像は、異なる輝度で表現される複数の主領域を含む。第１信号は、前記複数の主領域を互いに異なる輝度で表現する。第２パターン画像は、複数の主領域と、複数の主領域内で表示される複数の副領域と、を含む。複数の第２パターン画像は、複数の第１パターン画像がそれぞれ表示された複数の表示領域に、それぞれ表示されるので、クロストークが表示面上に適切に現れる。
【０２２３】
上述の実施形態の他の局面に係るプログラムは、互いに異なる輝度で表現される複数の主領域をそれぞれ含む複数の第１パターン画像を有する第１画像のデータと、前記複数の主領域と前記複数の主領域内において前記主領域とは異なる輝度で表示される複数の副領域とをそれぞれ含む複数の第２パターン画像を有する第２画像のデータと、を読み出す段階と、前記第１画像のデータ及び前記第２画像のデータとに基づいて、前記複数の第１パターン画像がそれぞれ表示される領域として区画された複数の表示領域に前記複数の第２パターン画像が表示されるように第１信号及び第２信号をそれぞれ生成する段階と、前記第１信号及び前記第２信号をそれぞれ出力させる段階と、をコンピュータに実行させることを特徴とする。
【０２２４】
上記構成によれば、プログラムは、複数の第１パターン画像のデータと複数の第２パターン画像のデータとをコンピュータに読み出させる。したがって、経時的な温度変化の影響の少ないクロストークが作り出される。表示面においてクロストークが略全体的に表示されるので、視聴者が実際の映像を視聴する条件に近い条件下でのクロストークがシミュレーションされる。
【０２２５】
第１パターン画像は、異なる輝度で表現される複数の主領域を含む。第１信号は、前記複数の主領域を互いに異なる輝度で表現する。第２パターン画像は、複数の主領域と、複数の主領域内で表示される複数の副領域と、を含む。第２信号は、副領域を、主領域とは異なる輝度で表現する。複数の第１パターン画像がそれぞれ表示される領域として区画された複数の表示領域に複数の第２パターン画像が表示されるので、クロストークが表示面上に適切に現れる。
【０２２６】
上述の実施形態の他の局面に係る表示装置は、異なる輝度で表現される複数の主領域をそれぞれ含む複数の第１パターン画像を有する第１画像が表示され、前記複数の第１パターン画像それぞれが表示される領域として区画される複数の表示領域を含む表示面と、前記第１画像を表示するための第１信号と、前記複数の主領域と前記複数の主領域それぞれにおいて前記主領域とは異なる輝度で表現される複数の副領域とを含む第２パターン画像を複数有する第２画像を前記表示面に表示するための第２信号と、が入力される入力部と、前記表示面の輝度特性を調整するための調整部と、を備え、前記第２信号が前記入力部に入力されると、前記表示面は、前記複数の表示領域に前記複数の第２パターン画像をそれぞれ表示することを特徴とする。
【０２２７】
上記構成によれば、入力部には、複数の第１パターン画像を表示面に表示するための第１信号と、第２パターン画像を表示面に表示するための第２信号と、が入力される。表示面は、複数の第１パターン画像それぞれが表示される領域として区画される複数の表示領域を含む。
【０２２８】
入力部が受け取った第１信号に応じて、表示面は、異なる輝度で表現される複数の主領域を含む第１パターン画像を表示する。入力部が受け取った第２信号に応じて、表示面は、複数の表示領域に複数の第２パターン画像をそれぞれ表示する。この結果、経時的な温度変化の影響の少ないクロストークが表示面に現れる。また、第１パターン画像及び／又は第２パターン画像に対応したクロストークが略同時に表示されるので、視聴者が実際の映像を視聴する条件に近い条件下でのクロストークがシミュレーションされる。
【０２２９】
第１パターン画像は、異なる輝度で表現される複数の主領域を含む。第１信号は、前記複数の主領域を互いに異なる輝度で表現する。第２パターン画像は、複数の主領域と、複数の主領域内で表示される複数の副領域と、を含む。第２信号は、副領域を、主領域とは異なる輝度で表現する。したがって、クロストークが表示面に適切に現れる。
【０２３０】
クロストークのシミュレーションの結果、クロストークが顕著に表れる表示面の領域の輝度特性は、調整部によって調整される。したがって、表示装置は、クロストークの小さな画像を表示することができる。
【０２３１】
上述の実施形態の他の局面に係る画像信号に含まれる複数の同一パターン画像によって区画される複数の表示領域を含む表示面を有する表示装置の製造方法は、異なる輝度で表現される複数の主領域をそれぞれ含む複数の第１パターン画像を有する第１画像と、前記複数の主領域と前記複数の主領域内においてそれぞれ異なる輝度で表現される複数の副領域とをそれぞれ含む複数の第２パターン画像を有する第２画像とを、前記複数の表示領域それぞれに表示する段階と、前記表示面を撮像し、撮像データを得る段階と、前記第１画像及び前記第２画像のうち少なくとも一方と前記撮像データとを対比し、クロストーク特性を検査する段階と、を含むことを特徴とする。
【０２３２】
上記構成によれば、表示面は、画像信号に含まれる複数の同一パターン画像によって区画される複数の表示領域を含む。複数の第１パターン画像を含む第１画像及び複数の第２パターン画像を含む第２画像が複数の表示領域にそれぞれ表示される。第１画像及び第２画像を表示する表示面が撮像される。この結果、撮像データが取得される。第１画像及び第２画像のうち少なくとも一方と撮像データとの対比の結果、クロストークが適切に検出される。
【０２３３】
第１画像の複数の第１パターン画像は、複数の表示領域に表示される。同様に、複数の第２パターン画像は、複数の表示領域に表示される。この結果、第１パターン画像及び／又は第２パターン画像に対応したクロストークが略同時に検出される。したがって、クロストークのデータは、表示領域間で経時的な温度変化の影響を受けにくくなる。かくして、クロストークのデータは、高い再現性を有する。
【０２３４】
上述の如く、第１パターン画像及び／又は第２パターン画像に対応したクロストークが略同時に検出されるので、視聴者が実際の映像を視聴する条件に近い条件下で、クロストークが検出される。したがって、クロストークのデータは、高い信頼性を有する。
【０２３５】
第１パターン画像は、異なる輝度で表現される複数の主領域を含む。第２パターン画像は、複数の主領域と、複数の主領域内においてそれぞれ表現される複数の副領域と、を含む。副領域は、副領域を取り囲む主領域とは異なる輝度で表現される。したがって、第１画像及び第２画像のうち少なくとも一方と撮像データとを対比の結果、クロストークが適切に検出される。
【産業上の利用可能性】
【０２３６】
上述の実施形態の原理は、画像を表示する表示装置や表示装置の検査並びに製造に好適に適用される。
【図１】
2012056708.tif 000009
【図２】
2012056708.tif 000010
【図３】
2012056708.tif 000011
【図４】
2012056708.tif 000012
【図５】
2012056708.tif 000013
【図６】
2012056708.tif 000014
【図７】
2012056708.tif 000015
【図８】
2012056708.tif 000016
【図９】
2012056708.tif 000017
【図１０Ａ】
2012056708.tif 000018
【図１０Ｂ】
2012056708.tif 000019
【図１１Ａ】
2012056708.tif 000020
【図１１Ｂ】
2012056708.tif 000021
【図１２Ａ】
2012056708.tif 000022
【図１２Ｂ】
2012056708.tif 000023
【図１３】
2012056708.tif 000024
【図１４】
2012056708.tif 000025
【図１５】
2012056708.tif 000026
【図１６】
2012056708.tif 000027
【図１７】
2012056708.tif 000028
【図１８】
2012056708.tif 000029
【図１９Ａ】
2012056708.tif 000030
【図１９Ｂ】
2012056708.tif 000031
【図２０】
2012056708.tif 000032
【図２１】
2012056708.tif 000033
【図２２Ａ】
2012056708.tif 000034
【図２２Ｂ】
2012056708.tif 000035
【図２３Ａ】
2012056708.tif 000036
【図２３Ｂ】
2012056708.tif 000037
【図２４】
2012056708.tif 000038
【図２５】
2012056708.tif 000039
【図２６】
2012056708.tif 000040
【図２７Ａ】
2012056708.tif 000041
【図２７Ｂ】
2012056708.tif 000042
【図２８】
2012056708.tif 000043
【図２９】
2012056708.tif 000044
【手続補正書】
【提出日】平成25年1月16日(2013.1.16)
【手続補正１】
【補正対象書類名】特許請求の範囲
【補正対象項目名】全文
【補正方法】変更
【補正の内容】
【特許請求の範囲】
【請求項１】
表示装置に入力された画像信号に含まれる複数の同一パターン画像によって区画される複数の表示領域を含む表示面に現れるクロストークを検出する方法であって、
異なる輝度で表現される複数の主領域をそれぞれ含む複数の第１パターン画像を有する第１画像と、前記複数の主領域と前記複数の主領域内においてそれぞれ異なる輝度で表現される複数の副領域とをそれぞれ含む第２パターン画像を複数有する第２画像とを前記表示面に表示する段階と、
前記表示面を撮像し、撮像データを得る段階と、
前記第１画像及び前記第２画像のうち少なくとも一方と前記撮像データとを対比し、クロストークを検出する段階と、を備え、
前記第１パターン画像及び前記第２パターン画像は、前記表示面の中央に位置する中央領域及び該中央領域に隣接する隣接領域それぞれに表示されることを特徴とするクロストークの検出方法。
【請求項２】
前記表示面は、前記中央領域と、該中央領域を取り囲むように配置された複数の隣接領域に区画され、
前記第１パターン画像は、前記中央領域及び前記複数の隣接領域それぞれに表示され、
前記第２パターン画像は、前記中央領域及び前記複数の隣接領域それぞれに表示されることを特徴とする請求項１に記載のクロストークの検出方法。
【請求項３】
前記表示面は、９つの表示領域に区画されることを特徴とする請求項２に記載のクロストークの検出方法。
【請求項４】
前記複数の主領域は、第１輝度で表される第１主領域と、該第１輝度よりも高い第２輝度で表される第２主領域と、前記第２輝度よりも高い第３輝度で表される第３主領域と、を含むことを特徴とする請求項１乃至３のいずれか１項に記載のクロストークの検出方法。
【請求項５】
前記複数の主領域は、第１輝度で表される第１主領域を含み、
前記複数の副領域は、前記第１主領域内において互いに異なる輝度で表現される複数の領域からなる第１領域グループを含むことを特徴とする請求項１乃至４のいずれか１項に記載のクロストークの検出方法。
【請求項６】
前記副領域は、矩形又は円形であることを特徴とする請求項１乃至５のいずれか１項に記載のクロストークの検出方法。
【請求項７】
前記複数の主領域は、第１輝度で表される第１主領域を含み、
該第１主領域は、水平方向に延びる水平帯状領域又は垂直方向に延びる垂直帯状領域であり、
前記第１主領域内の前記副領域は、前記水平帯状領域内で前記水平方向に輝度が増大又は減少するグラデーションパターン又は前記垂直帯状領域内で前記垂直方向に輝度が増大又は減少するグラデーションパターンを形成することを特徴とする請求項１乃至４のいずれか１項に記載のクロストークの検出方法。
【請求項８】
前記第１主領域は、第１方向に延びる帯状領域であり、
前記複数の副領域は、前記第１方向に対して直交する第２方向に整列する複数の領域をそれぞれ有する複数の第２領域グループを含み、
該複数の第２領域グループは、前記第１方向に等間隔に整列することを特徴とする請求項５に記載のクロストークの検出方法。
【請求項９】
前記第１パターン画像の平均輝度は、前記第２パターン画像の平均輝度に等しいことを特徴とする請求項１乃至８のいずれか１項に記載のクロストークの検出方法。
【請求項１０】
前記第１画像と前記第２画像とを前記表示面に表示する段階において、前記表示面の平均輝度は、１５％以上２５％以下の範囲に保たれることを特徴とする請求項１乃至９のいずれか１項に記載のクロストークの検出方法。
【請求項１１】
表示装置の表示面上に現れるクロストークの検出に用いられる画像を表示するための画像信号を生成する信号生成装置であって、
互いに異なる輝度で表現される複数の主領域をそれぞれ含む複数の第１パターン画像を有する第１画像を前記表示面に表示するための第１信号と、前記複数の主領域と前記複数の主領域内において前記主領域とは異なる輝度で表示される複数の副領域とをそれぞれ含む複数の第２パターン画像を有する第２画像を前記表示面に表示するための第２信号と、を生成する信号生成部と、
前記第１信号と前記第２信号とを出力する出力部と、を備え、
前記信号生成部は、前記複数の第１パターン画像それぞれが表示される領域として区画された複数の表示領域に、前記複数の第２パターン画像がそれぞれ表示されるように前記第２信号を生成することを特徴とする信号生成装置。
【請求項１２】
表示装置に入力された画像信号に含まれる複数の同一パターン画像によって区画される複数の表示領域を含む表示装置の表示面上に現れるクロストークを検出するための画像ファイルを記憶したコンピュータ可読媒体であって、
互いに異なる輝度で表現される複数の主領域をそれぞれ含む複数の第１パターン画像を有し、前記複数の表示領域に前記複数の第１パターン画像をそれぞれ表示するための第１画像のデータと、前記複数の主領域と前記複数の主領域内において前記主領域とは異なる輝度で表示される複数の副領域とをそれぞれ含む複数の第２パターン画像を有し、前記複数の表示領域に前記複数の第２パターン画像をそれぞれ表示するための第２画像のデータと、を記憶することを特徴とするコンピュータ可読媒体。
【請求項１３】
異なる輝度で表現される複数の主領域をそれぞれ含む複数の第１パターン画像を有する第１画像が表示され、前記複数の第１パターン画像それぞれが表示される領域として区画される複数の表示領域を含む表示面と、
前記第１画像を表示するための第１信号と、前記複数の主領域と前記複数の主領域それぞれにおいて前記主領域とは異なる輝度で表現される複数の副領域とを含む第２パターン画像を複数有する第２画像を前記表示面に表示するための第２信号と、が入力される入力部と、
前記表示面の輝度特性を調整するための調整部と、を備え、
前記第２信号が前記入力部に入力されると、前記表示面は、前記複数の表示領域に前記複数の第２パターン画像をそれぞれ表示することを特徴とする表示装置。
【請求項１４】
画像信号に含まれる複数の同一パターン画像によって区画される複数の表示領域を含む表示面を有する表示装置の製造方法であって、
異なる輝度で表現される複数の主領域をそれぞれ含む複数の第１パターン画像を有する第１画像と、前記複数の主領域と前記複数の主領域内においてそれぞれ異なる輝度で表現される複数の副領域とをそれぞれ含む複数の第２パターン画像を有する第２画像とを、前記複数の表示領域それぞれに表示する段階と、
前記表示面を撮像し、撮像データを得る段階と、
前記第１画像及び前記第２画像のうち少なくとも一方と前記撮像データとを対比し、クロストーク特性を検査する段階と、を含むことを特徴とする表示装置の製造方法。
【手続補正２】
【補正対象書類名】明細書
【補正対象項目名】全文
【補正方法】変更
【補正の内容】
【発明の詳細な説明】
【技術分野】
【０００１】
本発明は、クロストークを検出するための技術に関する。
【背景技術】
【０００２】
画像を表示するための表示装置の技術分野において、「クロストーク」は、しばしば問題となる。「クロストーク」との用語は、多くの場合、複数の画像間の干渉に起因する画質の劣化を意味する。
【０００３】
特許文献１は、水平方向に並んだ２つの画像領域間に生ずるクロストークの測定方法を開示する。特許文献１の開示技術は、１つのフレーム画像内において生ずるクロストークの定量化に貢献する。
【０００４】
「クロストーク」との用語は、位置において異なる表示領域間で生ずる画質の劣化だけでなく、１つの表示領域において生ずる画質の劣化をも意味する。特定の表示領域において生ずる「クロストーク」は、特に、立体映像の表示に対する障害となる。
【０００５】
立体映像を表示するために、典型的には、表示装置は、左眼で視聴される左フレーム画像と、右眼で視聴される右フレーム画像と、を交互に表示する。例えば、左フレーム画像内に表現されるオブジェクトの表示位置が、右フレーム画像内に表現されるオブジェクトの表示位置と視差の分だけ異なるように、左フレーム画像及び右フレーム画像は作成される。
【０００６】
視聴者は、典型的には、眼鏡装置を着用し、立体映像を視聴する。例えば、眼鏡装置は、左眼前に配設された左シャッタと、右眼前に配設された右シャッタと、を含む。左フレーム画像が表示されている間、左シャッタが開かれる一方で、右シャッタが閉じられる。右フレーム画像が表示されている間、右シャッタが開かれる一方で、左シャッタが閉じられる。したがって、視聴者は、左眼のみで左フレーム画像を観察し、右眼のみで右フレーム画像を観察する。かくして、視聴者は、左フレーム画像と右フレーム画像との間での視差量に基づき、表示装置が表示する映像を立体的に知覚することができる。
【０００７】
例えば、表示装置が液晶パネルを用いて、映像を表示するならば、液晶の応答遅れに起因して、左シャッタが開かれている間、先行して表示された右フレーム画像の一部が液晶パネルの特定領域に表示されることがある。また、右シャッタが開かれている間、先行して表示された左フレーム画像の一部が液晶パネルの特定領域に表示されることがある。この結果、視聴者は左フレーム画像と右フレーム画像とが混在した映像を観察することとなる。
【０００８】
例えば、表示装置がＰＤＰ（プラズマディスプレイパネル）を用いて、映像を表示するならば、発光素子の発光特性に起因して、左シャッタが開かれている間、先行して表示された右フレーム画像が左フレーム画像の特定領域に影響することがある。また、右シャッタが開かれている間、先行して表示された左フレーム画像が右フレーム画像の特定領域に影響することがある。この結果、視聴者は、先行して表示されたフレーム画像の影響を受けた映像を観察することとなる。
【０００９】
左フレーム画像と右フレーム画像との間の干渉に起因する画質の劣化も「クロストーク」と称される。この「クロストーク」は、一般的に、「眼間クロストーク（interocularcrosstalk）」と呼ばれるが、本明細書において、以下、単に、「クロストーク」と称される。特許文献２は、フレーム画像間の干渉に起因するクロストークの評価技術を開示する。
【００１０】
フレーム画像間の干渉に起因するクロストークの他の評価技術は、動画サイト（<http://video.consumerreports.org/services/player/bcpid1886192484?bctid=624905278001>）に開示されている。当該開示技術によれば、水平方向に延びる複数の矩形領域で表現された第１画像と、水平方向に延びる複数の矩形領域と当該矩形領域内に表現された複数の三角形領域とを含む第２画像とが交互に表示される。
【００１１】
第１画像及び第２画像の複数の矩形領域は、垂直方向に整列されている。また、第１画像及び第２画像は、垂直方向に整列した複数の矩形領域の輝度を下方に向けて低減させ、垂直方向に輝度が変化するグラデーションパターンを形成する。尚、矩形領域は、水平方向に一定の輝度を有する。
【００１２】
複数の三角形領域は、マトリックス状に配列される。第２画像は、第１画像（水平方向に延びる複数の矩形領域によって表現された画像）と、マトリックス状に配列された複数の三角形領域とを重畳させて得られる画像である。水平方向に整列した三角形領域の輝度は、徐々に増大する一方で、垂直方向に整列した三角形領域の輝度は一定である。
【００１３】
表示装置は、第１画像及び第２画像を交互に表示する。眼鏡装置のシャッタは、第１画像の表示に同期して映像光の光路を開く。上述のクロストークの結果、視聴者は、複数の矩形領域のみからなる第１画像の表示期間中に、三角形領域を観察することとなる。
【００１４】
液晶の応答特性や発光素子の発光特性は、温度の影響を受けやすい。上述の如く、クロストークは、液晶の応答特性や発光素子の発光特性に依存する。上述の既知のクロストークの評価技術に基づき、映像が表示される表示面全体のクロストークの測定を評価するのには時間がかかるので、得られたクロストークのデータは温度の影響を大きく受けることとなる。したがって、既知の評価技術では、再現性のあるデータを取得することは困難である。
【００１５】
クロストークの評価に関して、視野角特性は無視されるべきではない。例えば、表示装置が液晶パネルを用いて表示するならば、視聴者が映像を視聴する方向に応じて、視聴者が観察する映像の輝度や色相が変わることがある。上述の既知の評価技術は、視野角特性を考慮するものではない。したがって、既知の評価技術から得られたクロストークのデータは、実際に視聴者が知覚する映像から乖離しうる。かくして、既知の評価技術に基づくクロストークのデータの信頼性は低くなる。
【先行技術文献】
【特許文献】
【００１６】
【特許文献１】特開２００９−２３９５９６号公報
【特許文献２】特開２０１１−６４８９４号公報
【発明の概要】
【発明が解決しようとする課題】
【００１７】
本発明は、クロストークに関する再現性のあるデータを取得することを可能とし、且つ、視聴者の実際の視聴環境に近似した条件下でデータを取得することを可能にするクロストークの検出方法を提供することを目的とする。本発明は、当該検出方法に用いられる信号生成装置、信号生成プログラム及び信号生成プログラムを格納するコンピュータ可読媒体を提供することを更に目的とする。本発明は、信号生成装置及び／又は信号生成プログラムが生成する信号を用いて画像を表示する表示装置及び当該表示装置を製造するための製造方法を提供することを更に目的とする。
【課題を解決するための手段】
【００１８】
本発明の一の局面に係る表示装置に入力された画像信号に含まれる複数の同一パターン画像によって区画される複数の表示領域を含む表示面に現れるクロストークを検出する方法は、異なる輝度で表現される複数の主領域をそれぞれ含む複数の第１パターン画像を有する第１画像と、前記複数の主領域と前記複数の主領域内においてそれぞれ異なる輝度で表現される複数の副領域とをそれぞれ含む第２パターン画像を複数有する第２画像とを前記表示面に表示する段階と、前記表示面を撮像し、撮像データを得る段階と、前記第１画像及び前記第２画像のうち少なくとも一方と前記撮像データとを対比し、クロストークを検出する段階と、を備え、前記第１パターン画像及び前記第２パターン画像は、前記表示面の中央に位置する中央領域及び該中央領域に隣接する隣接領域それぞれに表示されることを特徴とする。
【００１９】
本発明の他の局面に係る表示装置の表示面上に現れるクロストークの検出に用いられる画像を表示するための画像信号を生成する信号生成装置は、互いに異なる輝度で表現される複数の主領域をそれぞれ含む複数の第１パターン画像を有する第１画像を前記表示面に表示するための第１信号と、前記複数の主領域と前記複数の主領域内において前記主領域とは異なる輝度で表示される複数の副領域とをそれぞれ含む複数の第２パターン画像を有する第２画像を前記表示面に表示するための第２信号と、を生成する信号生成部と、前記第１信号と前記第２信号とを出力する出力部と、を備え、前記信号生成部は、前記複数の第１パターン画像それぞれが表示される領域として区画された複数の表示領域に、前記複数の第２パターン画像がそれぞれ表示されるように前記第２信号を生成することを特徴とする。
【００２０】
本発明の他の局面に係る表示装置に入力された画像信号に含まれる複数の同一パターン画像によって区画される複数の表示領域を含む表示装置の表示面上に現れるクロストークを検出するための画像ファイルを記憶したコンピュータ可読媒体は、互いに異なる輝度で表現される複数の主領域をそれぞれ含む複数の第１パターン画像を有し、前記複数の表示領域に前記複数の第１パターン画像をそれぞれ表示するための第１画像のデータと、前記複数の主領域と前記複数の主領域内において前記主領域とは異なる輝度で表示される複数の副領域とをそれぞれ含む複数の第２パターン画像を有し、前記複数の表示領域に前記複数の第２パターン画像をそれぞれ表示するための第２画像のデータと、を記憶することを特徴とする。
【００２１】
本発明の他の局面に係る表示装置は、異なる輝度で表現される複数の主領域をそれぞれ含む複数の第１パターン画像を有する第１画像が表示され、前記複数の第１パターン画像それぞれが表示される領域として区画される複数の表示領域を含む表示面と、前記第１画像を表示するための第１信号と、前記複数の主領域と前記複数の主領域それぞれにおいて前記主領域とは異なる輝度で表現される複数の副領域とを含む第２パターン画像を複数有する第２画像を前記表示面に表示するための第２信号と、が入力される入力部と、前記表示面の輝度特性を調整するための調整部と、を備え、前記第２信号が前記入力部に入力されると、前記表示面は、前記複数の表示領域に前記複数の第２パターン画像をそれぞれ表示することを特徴とする。
【００２２】
本発明の他の局面に係る画像信号に含まれる複数の同一パターン画像によって区画される複数の表示領域を含む表示面を有する表示装置の製造方法は、異なる輝度で表現される複数の主領域をそれぞれ含む複数の第１パターン画像を有する第１画像と、前記複数の主領域と前記複数の主領域内においてそれぞれ異なる輝度で表現される複数の副領域とをそれぞれ含む複数の第２パターン画像を有する第２画像とを、前記複数の表示領域それぞれに表示する段階と、前記表示面を撮像し、撮像データを得る段階と、前記第１画像及び前記第２画像のうち少なくとも一方と前記撮像データとを対比し、クロストーク特性を検査する段階と、を含むことを特徴とする。
【発明の効果】
【００２３】
上述のクロストークを検出するための様々な技術は、クロストークに関する再現性のあるデータを取得することを可能とし、且つ、視聴者の実際の視聴環境に近似した条件下でデータを取得することを可能にする。
【００２４】
本発明の目的、特徴及び利点は、以下の詳細な説明と添付図面とによって、より明白となる。
【図面の簡単な説明】
【００２５】
【図１】クロストークを検出並びに測定するための測定システムの概略図である。
【図２】図１に示される測定システムの表示装置の表示面の概略的な正面図である。
【図３】図２に示される表示面に表示される検出画像を概略的に示す。
【図４】図２に示される表示面に表示される検出画像を概略的に示す。
【図５】図１に示される測定システムの信号生成装置の概略的なブロック図である。
【図６】図１に示される測定システムの表示装置の概略的なブロック図である。
【図７】図３に示される検出画像に含まれる第１パターン画像の概略図である。
【図８】図４に示される検出画像に含まれる第２パターン画像の概略図である。
【図９】立体映像を表示するために用いられるフレーム画像を概略的に示す。
【図１０Ａ】左フレーム画像から右フレーム画像へ画像表示を切り替えた表示面の領域区分の概略図である。
【図１０Ｂ】右フレーム画像から左フレーム画像へ画像表示を切り替えた表示面の領域区分の概略図である。
【図１１Ａ】右眼で知覚される下降クロストークを表す概略的なタイミングチャートである。
【図１１Ｂ】図１１Ａに示されるグラフを重ね合わせたタイミングチャートである。
【図１２Ａ】左眼で知覚される上昇クロストークを表す概略的なタイミングチャートである。
【図１２Ｂ】図１２Ａに示されるグラフを重ね合わせたタイミングチャートである。
【図１３】図７及び図８に示される第１パターン画像及び第２パターン画像を交互に表示したときの輝度変化を示す概略図である。
【図１４】クロストークの平均値を算出するための輝度値の測定位置を表す概略図である。
【図１５】図２に示される表示面に現れるクロストークを検出する方法の概略的なフローチャートである。
【図１６】図１５に示される検出方法のセットアップ工程の概略的なフローチャートである。
【図１７】図１６に示されるセットアップ工程における測定条件を設定するための例示的なスクリーンを表す概略図である。
【図１８】図１５に示される検出方法の表示工程及び撮像工程の概略的なフローチャートである。
【図１９Ａ】図１８に示される表示工程において用いられる画像の組み合わせの概略図である。
【図１９Ｂ】図１８に示される表示工程において用いられる画像の組み合わせの概略図である。
【図２０】図１５に示されるフローチャートに従って得られたクロストークの結果の概略図である。
【図２１】図６に示される表示装置の製造工程の概略的なフローチャートである。
【図２２Ａ】クロストークが評価されるときに用いられるパターン画像の他の組み合わせの概略図である。
【図２２Ｂ】クロストークが評価されるときに用いられるパターン画像の他の組み合わせの概略図である。
【図２３Ａ】クロストークを検出するために用いられる他の第１画像の概略図である。
【図２３Ｂ】クロストークを検出するために用いられる他の第２画像の概略図である。
【図２４】図２３Ｂに示される第２画像の概略図であり、図中に第２画像の寸法値が示されている。
【図２５】クロストークを検出するために用いられる他の第２画像の概略図である。
【図２６】クロストークを検出するために用いられる他の第２パターン画像の概略図である。
【図２７Ａ】クロストークを検出するために用いられる他の第１パターン画像の概略図である。
【図２７Ｂ】クロストークを検出するために用いられる他の第２パターン画像の概略図である。
【図２８】図５に示される信号生成装置に第１信号及び第２信号を生成させるための信号生成プログラムが実行する処理を概略的に示すフローチャートである。
【図２９】単一のパターン画像が表示される表示環境下でのクロストークの測定の概略図である。
【発明を実施するための形態】
【００２６】
以下、クロストークの検出方法、クロストークを検出するための信号を生成するための画像ファイルを記憶したコンピュータ可読媒体、クロストークを検出するための信号を用いて画像を表示する表示装置及び表示装置の製造方法が図面を参照して説明される。尚、以下に説明される様々な実施形態において、同様の構成要素に対して同様の符号が付されている。また、説明の明瞭化のため、必要に応じて、重複する説明は省略される。図面に示される構成、配置或いは形状並びに図面に関連する記載は、単に、様々な実施形態の原理を容易に理解させることを目的とする。したがって、これらの原理は、図面並びに図面に関連して詳述される説明に何ら限定されない。
【００２７】
（測定システム）
図１は、クロストークを検出並びに測定するための測定システム１００の概略図である。図１を用いて、測定システム１００が説明される。
【００２８】
測定システム１００は、クロストークの検出に用いられる検出画像（後述される）を表示する表示装置２００を備える。表示装置２００は、検出画像が表示される表示面２１０と、表示面２１０を保持するための筐体２１１と、を備える。例えば、表示装置２００は、テレビ装置、パーソナルコンピュータのディスプレイ装置や画像を表示することができる他の装置であってもよい。特に、本実施形態の原理は、立体映像を表示する表示装置に好適に適用される。
【００２９】
測定システム１００は、検出画像を表示装置２００の表示面２１０上に表示させるための検出画像信号を生成する信号生成装置３００を更に備える。信号生成装置３００は、表示装置２００に電気的に接続される。表示装置２００は、信号生成装置３００から送信された検出画像信号に基づき、検出画像を表示面２１０上に表示する。この結果、表示面２１０上にクロストークが現れる。検出画像を用いたクロストークの評価手法は後述される。
【００３０】
測定システム１００は、表示面２１０に表示された検出画像を撮像するための撮像システム４００を更に備える。撮像システム４００は、表示装置２００が表示するフレーム画像の切替動作に同期して開閉するシャッタ装置４５０と、表示面２１０を全体的に撮像するカメラ装置４１０と、カメラ装置４１０によって撮像された表示面２１０の像（即ち、撮像データ）に基づき、クロストークの評価処理を実行する処理装置４２０（例えば、パーソナルコンピュータ）と、を備える。本実施形態において、シャッタ装置４５０として、立体映像の視聴に用いられる眼鏡装置が用いられている。表示面２１０上のクロストークは、カメラ装置４１０が撮像した表示面２１０の撮像データと、信号生成装置３００が出力する検出画像信号に基づき生成される検出画像との対比によって検出される。したがって、検出画像と対比可能な表示面２１０の映像が取得されるならば、他の撮像システムが用いられてもよい。処理装置４２０が実行するクロストークの評価処理は後述される。
【００３１】
図１において、表示面２１０の高さ寸法は、「Ｈ」の符号を用いて表されている。一般的に、表示面から表示面の高さ寸法の約３倍の距離だけ離れて、表示面に表示される立体映像を視聴することが推奨されている。したがって、撮像システム４００は、表示面２１０から、「約３Ｈ」の距離だけ離間して配置されることが好ましい。この結果、実際の視聴環境に近似した環境下で、クロストークのデータが取得される。
【００３２】
（表示領域の定義）
図２は、表示面２１０の概略的な正面図である。図１及び図２を用いて、表示面２１０が説明される。
【００３３】
表示面２１０は、表示装置２００に入力された画像信号に含まれる複数の同一パターン画像によって区画される複数の表示領域を含む。本実施形態において、表示面２１０は、９つの表示領域２２１乃至２２９に概念的に区画される。表示面２１０の中央に位置する表示領域２２１は、中央領域として例示される。
【００３４】
表示領域２２１の左上の領域は、表示領域２２２である。表示領域２２１の直上の領域は、表示領域２２３である。表示領域２２１の右上の領域は、表示領域２２４である。表示領域２２１の左の領域は、表示領域２２５である。表示領域２２１の右の領域は、表示領域２２６である。表示領域２２１の左下の領域は、表示領域２２７である。表示領域２２１の直下の領域は、表示領域２２８である。表示領域２２１の右下の領域は、表示領域２２９である。本実施形態において、表示領域２２１を取り囲むように配置された表示領域２２２乃至２２９それぞれは、隣接領域として例示される。
【００３５】
本実施形態において、表示面２１０は、９つの表示領域２２１乃至２２９に概念的に区画される。しかしながら、表示面中の表示領域の数は、２以上且つ９未満であってもよく、或いは、表示面は、１０を超える表示領域からなってもよい。
【００３６】
本実施形態において、９つの表示領域２２１乃至２２９は、同形同大である。代替的に、表示面中で区画された複数の表示領域は、異なる大きさであってもよく、或いは、異なる形状であってもよい。
【００３７】
（検出画像）
図３及び図４は、表示面２１０に表示される検出画像を概略的に示す。図３及び図４を用いて、検出画像が説明される。
【００３８】
本実施形態において、図３に示される第１画像ＦＩ及び図４に示される第２画像ＳＩが検出画像として用いられる。表示面２１０には、第１画像ＦＩ及び第２画像ＳＩが交互に表示される。この結果、表示面２１０上にクロストークが現れる。
【００３９】
本実施形態において、第１画像ＦＩは、９つの第１パターン画像ＦＰＩを含む。第１パターン画像ＦＰＩは、表示領域２２１乃至２２９それぞれに表示される。尚、第１画像が含む第１パターン画像の数は、表示面中で区画された表示領域の数と一致していればよく、９つに限定されるものではない。
【００４０】
本実施形態において、表示領域２２１乃至２２９それぞれに表示される第１パターン画像ＦＰＩは、同一である。代替的に、異なる輝度、形状或いは大きさの第１パターン画像が表示領域２２１乃至２２９に表示されてもよい。
【００４１】
本実施形態において、第２画像ＳＩは、９つの第２パターン画像ＳＰＩを含む。第２パターン画像ＳＰＩは、表示領域２２１乃至２２９それぞれに表示される。表示面２１０中における第２パターン画像ＳＰＩの位置は、対応する第１パターン画像ＦＰＩの表示位置に略一致している。尚、第２画像が含む第２パターン画像の数は、第１パターン画像の数と一致していればよく、９つに限定されるものではない。
【００４２】
本実施形態において、表示領域２２１乃至２２９それぞれに表示される第２パターン画像ＳＰＩは、同一である。代替的に、異なる輝度、形状或いは大きさの第２パターン画像が表示領域２２１乃至２２９に表示されてもよい。
【００４３】
（信号生成装置の構成）
図５は、信号生成装置３００の概略的なブロック図である。図３乃至図５を用いて、信号生成装置３００が説明される。
【００４４】
信号生成装置３００は、検出画像のデータファイルを格納する記憶部３１０を備える。記憶部３１０は、第１画像ＦＩのデータを格納する第１ディレクトリ３１１と、第２画像ＳＩのデータを格納する第２ディレクトリ３１２と、を含む。本実施形態において、検出画像のデータファイルは、画像ファイルとして例示される。また、記憶部３１０は、画像ファイルを格納するクロストークを検出するための信号を生成するための画像ファイルを記憶したコンピュータ可読媒体として例示される。記憶部３１０は、ＲＯＭやハードディスクであってもよい。代替的に、記憶部３１０は、必要に応じて、信号生成装置３００から取り出すことができるリムーバブルメディアであってもよい。
【００４５】
信号生成装置３００は、記憶部３１０に記憶されたデータファイルに基づいて、第１画像ＦＩ及び第２画像ＳＩを表示するための信号を生成する信号生成部３２０を更に備える。信号生成部３２０は、第１ディレクトリ３１１から、第１画像ＦＩのデータを読み出し、第１画像ＦＩを表示面２１０に表示するための第１信号を生成する。信号生成部３２０は、第２ディレクトリ３１２から、第２画像ＳＩのデータを読み出し、第２画像ＳＩを表示面２１０に表示するための第２信号を生成する。
【００４６】
信号生成装置３００は、信号生成部３２０が生成及び出力した第１信号及び第２信号を受ける出力部３３０を更に備える。出力部３３０は、第１信号及び第２信号を交互に表示装置２００へ出力する。
【００４７】
（表示装置の構成）
図６は、表示装置２００の概略的なブロック図である。図１、図３、図４及び図６を用いて、表示装置２００が説明される。
【００４８】
表示装置２００は、上述の表示面２１０に加えて、信号生成装置３００から出力された第１信号及び第２信号を受ける入力部２３０を備える。本実施形態において、第１信号及び第２信号は、入力部２３０に交互に入力される。入力部２３０は、その後、第１信号及び第２信号を出力する。
【００４９】
表示装置２００は、入力部２３０が出力した第１信号及び第２信号を処理し、画像を表示面２１０に表示するための映像信号を生成する信号処理部２４０を更に備える。信号処理部２４０は、第１信号に基づき、第１画像ＦＩを表示するための映像信号を生成する。また、信号処理部２４０は、第２信号に基づき、第２画像ＳＩを表示するための映像信号を生成する。
【００５０】
表示装置２００は、表示面２１０の輝度特性を調整するための調整部２５０を更に備える。図３及び図４に関連して説明された如く、表示面２１０は表示領域２２１乃至２２９に概念的に区分される。表示領域２２１乃至２２９それぞれに第１パターン画像ＦＰＩ及び第２パターン画像ＳＰＩが交互に表示される。この結果、表示領域２２１乃至２２９それぞれに対するクロストークの特性が見極められることとなる。調整部２５０は、表示領域２２１乃至２２９それぞれに対して選択的に輝度特性を調整することができる。例えば、表示領域２２９において、顕著なクロストークが観察されるならば、使用者は、調整部２５０を用いて、表示領域２２９の発光タイミングを他の表示領域よりも先行させるように表示領域２２９の輝度特性を調整してもよい。代替的に、使用者は、調整部２５０を用いて、表示領域２２９の輝度を増減させ、クロストークを低減してもよい。更に代替的に、調整部２５０は、発生するクロストークに応じて、特定領域の左右の電圧レベル（信号レベル）のうち一方のレベルを増減させるクロストークキャンセル処理（図示せず）のパラメータを調整してもよい。
【００５１】
表示装置２００は、表示面２１０における画像（第１画像・第２画像）の表示と撮像システム４００の動作とを同期させるための同期信号を生成する同期信号生成部２６０を更に備える。同期信号は、第１画像及び第２画像の表示タイミングを撮像システムに通知するために用いられる。
【００５２】
表示装置２００は、同期信号を撮像システム４００に送信する送信部２７０を更に備える。本実施形態において、送信部２７０は、同期信号として、無線信号を撮像システム４００に送信する。代替的に、送信部は有線式に同期信号を撮像システム４００に出力してもよい。
【００５３】
図１に関連して説明された如く、本実施形態において、撮像システム４００は、シャッタ装置４５０として、立体映像の視聴に一般的に利用される眼鏡装置を用いる。したがって、撮像システム４００と表示装置２００との間の同期制御は、既知の様々な制御手法に基づき達成されてもよい。尚、本実施形態は、アクティブ方式の表示システムを用いて説明されるが、本実施形態の原理は、パッシブ方式の表示システムにも同様に適用される。パッシブ方式の眼鏡装置が用いられるならば、同期信号生成部や送信部は省略されてもよい。パッシブ方式の表示システムにおいて、第１画像及び第２画像は合成して表示される。例えば、第１画像及び第２画像は１ライン毎に切り替えて表示されてもよい。
【００５４】
（パターン画像）
図７は、第１パターン画像ＦＰＩの概略図である。図６及び図７を用いて、第１パターン画像ＦＰＩが説明される。
【００５５】
第１パターン画像ＦＰＩは、水平方向に延びる５つの水平帯状領域ＨＳＲ１乃至ＨＳＲ５を含む。水平帯状領域ＨＳＲ１は、第１パターン画像ＦＰＩ中、最も上方の領域である。水平帯状領域ＨＳＲ５は、第１パターン画像ＦＰＩ中、最も下方の領域である。水平帯状領域ＨＳＲ２は、水平帯状領域ＨＳＲ１に隣接する領域である。水平帯状領域ＨＳＲ４は、水平帯状領域ＨＳＲ５に隣接する領域である。水平帯状領域ＨＳＲ３は、水平帯状領域ＨＳＲ２と水平帯状領域ＨＳＲ４との間の領域である。本実施形態において、垂直方向に整列した水平帯状領域ＨＳＲ１乃至ＨＳＲ５は、同形同大である。代替的に、水平帯状領域ＨＳＲ１乃至ＨＳＲ５は、互いに異なる長さ或いは幅を有してもよい。本実施形態において、水平帯状領域ＨＳＲ１乃至ＨＳＲ５それぞれは、第１主領域として例示される。
【００５６】
本実施形態において、水平帯状領域ＨＳＲ１の輝度レベルは、「０％」である。水平帯状領域ＨＳＲ５の輝度レベルは、「１００％」である。尚、本実施形態において、「０％」の輝度レベルは、表示面２１０が最も低い輝度で画像を表現するための映像信号の電圧レベルを意味する。「１００％」の輝度レベルは、表示面２１０が最も高い輝度で画像を表現するための映像信号の電圧レベルを意味する。尚、上述の輝度レベルの定義は、本実施形態の原理を容易に理解させるためのものである。したがって、本実施形態の原理は、上述の輝度レベルの定義に何ら限定されるものではない。
【００５７】
水平帯状領域ＨＳＲ２の輝度レベルは、「２５％」である。即ち、水平帯状領域ＨＳＲ２は、水平帯状領域ＨＳＲ５を表示する映像信号の電圧レベルに対して「１／４」の大きさの電圧レベルの映像信号によって表現されている。
【００５８】
水平帯状領域ＨＳＲ３の輝度レベルは、「５０％」である。即ち、水平帯状領域ＨＳＲ３は、水平帯状領域ＨＳＲ５を表示する映像信号の電圧レベルに対して「１／２」の大きさの電圧レベルの映像信号によって表現されている。
【００５９】
水平帯状領域ＨＳＲ４の輝度レベルは、「７５％」である。即ち、水平帯状領域ＨＳＲ４は、水平帯状領域ＨＳＲ５を表示する映像信号の電圧レベルに対して「３／４」の大きさの電圧レベルの映像信号によって表現されている。
【００６０】
本実施形態において、水平帯状領域ＨＳＲ１乃至ＨＳＲ５のうち１つは、第１主領域として例示される。例えば、水平帯状領域ＨＳＲ１が第１主領域として例示されるならば、「０％」の輝度レベルは、第１輝度として例示される。このとき、水平帯状領域ＨＳＲ１よりも高い輝度レベルで表現される水平帯状領域ＨＳＲ２乃至ＨＳＲ５のうち１つは、第２主領域として例示される。例えば、水平帯状領域ＨＳＲ２が第２主領域として例示されるならば、「２５％」の輝度レベルは、第２輝度として例示される。このとき、水平帯状領域ＨＳＲ２よりも高い輝度レベルで表現される水平帯状領域ＨＳＲ３乃至ＨＳＲ５のうち１つは、第３主領域として例示される。例えば、水平帯状領域ＨＳＲ３が第３主領域として例示されるならば、「５０％」の輝度レベルは、第３輝度として例示される。
【００６１】
図８は、第２パターン画像ＳＰＩの概略図である。図７及び図８を用いて、第２パターン画像ＳＰＩが説明される。
【００６２】
第２パターン画像ＳＰＩは、第１パターン画像ＦＰＩと同様に、水平帯状領域ＨＳＲ１乃至ＨＳＲ５を含む。第２パターン画像ＳＰＩは、水平帯状領域ＨＳＲ１乃至ＨＳＲ５よりも小さな矩形領域ＲＳＲ１乃至ＲＳＲ５を更に含む。
【００６３】
矩形領域ＲＳＲ１は、「０％」の輝度レベルで表示される領域である。矩形領域ＲＳＲ２は、「２５％」の輝度レベルで表示される領域である。矩形領域ＲＳＲ３は、「５０％」の輝度レベルで表示される領域である。矩形領域ＲＳＲ４は、「７５％」の輝度レベルで表示される領域である。矩形領域ＲＳＲ５は、「１００％」の輝度レベルで表示される領域である。
【００６４】
水平帯状領域ＨＳＲ１内において、水平帯状領域ＨＳＲ１の輝度レベルとは異なる輝度レベルで表現される４つの矩形領域ＲＳＲ２乃至ＲＳＲ５が表示される。水平帯状領域ＨＳＲ２内において、水平帯状領域ＨＳＲ２の輝度レベルとは異なる輝度レベルで表現される４つの矩形領域ＲＳＲ１，ＲＳＲ３乃至ＲＳＲ５が表示される。水平帯状領域ＨＳＲ３内において、水平帯状領域ＨＳＲ３の輝度レベルとは異なる輝度レベルで表現される４つの矩形領域ＲＳＲ１，ＲＳＲ２，ＲＳＲ４，ＲＳＲ５が表示される。水平帯状領域ＨＳＲ４内において、水平帯状領域ＨＳＲ４の輝度レベルとは異なる輝度レベルで表現される４つの矩形領域ＲＳＲ１乃至ＲＳＲ３，ＲＳＲ５が表示される。水平帯状領域ＨＳＲ５内において、水平帯状領域ＨＳＲ５の輝度レベルとは異なる輝度レベルで表現される４つの矩形領域ＲＳＲ１乃至ＲＳＲ４が表示される。本実施形態において、矩形領域ＲＳＲ１乃至ＲＳＲ５は、副領域としてそれぞれ例示される。水平帯状領域ＨＳＲ１内において表示される４つの矩形領域ＲＳＲ２乃至ＲＳＲ５のグループ、水平帯状領域ＨＳＲ２内において表示される４つの矩形領域ＲＳＲ１，ＲＳＲ３乃至ＲＳＲ５のグループ、水平帯状領域ＨＳＲ３内において表示される４つの矩形領域ＲＳＲ１，ＲＳＲ２，ＲＳＲ４，ＲＳＲ５のグループ、水平帯状領域ＨＳＲ４内において表示される４つの矩形領域ＲＳＲ１乃至ＲＳＲ３，ＲＳＲ５のグループ及び水平帯状領域ＨＳＲ４内において表示される４つの矩形領域ＲＳＲ１乃至ＲＳＲ４のグループは、第１領域グループとして、それぞれ例示される。
【００６５】
本実施形態において、主領域としてそれぞれ例示される水平帯状領域ＨＳＲ１乃至ＨＳＲ５は、水平方向にそれぞれ延びる。したがって、水平方向は、第１方向として例示される。
【００６６】
「０％」の輝度レベルで表現される４つの矩形領域ＲＳＲ１、「２５％」の輝度レベルで表現される４つの矩形領域ＲＳＲ２、「５０％」の輝度レベルで表現される４つの矩形領域ＲＳＲ３、「７５％」の輝度レベルで表現される４つの矩形領域ＲＳＲ４及び「１００％」の輝度レベルで表現される４つの矩形領域ＲＳＲ５は、垂直方向に整列している。本実施形態において、垂直方向は、第２方向として例示される。４つの矩形領域ＲＳＲ１のグループ、４つの矩形領域ＲＳＲ２のグループ、４つの矩形領域ＲＳＲ３のグループ、４つの矩形領域ＲＳＲ４のグループ及び４つの矩形領域ＲＳＲ５のグループは、第２領域グループとして、それぞれ例示される。４つの矩形領域ＲＳＲ１のグループ、４つの矩形領域ＲＳＲ２のグループ、４つの矩形領域ＲＳＲ３のグループ、４つの矩形領域ＲＳＲ４のグループ及び４つの矩形領域ＲＳＲ５のグループは、水平方向に略等間隔に整列する。
【００６７】
（クロストークの発生原理）
図９は、立体映像を表示するために用いられるフレーム画像を概略的に示す。図９を用いて、クロストークの発生原理が説明される。
【００６８】
立体映像を表示するために、典型的には、左眼で視聴される左フレーム画像ＬＦＩ及び右眼で視聴される右フレーム画像ＲＦＩが交互に表示される。図９には、黒色（輝度レベル：０％）の背景及び白色（輝度レベル：１００％）のオブジェクトＯＢがそれぞれ表現された左フレーム画像ＬＦＩ及び右フレーム画像ＲＦＩが示されている。表示面中におけるオブジェクトＯＢの位置は、左フレーム画像ＬＦＩと右フレーム画像ＲＦＩとの間で、距離ＰＡだけずらされている。観察者が左眼で左フレーム画像ＬＦＩを観察し、右眼で右フレーム画像ＲＦＩを観察するならば、観察者は、距離ＰＡ分のオブジェクトＯＢのずれ量を知覚し、脳内で左フレーム画像ＬＦＩと右フレーム画像ＲＦＩとを合成する。この結果、観察者は、表示面から飛び出た或いは引っ込んだオブジェクトＯＢを知覚する。
【００６９】
図１０Ａは、左フレーム画像ＬＦＩから右フレーム画像ＲＦＩへ画像表示を切り替えた表示面２１０の領域区分の概略図である。図１０Ｂは、右フレーム画像ＲＦＩから左フレーム画像ＬＦＩへ画像表示を切り替えた表示面２１０の領域区分の概略図である。図９乃至図１０Ｂを用いて、クロストークの発生原理が更に説明される。
【００７０】
左フレーム画像ＬＦＩと右フレーム画像ＲＦＩとの間の画像表示の切り替え時に生ずる輝度レベルの変化に基づいて、表示面２１０は、４つの領域に大別される。図１０Ａ及び図１０Ｂに示される領域ＫＫは、画像表示の切り替えの間、「０％」の輝度レベル（黒色）を維持する。図１０Ａ及び図１０Ｂに示される領域ＷＷは、画像表示の切り替えの間、「１００％」の輝度レベル（白色）を維持する。図１０Ａ及び図１０Ｂに示される領域ＫＷにおいて、画像表示の切り替えの結果、「０％」（黒色）から「１００％」（白色）への輝度レベルの変化が生ずる。図１０Ａ及び図１０Ｂに示される領域ＷＫにおいて、画像表示の切り替えの結果、「１００％」（白色）から「０％」（黒色）への輝度レベルの変化が生ずる。輝度レベルの変化が大きい領域ＫＷ，ＷＫにおいて、顕著なクロストークが発生しやすい。
【００７１】
視聴者がフレーム画像の観察を開始するときには、領域ＷＫは、理想的には、完全な黒色（輝度レベル：０％）となっている。しかしながら、例えば、表示面２１０を構成する素子（液晶やプラズマ発光素子）の応答遅れによって、領域ＷＫは、完全な黒色（輝度レベル：０％）にならないことが多い。以下の説明において、高い輝度レベルから低い輝度レベルへの変化が生ずる領域において生ずるクロストークは、「下降クロストーク」と称される。
【００７２】
視聴者がフレーム画像の観察を開始するときには、領域ＫＷは、理想的には、完全な白色（輝度レベル：１００％）となっている。しかしながら、例えば、表示面２１０を構成する素子（液晶やプラズマ発光素子）の応答遅れによって、領域ＫＷは、完全な白色（輝度レベル：１００％）にならないことが多い。以下の説明において、低い輝度レベルから高い輝度レベルへの変化が生ずる領域において生ずるクロストークは、「上昇クロストーク」と称される。
【００７３】
図１１Ａは、右眼で知覚される下降クロストークを表す概略的なタイミングチャートである。図１１Ｂは、図１１Ａに示されるグラフを重ね合わせたタイミングチャートである。図９乃至図１１Ｂを用いて、下降クロストークが説明される。
【００７４】
図１１Ａのセクション（ａ）の点線は、領域ＷＫに対する映像信号の電圧変動を概略的に示す。映像信号の電圧値が「１００％」であるならば、映像信号が白色の像の表示を表示面２１０に指示している。映像信号の電圧値が「０％」であるならば、映像信号が黒色の像の表示を表示面２１０に指示している。左フレーム画像ＬＦＩが表示される左フレーム期間において、映像信号の電圧値は「１００％」であり、右フレーム期間において、映像信号の電圧値は「０％」である。
【００７５】
図１１Ａのセクション（ｂ）の一点鎖線は、右眼への透過光量の変動を表す。眼鏡装置のシャッタ動作の下、左フレーム期間において、右眼への透過光量は、ほとんど存在せず、右フレーム期間において、右眼への透過光量は増大する。
【００７６】
図１１Ａのセクション（ｃ）の実線は、表示面２１０上の領域（領域ＷＫ又は領域ＫＷ）の実際の輝度変化を表す。図１１Ａのセクション（ａ）に示される映像信号は、左フレーム期間から右フレーム期間に切り替わるときに、瞬時に「１００％」から「０％」に降下しているのに対し、領域の輝度は、徐々に、「１００％」（白色）から「０％」（黒色）に変化する。映像信号の変化に対する実際の表示面２１０の輝度の変化の遅れは、観察者にクロストークとして知覚される。
【００７７】
図１１Ｂの点線、一点鎖線及び実線は、図１１Ａと同様に、映像信号、右眼への透過光量及び領域（領域ＷＫ又は領域ＫＷ）の輝度変化をそれぞれ表す。図１１Ｂに示されるハッチング領域（一点鎖線、実線及び時間軸で囲まれた領域）の面積は、下降クロストークの量を意味する。ハッチング領域の面積が大きいならば、観察者は顕著な下降クロストークを知覚する。ハッチング領域の面積が小さいならば、観察者は、下降クロストークをほとんど知覚しない。
【００７８】
図１２Ａは、左眼で知覚される上昇クロストークを表す概略的なタイミングチャートである。図１２Ｂは、図１２Ａに示されるグラフを重ね合わせたタイミングチャートである。図９乃至図１２Ｂを用いて、上昇クロストークが説明される。
【００７９】
図１２Ａのセクション（ａ）及びセクション（ｃ）は、図１１Ａのセクション（ａ）及びセクション（ｃ）と同様である。図１２Ａのセクション（ｂ）は、左眼への透過光量の変動を表す。
【００８０】
図１２Ａのセクション（ａ）に示される映像信号は、右フレーム期間から左フレーム期間に切り替わるときに、瞬時に「０％」から「１００％」に増加しているのに対し、領域の輝度は、徐々に、「０％」（黒色）から「１００％」（白色）に変化する。映像信号の変化に対する実際の表示面２１０の輝度の変化の遅れは、観察者にクロストークとして知覚される。
【００８１】
図１２Ｂの点線、一点鎖線及び実線は、図１２Ａと同様に、映像信号、右眼への透過光量及び領域（領域ＷＫ又は領域ＫＷ）の輝度変化をそれぞれ表す。図１２Ｂに示されるハッチング領域（左フレーム期間において実線と一点鎖線によって囲まれる領域）の面積は、上昇クロストークの量を意味する。ハッチング領域の面積が大きいならば、観察者は顕著な上昇クロストークを知覚する。ハッチング領域の面積が小さいならば、観察者は、上昇クロストークをほとんど知覚しない。
【００８２】
（クロストークの定量化）
図１、図１０Ａ及び図１０Ｂを用いて、クロストークの定量化が説明される。
【００８３】
下記の数式は、下降クロストークの定量化式である。
【００８４】
【数１】
2012056708.tif 000045
【００８５】
上述の数式において、「ＣＴＤ」は、下降クロストークの定量化値である。「ＹＷ，Ｋ」は、領域ＷＫの輝度である。「ＹＫ，Ｋ」は、領域ＫＫの輝度である。「ＹＫ，Ｗ」は、領域ＫＷの輝度である。「ＹＷ，Ｋ」、「ＹＫ，Ｋ」及び「ＹＫ，Ｗ」の輝度データは、撮像システム４００によって取得される。
【００８６】
尚、上述の数式は、下降クロストークを定量化するための例示的な数式である。したがって、他の数学的手法に基づき、下降クロストークが定量化されてもよい。
【００８７】
下記の数式は、上昇クロストークの定量化式である。
【００８８】
【数２】
2012056708.tif 000046
【００８９】
上述の数式において、「ＣＴＵ」は、上昇クロストークの定量化値である。「ＹＷ，Ｗ」は、領域ＷＷの輝度である。「ＹＷ，Ｗ」の輝度データも、撮像システム４００によって取得される。
【００９０】
尚、上述の数式は、上昇クロストークを定量化するための例示的な数式である。したがって、他の数学的手法に基づき、上昇クロストークが定量化されてもよい。
【００９１】
（パターン画像を用いたクロストークの定量化）
上述のクロストークの定量化の手法は、白色表示と黒色表示との間の表示切替に適用される。しかしながら、上述の手法は、中間階調における輝度変化に起因するクロストークにも応用可能である。図７及び図８に関連して説明されたパターン画像は、白色領域及び黒色領域だけでなく、中間階調で表現される複数の領域を有する。したがって、図７及び図８に関連して説明されたパターン画像は、様々な輝度変化量の下、クロストークを評価するのに好適に用いられる。
【００９２】
図１３は、図７及び図８に関連して説明された第１パターン画像ＦＰＩ及び第２パターン画像ＳＰＩを交互に表示したときの輝度変化を示す概略図である。図７、８及び図１３を用いて、パターン画像を用いたクロストークの定量化が説明される。
【００９３】
図１３は、第２パターン画像ＳＰＩが表示された後に、第１パターン画像ＦＰＩが表示されたときの表示面２１０の輝度変化を示す。図１３に示される表示面２１０の上に表される数値は、第２パターン画像ＳＰＩの矩形領域ＲＳＲ１乃至ＲＳＲ５の輝度レベルを表す。図１３に示される表示面２１０の左に表される数値は、第１パターン画像ＦＰＩの水平帯状領域ＨＳＲ１乃至ＨＳＲ５の輝度レベルを表す。
【００９４】
図１３に示される表示面２１０内には、一対の長方形領域の組が複数示されている。一対の長方形領域のうち左方に示される長方形領域は、第２パターン画像ＳＰＩの矩形領域ＲＳＲ１乃至ＲＳＲ５を表す。一対の長方形領域のうち右方に示される長方形領域は、矩形領域ＲＳＲ１乃至ＲＳＲ５に対応する位置における水平帯状領域ＨＳＲ１乃至ＨＳＲ５を表す。一対の長方形領域の組の下方に示される数値は、第２パターン画像ＳＰＩから第１パターン画像ＦＰＩへの切替に伴う輝度レベルの変化を表している。
【００９５】
下記の数式は、第１パターン画像ＦＰＩ及び第２パターン画像ＳＰＩを用いて作り出されたクロストークを定量化するために用いられる。下記の数式は、クロストークを定量化するための例示的な数式である。したがって、他の数学的手法に基づき、クロストークが定量化されてもよい。
【００９６】
【数３】
2012056708.tif 000047
【００９７】
上述の数式において、「ＣＴ」は、クロストークの定量化値である。「ｎ」は、輝度変化が発生した領域の数を表す。図１３に示されるクロストークの発生シミュレーションモデルにおいて、「ｎ」は、「２０」である。「ｘ％」は、先行して表示された画像の輝度レベルを意味する。図１３に示されるクロストークの発生シミュレーションモデルにおいて、「ｘ％」は、矩形領域ＲＳＲ１乃至ＲＳＲ５それぞれの輝度レベルを意味する。「ｙ％」は、後続の表示画像の輝度レベルを意味する。図１３に示されるクロストークの発生シミュレーションモデルにおいて、「ｙ％」は、水平帯状領域ＨＳＲ１乃至ＨＳＲ５それぞれの輝度レベルを意味する。
【００９８】
上述の数式において、「Ｙｘ％，ｙ％」は、「ｘ％」の輝度レベルから「ｙ％」の輝度レベルに変化した領域において実際に測定された輝度値を意味する。例えば、水平帯状領域ＨＳＲ４内に表された矩形領域ＲＳＲ３の輝度値は、「Ｙ５０％，７５％」で表現される。
【００９９】
上述の数式において、「Ｙｙ％，ｙ％」は、「ｙ％」の輝度レベルが維持された領域において、実際に測定された輝度値を意味する。図１３において、表示面２１０として、２つの三角形領域が点線で表されている。上側の三角形領域中に表される長方形領域の組は、第２パターン画像ＳＰＩから第１パターン画像ＦＰＩへの表示の切替に伴って、輝度レベルが低下するグループである。下側の三角形領域中に表される長方形領域の組は、第２パターン画像ＳＰＩから第１パターン画像ＦＰＩへの表示の切替に伴って、輝度レベルが増加するグループである。２つの三角形領域の斜辺上の領域において、第２パターン画像ＳＰＩから第１パターン画像ＦＰＩへの表示の切替の間、輝度レベルが維持される。例えば、水平帯状領域ＨＳＲ４内に表された矩形領域ＲＳＲ３と水平帯状領域ＨＳＲ４内に表された矩形領域ＲＳＲ５との間の領域において、「７５％」の輝度レベルが維持される。
【０１００】
上述の数式において、「Ｙ１００％，１００％」は、「１００％」の輝度レベルが維持された領域において、実際に測定された輝度値を意味する。図１３に示されるクロストークの発生シミュレーションモデルにおいて、パターン画像（第１パターン画像ＦＰＩ及び第２パターン画像ＳＰＩ）の右下の角隅部の領域において測定された輝度値は、「Ｙ１００％，１００％」に相当する。
【０１０１】
上述の数式において、「Ｙ０％，０％」は、「０％」の輝度レベルが維持された領域において、実際に測定された輝度値を意味する。図１３に示されるクロストークの発生シミュレーションモデルにおいて、パターン画像（第１パターン画像ＦＰＩ及び第２パターン画像ＳＰＩ）の左上の角隅部の領域において測定された輝度値は、「Ｙ０％，０％」に相当する。
【０１０２】
上述の数式を用いて、様々な輝度レベルの変化の下で生ずるクロストークの平均値が算出される。
【０１０３】
（表示装置の性能評価）
上述のクロストークの平均値の算出手法を用いて、クロストークに関する表示装置２００の全体的な性能評価が好適に実行される。
【０１０４】
図１４は、クロストークの平均値を算出するための輝度値の測定位置を表す概略図である。図１、図３、図４及び図１４を用いて、表示装置２００の性能評価の手法が説明される。
【０１０５】
図３及び図４に関連して説明された如く、第１パターン画像ＦＰＩ及び第２パターン画像ＳＰＩは、表示領域２２１乃至２２９それぞれに表示される。図１に関連して説明された如く、撮像システム４００は、表示面２１０全体を撮像することができる。したがって、撮像システム４００が取得した撮像データに基づいて、表示領域２２１乃至２２９それぞれに対して、クロストークの平均値「ＣＴ」が算出される。図１４には、表示領域２２１乃至２２９それぞれに設けられた輝度値の測定位置Ｐ１乃至Ｐ９が示されている。
【０１０６】
下記の数式は、表示面２１０全体に亘るクロストークの平均値を算出するために用いられる。
【０１０７】
【数４】
2012056708.tif 000048
【０１０８】
上述の数式において、「ＣＴｔｏｔａｌ」は、表示面２１０全体に亘るクロストークの平均値を表す。「ＣＴＰ１」乃至「ＣＴＰ９」は、測定位置Ｐ１乃至Ｐ９それぞれにおいて得られた「ＣＴ」を意味する。
【０１０９】
（クロストークの検出方法）
図１５は、表示装置２００の表示面２１０に現れるクロストークを検出する方法の概略的なフローチャートである。図１、図３、図４及び図１５を用いて、クロストークの検出方法が説明される。
【０１１０】
（ステップＳ１００）
ステップＳ１００において、セットアップ工程が実行される。セットアップ工程において、表示装置２００に信号生成装置３００が接続される。また、表示装置２００に対して、適切な位置に、撮像システム４００が設置される。その後、ステップＳ２００及びステップＳ３００が実行される。
【０１１１】
（ステップＳ２００）
ステップＳ２００において、表示工程が実行される。表示工程において、第１画像ＦＩ及び第２画像ＳＩが表示面２１０に交互に表示される。後述される対比工程（ステップＳ４００）において、第２画像ＳＩは、第１画像ＦＩに先行して表示される画像として取り扱われる。ステップＳ２００と平行して、ステップＳ３００が実行される。
【０１１２】
（ステップＳ３００）
ステップＳ３００において、撮像工程が実行される。撮像工程において、カメラ装置４１０は、第１画像ＦＩ及び第２画像ＳＩを交互に表示する表示面２１０を撮像し、撮像データを処理装置４２０に出力する。上述のクロストークの定量化処理のために必要な撮像データが取得されると、ステップＳ４００が実行される。
【０１１３】
（ステップＳ４００）
ステップＳ４００において、対比工程が実行される。対比工程において、処理装置４２０は、各表示領域２２１乃至２２９について、矩形領域ＲＳＲ１乃至ＲＳＲ５が表示された領域の輝度及び／又は第２パターン画像ＳＰＩ中の対角線（左上の角隅部から右下の角隅部を結ぶ対角線）上の水平帯状領域ＨＳＲ１乃至ＨＳＲ５が表示された領域の輝度を、カメラ装置４１０から取得された撮像データに基づき解析する。この結果、上述の「ＣＴ」を算出するための数式中のパラメータ「Ｙｘ％，ｙ％」、「Ｙｙ％，ｙ％」、「Ｙ１００％，１００％」及び「Ｙ０％，０％」のデータが得られる。
【０１１４】
本実施形態において、処理装置４２０は、第２画像ＳＩを先に表示された画像として取り扱い、「ＣＴ」を算出する。したがって、上述の「ＣＴ」を算出するための数式の分子に表される「Ｙｘ％，ｙ％」と「Ｙｙ％，ｙ％」との差分演算は、実際に取得された輝度と第２画像ＳＩに後続して表示される第１画像ＦＩの輝度との対比を意味する。尚、処理装置４２０は、第１画像ＦＩを先に表示された画像として取り扱ってもよい。
【０１１５】
処理装置４２０は、各表示領域２２１乃至２２９に対して、「ＣＴ」（「ＣＴＰ１」乃至「ＣＴＰ９」）を算出する。処理装置４２０は、取得された「ＣＴＰ１」乃至「ＣＴＰ９」のデータを用いて、「ＣＴｔｏｔａｌ」、「ＣＴ」の最大値や「ＣＴ」の標準偏差を更に算出してもよい。この結果、処理装置４２０は、クロストークに関する様々な情報を検出することができる。
【０１１６】
（セットアップ工程）
図１６は、セットアップ工程の概略的なフローチャートである。図１７は、セットアップ工程における測定条件を設定するための例示的なスクリーンを表す概略図である。図１、図３、図４、図１６及び図１７を用いて、セットアップ工程が説明される。
【０１１７】
（ステップＳ１１０）
セットアップ工程において、ステップＳ１１０が最初に実行される。ステップＳ１１０において、カメラ装置４１０が、表示面２１０の高さ寸法「Ｈ」から「約３Ｈ」の距離だけ離間して設置される。また、カメラ装置４１０が表示面２１０を全体的に撮像できるように、カメラ装置４１０の焦点や他の光学的設定が調整される。また、処理装置４２０がカメラ装置４１０に電気的に接続される。その後、ステップＳ１２０が実行される。
【０１１８】
（ステップＳ１２０）
ステップＳ１２０において、シャッタ装置４５０がカメラ装置４１０の前に配設される。この結果、観察者が表示装置２００を用いて、立体映像を観察する環境と近似した環境の下でのクロストークの測定が可能となる。その後、ステップＳ１３０が実行される。
【０１１９】
（ステップＳ１３０）
ステップＳ１３０において、測定条件の設定及び調整が行われる。例えば、表示装置２００のフレームレートが１２０Ｈｚ（第１画像ＦＩ：６０Ｈｚ，第２画像ＳＩ：６０Ｈｚ）であるならば、撮像システム４００による測定周波数は、６０Ｈｚに設定される。また、本実施形態において、表示面２１０全体について、「５×５×９」個の測定位置の数（（矩形領域ＲＳＲ１乃至ＲＳＲ５が表示される領域の数×第２パターン画像ＳＰＩ中の対角線（左上の角隅部から右下の角隅部を結ぶ対角線）上の水平帯状領域ＨＳＲ１乃至ＨＳＲ５が表示される領域の数）×表示領域２２１乃至２２９の数）が設定される。また、撮像データ中の輝度測定の位置が設定される。例えば、処理装置４２０は、図１７に示されるスクリーン画面を表示してもよい。使用者は、スクリーン画面を通じて、測定位置の数や測定位置の座標を設定することができる。必要に応じて、カメラ装置４１０の露光調整が実行されてもよい。その後、ステップＳ１４０が実行される。
【０１２０】
（ステップＳ１４０）
ステップＳ１４０において、表示装置２００のエージングが行われる。表示面２１０に画像を表示した状態が、例えば、３０分又は１時間以上継続される。この結果、表示装置２００は、十分に暖められ、上述された表示工程の間における表示装置２００の動作が安定化される。尚、ステップＳ１４０は、ステップＳ１３０以前に行われてもよい。
【０１２１】
（表示工程及び撮像工程）
図１８は、表示工程及び撮像工程の概略的なフローチャートである。図１９Ａ及び図１９Ｂは、表示工程において用いられる画像の組み合わせの概略図である。図１、図３、図４、図１５、図１８乃至図１９Ｂを用いて、セットアップ工程が説明される。
【０１２２】
（ステップＳ２１０）
表示工程において、ステップＳ２１０が最初に実行される。ステップＳ２１０において、信号生成装置３００は、第２画像ＳＩを表示するための第２信号と、第１画像ＦＩを表示するための第１信号と、を交互に表示装置２００に出力する。この結果、表示装置２００は、第２画像ＳＩと第１画像ＦＩとを表示面２１０に交互に表示する（図１９Ａ参照）。尚、上述の如く、対比工程において、第２画像ＳＩは、先行して表示される映像として取り扱われる。第２画像ＳＩと第１画像ＦＩとの交互の表示が開始されると、ステップＳ３１０が実行される。尚、ステップＳ２１０は、表示工程に含まれる。
【０１２３】
（ステップＳ３１０）
ステップＳ３１０において、カメラ装置４１０は、表示面２１０を撮像し、処理装置４２０へ表示面２１０の撮像データを出力する。処理装置４２０は、撮像データに基づき、セットアップ工程において設定された測定位置における輝度を測定する。この結果、処理装置４２０は、上述の「ＣＴ」の算出のために用いられる「Ｙｘ％，ｙ％」のデータを取得する。尚、このとき、処理装置４２０は、セットアップ工程において第２パターン画像ＳＰＩ及び第１パターン画像ＦＰＩの左上の角隅部及び右下の角隅部に設定された測定位置における輝度を測定してもよい。この結果、処理装置４２０は、上述の「ＣＴ」の算出のために用いられる「Ｙ１００％，１００％」及び「Ｙ０％，０％」のデータを取得する。その後、ステップＳ２２０が実行される。尚、ステップＳ３１０は、撮像工程に含まれる。
【０１２４】
（ステップＳ２２０）
ステップＳ２２０において、信号生成装置３００は、第１画像ＦＩを表示するための第１信号を繰り返し表示装置２００に出力する。この結果、表示装置２００は、第１画像ＦＩを表示面２１０に繰り返し表示する（図１９Ｂ参照）。第１画像ＦＩの繰り返しの表示が開始されると、ステップＳ３２０が実行される。尚、ステップＳ２２０は、表示工程に含まれる。
【０１２５】
（ステップＳ３２０）
ステップＳ３２０において、カメラ装置４１０は、表示面２１０を撮像し、処理装置４２０へ表示面２１０の撮像データを出力する。処理装置４２０は、撮像データに基づき、セットアップ工程において設定された測定位置における輝度を測定する。この結果、処理装置４２０は、上述の「ＣＴ」の算出のために用いられる「Ｙｙ％，ｙ％」、「Ｙ１００％，１００％」及び「Ｙ０％，０％」のデータを取得する。
【０１２６】
代替的に、処理装置４２０は、第２パターン画像ＳＰＩ又は第１パターン画像ＦＰＩの左上の角隅部と右下の角隅部とを結ぶ対角線上に設定された測定位置における輝度を、「Ｙｙ％，ｙ％」、「Ｙ１００％，１００％」及び「Ｙ０％，０％」のデータを取得するために用いてもよい。この場合、ステップＳ２２０及びステップＳ３２０は省略されてもよい。しかしながら、この場合、「Ｙｙ％，ｙ％」、「Ｙ１００％，１００％」及び「Ｙ０％，０％」のデータが取得された測定位置と「Ｙｘ％，ｙ％」のデータが取得された測定位置が異なるので、クロストークのデータは、測定位置のずれに起因する誤差を含むこともある。
【０１２７】
（クロストークの測定結果）
図２０は、上述の測定から得られたクロストークの結果の概略図である。図２０を用いて、クロストークの測定結果が説明される。
【０１２８】
上述の測定は、表示領域２２１乃至２２９それぞれに対して、クロストークを評価することを可能にする。本実施形態において、表示面２１０は、概念的に９つの表示領域２２１乃至２２９に略等分割される。また、表示領域２２１乃至２２９に亘って、同一の第１パターン画像ＦＰＩ及び同一の第２パターン画像ＳＰＩが表示される。したがって、表示領域２２１乃至２２９それぞれに対して測定されたクロストークは、定量的に評価される。
【０１２９】
図２０に示される測定結果によれば、表示領域２２６及び表示領域２２９（領域ＣＴＺ）において、顕著なクロストークが観察される。したがって、使用者は、表示領域２２６及び表示領域２２９の輝度特性を変更することによって、表示性能が向上することを理解することができる。尚、使用者は、発生するクロストークに応じて、特定領域の左右の電圧レベル（信号レベル）の少なくとも一方のレベルを増減させるクロストークキャンセル処理（図示せず）のパラメータを調整してもよい。
【０１３０】
（表示装置の製造方法）
上述の如く、クロストークの測定結果に基づき、表示装置２００が製造されるならば、表示装置２００は、高品位の画像（即ち、クロストークが小さな画像）を表示することができる。
【０１３１】
図２１は、表示装置２００の製造工程の概略的なフローチャートである。図１、図６、図１５、図２０及び図２１を用いて、表示装置２００の製造方法が説明される。
【０１３２】
（ステップＳ０５０）
ステップＳ０５０において、組立工程が実行される。組立工程において、液晶ディスプレイパネルやプラズマディスプレイパネルといった表示部が筐体２１１に組み込まれ、表示装置２００が用意される。その後、図１５に関連して説明されたセットアップ工程（ステップＳ１００）、表示工程（ステップＳ２００）、撮像工程（ステップＳ３００）及び対比工程（ステップＳ４００）が実行される。対比工程の後、ステップＳ５００が実行される。
【０１３３】
（ステップＳ５００）
ステップＳ５００において、検査工程が実行される。対比工程において算出された「ＣＴ」（「ＣＴＰ１」乃至「ＣＴＰ９」）に対して、許容値（閾値）が予め設定されている。許容値を超える「ＣＴ」が表示領域２２１乃至２２９のうち少なくとも１つに現れるならば、ステップＳ６００が実行される。他の場合には、製造工程は終了し、表示装置２００が完成する。
【０１３４】
（ステップＳ６００）
ステップＳ６００において、調整工程が実行される。図２０に関連して説明された結果によれば、表示領域２２６及び表示領域２２９において、顕著なクロストーク（許容値を超える「ＣＴ」）が現れている。したがって、使用者は、表示領域２２６及び表示領域２２９の輝度特性が調整されるべきことを見極めることができる。
【０１３５】
図６に関連して説明された調整部２５０は、表示領域２２１乃至２２９それぞれに対して選択的に輝度特性を調整することを可能にする。したがって、図２０に関連して説明された測定結果を得た使用者は、調整部２５０を操作し、表示領域２２６及び表示領域２２９の輝度特性を調整することができる。その後、ステップＳ１００が再度実行され、クロストークが再度検査される。
【０１３６】
（クロストークの他の算出方法）
上述のクロストークの定量値（「ＣＴ」）の算出式において、白色表示をするための信号電圧値によって表示された領域の輝度（「Ｙ１００％，１００％」）と黒色表示をするための信号電圧値によって表示された領域の輝度（「Ｙ０％，０％」）との差分値が用いられている。代替的に、他の算出式に基づいて、クロストークの定量値が算出されてもよい。
【０１３７】
下記の数式は、先行して表示される画像パターンの輝度が後続の画像パターンの輝度より高いときに用いられる（ｘ％＞ｙ％）。即ち、下記の数式は、図１３に示される上側の三角形領域内で表示されるパターンに対するクロストークの評価に利用される。
【０１３８】
【数５】
2012056708.tif 000049
【０１３９】
下記の数式は、先行して表示される画像パターンの輝度が後続の画像パターンの輝度より低いときに用いられる（ｘ％＜ｙ％）。即ち、下記の数式は、図１３に示される下側の三角形領域内で表示されるパターンに対するクロストークの評価に利用される。
【０１４０】
【数６】
2012056708.tif 000050
【０１４１】
図２２Ａ及び図２２Ｂは、上述の２つの数式に基づき、クロストークが評価されるときに用いられるパターン画像の組み合わせの概略図である。図１５、図１９Ａ、図１９Ｂ、図２２Ａ及び図２２Ｂを用いて、クロストークの定量化に用いられるパターン画像の他の組み合わせが説明される。
【０１４２】
上述の２つの数式が用いられるならば、図１９Ａ及び図１９Ｂに関連して説明されたパターン画像の組み合わせに加えて、図２２Ａ及び図２２Ｂに示されるパターン画像の組み合わせが用いられる。図２２Ａに示される組み合わせに関して、第１画像ＦＩは、クロストークの定量値を算出するために、先に表示される画像として取り扱われる。また、第２画像ＳＩは、第１画像ＦＩの後に表示される画像として取り扱われる。図２２Ｂに示される組み合わせは、第２画像ＳＩが繰り返し表示されることを意味する。
【０１４３】
図１５及び図１８に関連して説明された表示工程において、２つの組み合わせパターンで画像が表示される（ステップＳ２１０及びステップＳ２２０）。図２２Ａ及び図２２Ｂに示される画像パターンの組み合わせが用いられるならば、表示工程において、４つの組み合わせパターンが、順次、表示される。表示されたパターン画像の組み合わせそれぞれに対して、輝度が測定される。この結果、上述の２つの数式で用いられたパラメータ「Ｙｘ％，ｘ％」，「Ｙｙ％，ｙ％」のデータが取得される。
【０１４４】
（他のパターン画像）
図２３Ａは、他の第１画像ＦＪの概略図である。図２３Ｂは、他の第２画像ＳＪの概略図である。図３と図２３Ａとを比較し、他の第１画像ＦＪが説明される。図４と図２３Ｂとを比較し、他の第２画像ＳＪが説明される。
【０１４５】
図２３Ａに示される如く、表示面２１０は、表示領域２２１乃至２２９に概念的に区分される。図２３Ａにおいて、表示領域２２１乃至２２９への概念的な区分は、中央の表示領域２２１が第１パターン画像ＦＰＩによって占められるように規定されている。
【０１４６】
表示領域２２２、２２５、２２７に示される第１画像ＦＪの第１パターン画像ＦＰＩは、図３に示される第１パターン画像ＦＰＩの位置よりも右方にずらされている。この結果、表示領域２２２、２２５、２２７に示される第１画像ＦＪの第１パターン画像ＦＰＩは、表示領域２２３、２２１、２２８に示される第１パターン画像ＦＰＩと一体的に視認される。
【０１４７】
表示領域２２４、２２６、２２９に示される第１画像ＦＪの第１パターン画像ＦＰＩは、図３に示される第１パターン画像ＦＰＩの位置よりも左方にずらされている。この結果、表示領域２２４、２２６、２２９に示される第１画像ＦＪの第１パターン画像ＦＰＩは、表示領域２２３、２２１、２２８に示される第１パターン画像ＦＰＩと一体的に視認される。
【０１４８】
第２画像ＳＪは、第１画像ＦＪの複数の第１パターン画像ＦＰＩの表示位置それぞれと対応する位置に表示される複数の第２パターン画像ＳＰＩを含む。図２３Ａ及び図２３Ｂに示される第１パターン画像ＦＰＩ及び第２パターン画像ＳＰＩは、表示面２１０の中央に密集している。したがって、クロストークが認識されやすい表示面２１０の中央領域におけるクロストークが高い精度で検出される。
【０１４９】
図２４は、図２３Ｂに示される第２画像ＳＪの寸法値を示す。図２１及び図２４を用いて、更に改良されたパターン画像が説明される。
【０１５０】
図２４に示される第２画像ＳＪが映し出された表示面２１０は、全体として、「略２４％グレイ」の反射率を有する。水平帯状領域ＨＳＲ１乃至ＨＳＲ５の高さ寸法は、「６４」である。矩形領域ＲＳＲ１乃至ＲＳＲ５の高さ寸法は、「１６」である。矩形領域ＲＳＲ１乃至ＲＳＲ５は、水平帯状領域ＨＳＲ１乃至ＨＳＲ５の中心（垂直方向において）に配設される。したがって、矩形領域ＲＳＲ１乃至ＲＳＲ５の上縁と水平帯状領域ＨＳＲ１乃至ＨＳＲ５の下縁との間の寸法「Ｈ１」並びに矩形領域ＲＳＲ１乃至ＲＳＲ５の下縁と水平帯状領域ＨＳＲ１乃至ＨＳＲ５の下縁との間の寸法「Ｈ１」は、それぞれ「１６」となる。
【０１５１】
水平帯状領域ＨＳＲ１乃至ＨＳＲ５の高さ寸法が、「６４」から「４８」に変更されるならば、上述の寸法「Ｈ１」の値は、「８」となる。このとき、図２４に示される第２画像ＳＪが映し出された表示面２１０は、全体として、「略１８％グレイ」の反射率を有する。かくして、クロストークは、標準的な光学的環境の下、検出されることとなる。
【０１５２】
第２画像ＳＪの第２パターン画像ＳＰＩは、それぞれ「４８０」の幅寸法値「Ｗ１」（水平方向）を有する。第２パターン画像ＳＰＩの幅寸法「Ｗ１」が、「４８０」から「３６０」に変更されるならば、高さ寸法「Ｈ１」の変更と同様に、図２４に示される第２画像ＳＪが映し出された表示面２１０は、全体として、「略１８％グレイ」の反射率を有することとなる。
【０１５３】
図２１に関連して説明された表示工程において表示面２１０の平均輝度が、１５％以上２５％以下となるように、第１画像及び第２画像のパターンの寸法が設定されることが好ましい。この結果、使用者が映像を視聴する環境に近似した条件下で、クロストークの検出が行われることとなる。
【０１５４】
図２５は、他の第２画像ＳＫの概略図である。図３、図４、図８及び図２５を用いて、第２画像ＳＫが説明される。
【０１５５】
第２画像ＳＫは、上述の第２画像ＳＩに代えて、第１画像ＦＩとともに用いられてもよい。第２画像ＳＫは、表示領域２２１乃至２２９それぞれに表示された９つの第２パターン画像ＳＰＫを含む。
【０１５６】
第２パターン画像ＳＰＫは、上述の第２パターン画像ＳＰＩと同様に、水平帯状領域ＨＳＲ１乃至ＨＳＲ５を含む。第２パターン画像ＳＰＫは、水平帯状領域ＨＳＲ１乃至ＨＳＲ５内でそれぞれ表示されるグラデーション帯状領域ＧＳＲを更に含む。グラデーション帯状領域ＧＳＲは、水平帯状領域ＨＳＲ１乃至ＨＳＲ５と同様に水平方向に延びる。グラデーション帯状領域ＧＳＲの輝度は、グラデーション帯状領域ＧＳＲの左端から右端に向けて徐々に高くなっている。本実施形態において、グラデーション帯状領域ＧＳＲは、副領域として例示される。
【０１５７】
第２画像ＳＫがクロストークの検出に用いられるならば、クロストークが発生している表示面２１０の領域が視覚的に把握されやすくなる。したがって、第２画像ＳＫは、直感的なクロストークの検出に好適に用いられる。
【０１５８】
図２６は、他の第２パターン画像ＳＰＬの概略図である。図８及び図２６を対比して、第２パターン画像ＳＰＬが説明される。
【０１５９】
第２パターン画像ＳＰＬは、図８に関連して説明された第２パターン画像ＳＰＩと同様に、水平帯状領域ＨＳＲ１乃至ＨＳＲ５を含む。しかしながら、図８に関連して説明された第２パターン画像ＳＰＩとは異なり、第２パターン画像ＳＰＬは、矩形領域ＲＳＲ１乃至ＲＳＲ５に代えて、水平帯状領域ＨＳＲ１乃至ＨＳＲ５よりも小さな円形領域ＣＳＲ１乃至ＣＳＲ５を含む。
【０１６０】
円形領域ＣＳＲ１は、「０％」の輝度レベルで表示される領域である。円形領域ＣＳＲ２は、「２５％」の輝度レベルで表示される領域である。円形領域ＣＳＲ３は、「５０％」の輝度レベルで表示される領域である。円形領域ＣＳＲ４は、「７５％」の輝度レベルで表示される領域である。円形領域ＣＳＲ５は、「１００％」の輝度レベルで表示される領域である。
【０１６１】
水平帯状領域ＨＳＲ１内において、水平帯状領域ＨＳＲ１の輝度レベルとは異なる輝度レベルで表現される４つの円形領域ＣＳＲ２乃至ＣＳＲ５が表示される。水平帯状領域ＨＳＲ２内において、水平帯状領域ＨＳＲ２の輝度レベルとは異なる輝度レベルで表現される４つの円形領域ＣＳＲ１，ＣＳＲ３乃至ＣＳＲ５が表示される。水平帯状領域ＨＳＲ３内において、水平帯状領域ＨＳＲ３の輝度レベルとは異なる輝度レベルで表現される４つの円形領域ＣＳＲ１，ＣＳＲ２，ＣＳＲ４，ＣＳＲ５が表示される。水平帯状領域ＨＳＲ４内において、水平帯状領域ＨＳＲ４の輝度レベルとは異なる輝度レベルで表現される４つの円形領域ＣＳＲ１乃至ＣＳＲ３，ＣＳＲ５が表示される。水平帯状領域ＨＳＲ５内において、水平帯状領域ＨＳＲ５の輝度レベルとは異なる輝度レベルで表現される４つの円形領域ＣＳＲ１乃至ＣＳＲ４が表示される。本実施形態において、円形領域ＣＳＲ１乃至ＣＳＲ５は、副領域としてそれぞれ例示される。水平帯状領域ＨＳＲ１内において表示される４つの円形領域ＣＳＲ２乃至ＣＳＲ５のグループ、水平帯状領域ＨＳＲ２内において表示される４つの円形領域ＣＳＲ１，ＣＳＲ３乃至ＣＳＲ５のグループ、水平帯状領域ＨＳＲ３内において表示される４つの円形領域ＣＳＲ１，ＣＳＲ２，ＣＳＲ４，ＣＳＲ５のグループ、水平帯状領域ＨＳＲ４内において表示される４つの円形領域ＣＳＲ１乃至ＣＳＲ３，ＣＳＲ５のグループ及び水平帯状領域ＨＳＲ４内において表示される４つの円形領域ＣＳＲ１乃至ＣＳＲ４のグループは、第１領域グループとして、それぞれ例示される。
【０１６２】
「０％」の輝度レベルで表現される４つの円形領域ＣＳＲ１、「２５％」の輝度レベルで表現される４つの円形領域ＣＳＲ２、「５０％」の輝度レベルで表現される４つの円形領域ＣＳＲ３、「７５％」の輝度レベルで表現される４つの円形領域ＣＳＲ４及び「１００％」の輝度レベルで表現される４つの円形領域ＣＳＲ５は、垂直方向に整列している。４つの円形領域ＣＳＲ１のグループ、４つの円形領域ＣＳＲ２のグループ、４つの円形領域ＣＳＲ３のグループ、４つの円形領域ＣＳＲ４のグループ及び４つの円形領域ＣＳＲ５のグループは、第２領域グループとして、それぞれ例示される。４つの円形領域ＣＳＲ１のグループ、４つの円形領域ＣＳＲ２のグループ、４つの円形領域ＣＳＲ３のグループ、４つの円形領域ＣＳＲ４のグループ及び４つの円形領域ＣＳＲ５のグループは、水平方向に略等間隔に整列する。
【０１６３】
図２７Ａは、他の第１パターン画像ＦＰＭの概略図である。図２７Ｂは、他の第２パターン画像ＳＰＭの概略図である。図７と図２７Ａとの対比及び図８と図２７Ｂとの対比の下、第１パターン画像ＦＰＭ及び第２パターン画像ＳＰＭが説明される。
【０１６４】
第１パターン画像ＦＰＭは、垂直方向に延びる５つの垂直帯状領域ＶＳＲ１乃至ＶＳＲ５を含む。垂直帯状領域ＶＳＲ１は、第１パターン画像ＦＰＭ中、最も右方の領域である。垂直帯状領域ＶＳＲ５は、第１パターン画像ＦＰＭ中、最も左方の領域である。垂直帯状領域ＶＳＲ２は、垂直帯状領域ＶＳＲ１に隣接する領域である。垂直帯状領域ＶＳＲ４は、垂直帯状領域ＶＳＲ５に隣接する領域である。垂直帯状領域ＶＳＲ３は、垂直帯状領域ＶＳＲ２と垂直帯状領域ＶＳＲ４との間の領域である。本実施形態において、垂直方向に整列した垂直帯状領域ＶＳＲ１乃至ＶＳＲ５は、同形同大である。代替的に、垂直帯状領域ＶＳＲ１乃至ＶＳＲ５は、互いに異なる長さ或いは幅を有してもよい。本実施形態において、垂直帯状領域ＶＳＲ１乃至ＶＳＲ５それぞれは、第１主領域として例示される。
【０１６５】
本実施形態において、垂直帯状領域ＶＳＲ１の輝度レベルは、「０％」である。垂直帯状領域ＶＳＲ５の輝度レベルは、「１００％」である。垂直帯状領域ＶＳＲ２の輝度レベルは、「２５％」である。垂直帯状領域ＶＳＲ３の輝度レベルは、「５０％」である。垂直帯状領域ＶＳＲ４の輝度レベルは、「７５％」である。垂直帯状領域ＶＳＲ１乃至ＶＳＲ５のうち１つは、第１主領域として例示される。例えば、垂直帯状領域ＶＳＲ１が第１主領域として例示されるならば、「０％」の輝度レベルは、第１輝度として例示される。このとき、垂直帯状領域ＶＳＲ１よりも高い輝度レベルで表現される垂直帯状領域ＶＳＲ２乃至ＶＳＲ５のうち１つは、第２主領域として例示される。例えば、垂直帯状領域ＶＳＲ２が第２主領域として例示されるならば、「２５％」の輝度レベルは、第２輝度として例示される。このとき、垂直帯状領域ＶＳＲ２よりも高い輝度レベルで表現される垂直帯状領域ＶＳＲ３乃至ＶＳＲ５のうち１つは、第３主領域として例示される。例えば、垂直帯状領域ＶＳＲ３が第３主領域として例示されるならば、「５０％」の輝度レベルは、第３輝度として例示される。
【０１６６】
第２パターン画像ＳＰＭは、第１パターン画像ＦＰＭと同様に、垂直帯状領域ＶＳＲ１乃至ＶＳＲ５を含む。第２パターン画像ＳＰＭは、垂直帯状領域ＶＳＲ１乃至ＶＳＲ５よりも小さな矩形領域ＲＳＲ１乃至ＲＳＲ５を更に含む。
【０１６７】
垂直帯状領域ＶＳＲ１内において、垂直帯状領域ＶＳＲ１の輝度レベルとは異なる輝度レベルで表現される４つの矩形領域ＲＳＲ２乃至ＲＳＲ５が表示される。垂直帯状領域ＶＳＲ２内において、垂直帯状領域ＶＳＲ２の輝度レベルとは異なる輝度レベルで表現される４つの矩形領域ＲＳＲ１，ＲＳＲ３乃至ＲＳＲ５が表示される。垂直帯状領域ＶＳＲ３内において、垂直帯状領域ＶＳＲ３の輝度レベルとは異なる輝度レベルで表現される４つの矩形領域ＲＳＲ１，ＲＳＲ２，ＲＳＲ４，ＲＳＲ５が表示される。垂直帯状領域ＶＳＲ４内において、垂直帯状領域ＶＳＲ４の輝度レベルとは異なる輝度レベルで表現される４つの矩形領域ＲＳＲ１乃至ＲＳＲ３，ＲＳＲ５が表示される。垂直帯状領域ＶＳＲ５内において、垂直帯状領域ＶＳＲ５の輝度レベルとは異なる輝度レベルで表現される４つの矩形領域ＲＳＲ１乃至ＲＳＲ４が表示される。垂直帯状領域ＶＳＲ１内において表示される４つの矩形領域ＲＳＲ２乃至ＲＳＲ５のグループ、垂直帯状領域ＶＳＲ２内において表示される４つの矩形領域ＲＳＲ１，ＲＳＲ３乃至ＲＳＲ５のグループ、垂直帯状領域ＶＳＲ３内において表示される４つの矩形領域ＲＳＲ１，ＲＳＲ２，ＲＳＲ４，ＲＳＲ５のグループ、垂直帯状領域ＶＳＲ４内において表示される４つの矩形領域ＲＳＲ１乃至ＲＳＲ３，ＲＳＲ５のグループ及び垂直帯状領域ＶＳＲ５内において表示される４つの矩形領域ＲＳＲ１乃至ＲＳＲ４のグループは、第１領域グループとして、それぞれ例示される。
【０１６８】
本実施形態において、主領域としてそれぞれ例示される垂直帯状領域ＶＳＲ１乃至ＶＳＲ５は、垂直方向にそれぞれ延びる。したがって、垂直方向は、第１方向として例示される。
【０１６９】
「０％」の輝度レベルで表現される４つの矩形領域ＲＳＲ１、「２５％」の輝度レベルで表現される４つの矩形領域ＲＳＲ２、「５０％」の輝度レベルで表現される４つの矩形領域ＲＳＲ３、「７５％」の輝度レベルで表現される４つの矩形領域ＲＳＲ４及び「１００％」の輝度レベルで表現される４つの矩形領域ＲＳＲ５は、水平方向に整列している。本実施形態において、水平方向は、第２方向として例示される。４つの矩形領域ＲＳＲ１のグループ、４つの矩形領域ＲＳＲ２のグループ、４つの矩形領域ＲＳＲ３のグループ、４つの矩形領域ＲＳＲ４のグループ及び４つの矩形領域ＲＳＲ５のグループは、第２領域グループとして、それぞれ例示される。４つの矩形領域ＲＳＲ１のグループ、４つの矩形領域ＲＳＲ２のグループ、４つの矩形領域ＲＳＲ３のグループ、４つの矩形領域ＲＳＲ４のグループ及び４つの矩形領域ＲＳＲ５のグループは、垂直方向に略等間隔に整列する。
【０１７０】
上述の様々なパターン画像に関して、第１パターン画像の平均輝度は、第２パターン画像の平均輝度と略一致している。例えば、図７及び図８を参照するならば、４つの矩形領域ＲＳＲ１が水平帯状領域ＨＳＲ１中で表示される４つの矩形領域ＲＳＲ２乃至ＲＳＲ５と入れ替えられるならば、第１パターン画像ＦＰＩの水平帯状領域ＨＳＲ１に略一致することが分かる。同様に、第２パターン画像ＳＰＩ中の矩形領域ＲＳＲ１乃至ＲＳＲ５の位置が変更されるならば、第１パターン画像ＦＰＩと等しいパターンの画像が作り出される。このことは、平均輝度の変動に起因するクロストークの検出誤差を低減させる。
【０１７１】
（信号生成プログラム）
図５に関連して説明された如く、第１画像及び第２画像を表示するために、信号生成装置３００は、第１信号及び第２信号を出力する。第１信号及び第２信号は、例えば、信号生成部３２０として用いられるＣＰＵが実行するプログラムに従って生成されてもよい。尚、プログラムは、第１画像及び第２画像のデータを格納する記憶部３１０に記憶されてもよいし、他の記憶媒体に格納されてもよい。
【０１７２】
図２８は、信号生成装置３００に第１信号及び第２信号を生成させるための信号生成プログラムが実行する処理を概略的に示すフローチャートである。図５、図１５及び図２８を用いて、信号生成プログラムが説明される。
【０１７３】
（ステップＳ７１０）
図１５に関連して説明されたセットアップ工程が完了すると、信号生成プログラムは、ステップＳ７１０を実行する。ステップＳ７１０において、信号生成プログラムは、第１画像及び第２画像のうち一方を、表示される画像として選択する。尚、最初の処理ルーチンにおいて、信号プログラムは、第１画像及び第２画像のうち一方を、デフォルトで選択してもよい。直前の処理ルーチンで第１画像が選択されているならば、その後の処理ルーチンにおいて、第２画像が選択される。直前の処理ルーチンで第２画像が選択されているならば、その後の処理ルーチンにおいて、第１画像が選択される。ステップＳ７１０において、第１画像が選択されるならば、ステップＳ７２０が実行される。ステップＳ７２０において、第２画像が選択されるならば、ステップＳ７５０が実行される。
【０１７４】
（ステップＳ７２０）
ステップＳ７２０において、信号生成プログラムは、第１ディレクトリ３１１から第１画像のデータを信号生成部３２０に読み出させる。その後、ステップＳ７３０が実行される。
【０１７５】
（ステップＳ７３０）
ステップＳ７３０において、信号生成プログラムは、信号生成部３２０に、第１画像のデータに基づき、第１信号を生成させる。信号生成プログラムは、その後、信号生成部３２０に、第１信号を出力部３３０に向けて出力させる。第１信号が出力部３３０に入力されると、ステップＳ７４０が実行される。
【０１７６】
（ステップＳ７４０）
ステップＳ７４０において、信号生成プログラムは、出力部３３０に、第１信号を表示装置２００に向けて出力させる。この結果、表示装置２００は、第１画像を出力する。第１信号が表示装置２００に出力されると、ステップＳ７８０が実行される。
【０１７７】
（ステップＳ７５０）
ステップＳ７５０において、信号生成プログラムは、第２ディレクトリ３１２から第２画像のデータを信号生成部３２０に読み出させる。その後、ステップＳ７６０が実行される。
【０１７８】
（ステップＳ７６０）
ステップＳ７６０において、信号生成プログラムは、信号生成部３２０に、第２画像のデータに基づき、第２信号を生成させる。信号生成プログラムは、その後、信号生成部３２０に、第２信号を出力部３３０に向けて出力させる。第２信号が出力部３３０に入力されると、ステップＳ７７０が実行される。
【０１７９】
（ステップＳ７７０）
ステップＳ７７０において、信号生成プログラムは、出力部３３０に、第２信号を表示装置２００に向けて出力させる。この結果、表示装置２００は、第２画像を出力する。第２信号が表示装置２００に出力されると、ステップＳ７８０が実行される。
【０１８０】
（ステップＳ７８０）
ステップＳ７８０において、信号生成プログラムは、第１画像又は第２画像の表示動作が継続するか否かを判定する。表示動作が継続されるか否かの判定は、例えば、セットアップ工程において設定された測定時間や他の判断基準に基づいてもよい。表示動作が継続されないと判定されるならば、信号生成プログラムは、処理を終了する。表示動作が継続されると判定されるならば、ステップＳ７１０が再度実行される。
【０１８１】
上述の実施形態において、アクティブ方式での表示環境の下、クロストークの評価が行われている。しかしながら、上述の実施形態の原理は、パッシブ方式の表示環境にも適用可能である。例えば、表示装置は、偏光特性を変えて、パターン画像を表示してもよい。また、シャッタ装置４５０に代えて、偏光フィルタや、映像光の偏光特性に応じて、光の透過或いは遮断を選択することができる他の光学素子が用いられてもよい。このような光学的環境下においても、クロストークは適切に検出並びに評価される。
【０１８２】
上述の実施形態において、グレイスケールを用いて、クロストークの評価が行われている。しかしながら、上述の実施形態の原理は、例えば、三原色（ＲＧＢ）のうち１つの色相の発光に対して適用されてもよい。
【０１８３】
（本実施形態の利点）
本実施形態の原理は、表示面２１０に亘って複数のパターン画像（第１パターン画像又は第２パターン画像）が同時に表示される点に特徴付けられる。表示面に亘って単一のパターン画像が表示されるならば、表示面上で観察されたクロストークが表示面の輝度特性に起因するものなのか、或いは、パターン画像に起因するものなのかを判定することは困難である。表示面の輝度特性に起因するクロストークを見極めるために単一のパターン画像が用いられるならば、表示面の一部に単一のパターン画像を表示し、クロストークが見極められる必要がある。その後、単一のパターン画像の表示位置を変え、別途、クロストークの評価が実行される必要がある。かくして、表示面の輝度特性に起因するクロストークを見極めるために単一のパターン画像が用いられるならば、クロストークの測定が繰り返される必要がある。
【０１８４】
クロストークの測定の繰り返しは、測定間での誤差を生じさせる。例えば、一の測定と他の測定との間で、表示面の温度が変化することもある。表示面の温度は、クロストークの発生に密接に関連するので、クロストークの測定回数が増加するならば、測定データ間に含まれる誤差が大きくなる。
【０１８５】
本実施形態において、表示面２１０に亘って複数のパターン画像（第１パターン画像又は第２パターン画像）が同時に表示される。したがって、クロストークの測定は、繰り返される必要はほとんどない。このため、本実施形態の原理に従って取得されたクロストークのデータは、表示面２１０の経時的な温度変化に起因する誤差をほとんど含まない。
【０１８６】
図２９は、単一のパターン画像が表示される表示環境下でのクロストークの測定の概略図である。図２９の測定手法との比較の下、本実施形態の利点が更に説明される。
【０１８７】
図２９には、表示面の中央に対向する第１測定位置に配設された撮像システムによる測定と、第１測定位置より左の第２測定位置に配設された撮像システムによる測定と、が示されている。図２９に示される表示面の左上の角隅部にパターン画像が表示されている。
【０１８８】
第１測定位置と第２測定位置との間では、パターン画像の撮像角度が異なる。撮像角度の相違は、第１測定位置で測定されたクロストークのデータと第２測定位置で測定されたクロストークのデータとの間でのずれを生じさせる。また、多くの場合、映像を視聴する視聴者は、表示面の中央に正対するので、第２測定位置で測定されたクロストークのデータは、実際の視聴者が知覚するクロストークの乖離する可能性もある。
【０１８９】
図１に示される如く、本実施形態において、撮像システム４００は、表示面２１０に対して、正対される。加えて、撮像システム４００は、表示面２１０を全体的に撮像する。したがって、撮像システム４００は、視聴者の実際の視聴環境下に近い光学的設定の下、クロストークを測定することができる。
【０１９０】
上述の様々な実施形態は、単に例示的なものである。したがって、上述の実施形態の原理は、上記の詳細な説明や図面に記載の事項に限定されない。上述の実施形態の原理の範囲内で、当業者が様々な変形、組み合わせや省略を行うことができることは容易に理解される。
【０１９１】
上述された実施形態は、以下の特徴を主に備える。
【０１９２】
上述の実施形態の一の局面に係る表示装置に入力された画像信号に含まれる複数の同一パターン画像によって区画される複数の表示領域を含む表示面に現れるクロストークの検出方法は、異なる輝度で表現される複数の主領域をそれぞれ含む複数の第１パターン画像を有する第１画像と、前記複数の主領域と前記複数の主領域内においてそれぞれ異なる輝度で表現される複数の副領域とをそれぞれ含む第２パターン画像を複数有する第２画像とを前記表示面に表示する段階と、前記表示面を撮像し、撮像データを得る段階と、前記第１画像及び前記第２画像のうち少なくとも一方と前記撮像データとを対比し、クロストークを検出する段階と、を備え、前記第１パターン画像及び前記第２パターン画像は、前記表示面の中央に位置する中央領域及び該中央領域に隣接する隣接領域それぞれに表示されることを特徴とする。
【０１９３】
上記構成によれば、表示面は、表示装置に入力された画像信号に含まれる複数の同一パターン画像によって区画される複数の表示領域を含む。複数の第１パターン画像を含む第１画像及び複数の第２パターン画像を含む第２画像を表示する表示面が撮像され、撮像データが得られる。第１画像及び第２画像のうち少なくとも一方は、撮像データと対比される。この結果、表示面上に現れたクロストークが適切に検出される。表示面に表示された複数の第１パターン画像及び複数の第２パターン画像の撮像データに基づき、クロストークが検出されるので、クロストークのデータは、経時的な温度変化の影響を受けにくくなる。かくして、クロストークのデータは、高い再現性を有する。
【０１９４】
第１パターン画像は、異なる輝度で表現される複数の主領域を含む。第２パターン画像は、複数の主領域と、複数の主領域内においてそれぞれ表現される複数の副領域と、を含む。副領域は、副領域を取り囲む主領域とは異なる輝度で表現される。したがって、第１画像及び第２画像のうち少なくとも一方と撮像データとを対比の結果、クロストークが適切に検出される。
【０１９５】
表示面は、前記第１パターン画像がそれぞれ表示される複数の表示領域を含む。複数の表示領域は、表示面の中央に位置する中央領域と、中央領域に隣接する隣接領域と、を含む。第１パターン画像は、中央領域及び隣接領域それぞれに表示される。第２パターン画像も、中央領域及び隣接領域それぞれに表示される。この結果、中央領域及び隣接領域におけるクロストークが略同時に検出される。したがって、クロストークのデータは、表示領域間で経時的な温度変化の影響を受けにくくなる。かくして、クロストークのデータは、高い再現性を有する。
【０１９６】
上述の如く、中央領域及び隣接領域におけるクロストークが略同時に検出されるので、視聴者が実際の映像を視聴する条件に近い条件下で、クロストークが検出される。したがって、検出されたクロストークのデータは、高い信頼性を有する。
【０１９７】
上記構成において、前記表示面は、前記中央領域と、該中央領域を取り囲むように配置された複数の隣接領域に区画され、前記第１パターン画像は、前記中央領域及び前記複数の隣接領域それぞれに表示され、前記第２パターン画像は、前記中央領域及び前記複数の隣接領域それぞれに表示されることが好ましい。
【０１９８】
上記構成によれば、表示面は、表示面の中央に位置する中央領域と、中央領域を取り囲むように配置された複数の隣接領域と、に区画される。第１パターン画像は、中央領域及び複数の隣接領域それぞれに表示される。第２パターン画像も、中央領域及び複数の隣接領域それぞれに表示される。この結果、表示面全体におけるクロストークが略同時に検出される。したがって、クロストークのデータは、経時的な温度変化の影響を受けにくくなる。かくして、クロストークのデータは、高い再現性を有する。
【０１９９】
上述の如く、中央領域及び複数の隣接領域におけるクロストークが略同時に検出されるので、視聴者が実際の映像を視聴する条件に近い条件下で、クロストークが検出される。したがって、検出されたクロストークのデータは、高い信頼性を有する。
【０２００】
上記構成において、前記表示面は、９つの表示領域に区画されることが好ましい。
【０２０１】
上記構成によれば、表示面は、９つの表示領域に区画されるので、第１パターン画像は、９つの表示領域それぞれに表示される。第２パターン画像も、９つの表示領域それぞれに表示される。この結果、表示面全体におけるクロストークが略同時に検出される。したがって、クロストークのデータは、経時的な温度変化の影響を受けにくくなる。かくして、クロストークのデータは、高い再現性を有する。
【０２０２】
上述の如く、９つの表示領域におけるクロストークが略同時に検出されるので、視聴者が実際の映像を視聴する条件に近い条件下で、クロストークが検出される。したがって、検出されたクロストークのデータは、高い信頼性を有する。
【０２０３】
上記構成において、前記複数の主領域は、第１輝度で表される第１主領域と、該第１輝度よりも高い第２輝度で表される第２主領域と、前記第２輝度よりも高い第３輝度で表される第３主領域と、を含むことが好ましい。
【０２０４】
上記構成によれば、複数の主領域は、第１輝度で表される第１主領域と、第１輝度よりも高い第２輝度で表される第２主領域と、第２輝度よりも高い第３輝度で表される第３主領域と、を含む。したがって、中間階調で表現される領域のクロストークが適切に検出される。
【０２０５】
上記構成において、前記複数の主領域は、第１輝度で表される第１主領域を含み、前記複数の副領域は、前記第１主領域内において互いに異なる輝度で表現される複数の領域からなる第１領域グループを含むことが好ましい。
【０２０６】
上記構成によれば、複数の主領域は、第１輝度で表される第１主領域を含む。複数の副領域は、第１主領域内で表現される複数の領域からなる第１領域グループを含む。第１領域グループの複数の領域の輝度は互いに異なるので、中間階調で表現される領域のクロストークが適切に検出される。
【０２０７】
上記構成において、前記副領域は、矩形又は円形であることが好ましい。
【０２０８】
上記構成によれば、副領域は、矩形又は円形であるので、クロストークを定量的に評価するための演算が容易となる。
【０２０９】
上記構成において、前記複数の主領域は、第１輝度で表される第１主領域を含み、該第１主領域は、水平方向に延びる水平帯状領域又は垂直方向に延びる垂直帯状領域であり、前記第１主領域内の前記副領域は、前記水平帯状領域内で前記水平方向に輝度が増大又は減少するグラデーションパターン又は前記垂直帯状領域内で前記垂直方向に輝度が増大又は減少するグラデーションパターンを形成することが好ましい。
【０２１０】
上記構成によれば、複数の主領域は、第１輝度で表される第１主領域を含む。第１主領域は、水平方向に延びる水平帯状領域又は垂直方向に延びる垂直帯状領域である。第１主領域内の副領域は、水平帯状領域内で水平方向に輝度が増大又は減少するグラデーションパターン又は垂直帯状領域内で垂直方向に輝度が増大又は減少するグラデーションパターンを形成するので、クロストークの発生領域が定性的に把握されやすくなる。
【０２１１】
上記構成において、前記第１主領域は、第１方向に延びる帯状領域であり、前記複数の副領域は、前記第１方向に対して直交する第２方向に整列する複数の領域をそれぞれ有する複数の第２領域グループを含み、該複数の第２領域グループは、前記第１方向に等間隔に整列することが好ましい。
【０２１２】
上記構成によれば、第１主領域は、第１方向に延びる帯状領域である。複数の副領域は、第１方向に対して直交する第２方向に整列する複数の領域をそれぞれ有する複数の第２領域グループを含む。第１方向に等間隔に整列するので、クロストークを定量的に評価するための演算が容易となる。
【０２１３】
上記構成において、前記第１パターン画像の平均輝度は、前記第２パターン画像の平均輝度に等しいことが好ましい。
【０２１４】
上記構成によれば、第１パターン画像の平均輝度は、第２パターン画像の平均輝度に等しいので、第１パターン画像と第２パターン画像との間の輝度差に影響を受けることなくクロストークが検出される。
【０２１５】
上記構成において、前記第１画像と前記第２画像とを前記表示面に表示する段階において、前記表示面の平均輝度は、１５％以上２５％以下の範囲に保たれることが好ましい。
【０２１６】
上記構成によれば、第１画像と第２画像とを表示面に表示する段階において、表示面の平均輝度は、１５％以上２５％以下の範囲に保たれるので、実際の視聴環境に則した条件下でクロストークが検出される。
【０２１７】
上述の実施形態の他の局面に係る表示装置の表示面上に現れるクロストークの検出に用いられる画像を表示するための画像信号を生成する信号生成装置は、互いに異なる輝度で表現される複数の主領域をそれぞれ含む複数の第１パターン画像を有する第１画像を前記表示面に表示するための第１信号と、前記複数の主領域と前記複数の主領域内において前記主領域とは異なる輝度で表示される複数の副領域とをそれぞれ含む複数の第２パターン画像を有する第２画像を前記表示面に表示するための第２信号と、を生成する信号生成部と、前記第１信号と前記第２信号とを出力する出力部と、を備え、前記信号生成部は、前記複数の第１パターン画像それぞれが表示される領域として区画された複数の表示領域に、前記複数の第２パターン画像がそれぞれ表示されるように前記第２信号を生成することを特徴とする。
【０２１８】
上記構成によれば、信号生成装置は、表示装置の表示面上に現れるクロストークの検出に用いられる画像を表示するための画像信号を生成する。信号生成装置の信号生成部は、複数の第１パターン画像を表示面に表示するための第１信号と、第２パターン画像を表示面に表示するための第２信号と、を生成する。信号生成装置の出力部は、第１信号と第２信号とを出力する。この結果、第１画像の複数の第１パターン画像は、表示面に表示される。同様に、複数の第２パターン画像は、複数の第１パターン画像それぞれが表示される領域として区画された複数の表示領域に、複数の第２パターン画像がそれぞれ表示される。したがって、表示面中において経時的な温度変化の影響の少ないクロストークが表示面に現れる。また、表示面中においてクロストークが略同時に表示されるので、視聴者が実際の映像を視聴する条件に近い条件下でのクロストークがシミュレーションされる。
【０２１９】
第１パターン画像は、異なる輝度で表現される複数の主領域を含む。第１信号は、前記複数の主領域を互いに異なる輝度で表現する。第２パターン画像は、複数の主領域と、複数の主領域内で表示される複数の副領域と、を含む。第２信号は、副領域を、副領域を取り囲む主領域とは異なる輝度で表現する。したがって、クロストークが表示面に適切に現れる。
【０２２０】
上述の実施形態の他の局面に係る表示装置に入力された画像信号に含まれる複数の同一パターン画像によって区画される複数の表示領域を含む表示装置の表示面上に現れるクロストークを検出するための画像ファイルを記憶したコンピュータ可読媒体は、互いに異なる輝度で表現される複数の主領域をそれぞれ含む複数の第１パターン画像を有し、前記複数の表示領域に前記複数の第１パターン画像をそれぞれ表示するための第１画像のデータと、前記複数の主領域と前記複数の主領域内において前記主領域とは異なる輝度で表示される複数の副領域とをそれぞれ含む複数の第２パターン画像を有し、前記複数の表示領域に前記複数の第２パターン画像をそれぞれ表示するための第２画像のデータと、を記憶することを特徴とする。
【０２２１】
上記構成によれば、コンピュータ可読媒体は、表示装置に入力された画像信号に含まれる複数の同一パターン画像によって区画される複数の表示領域を含む表示装置の表示面上に現れるクロストークを検出するための画像ファイルを記憶する。コンピュータ可読媒体は、複数の第１パターン画像のデータと複数の第２パターン画像のデータとを記憶する。したがって、画像ファイルを用いて、経時的な温度変化の影響の少ないクロストークが作り出される。表示面においてクロストークが略全体的に表示されるので、視聴者が実際の映像を視聴する条件に近い条件下でのクロストークがシミュレーションされる。
【０２２２】
第１パターン画像は、異なる輝度で表現される複数の主領域を含む。第１信号は、前記複数の主領域を互いに異なる輝度で表現する。第２パターン画像は、複数の主領域と、複数の主領域内で表示される複数の副領域と、を含む。複数の第２パターン画像は、複数の第１パターン画像がそれぞれ表示された複数の表示領域に、それぞれ表示されるので、クロストークが表示面上に適切に現れる。
【０２２３】
上述の実施形態の他の局面に係るプログラムは、互いに異なる輝度で表現される複数の主領域をそれぞれ含む複数の第１パターン画像を有する第１画像のデータと、前記複数の主領域と前記複数の主領域内において前記主領域とは異なる輝度で表示される複数の副領域とをそれぞれ含む複数の第２パターン画像を有する第２画像のデータと、を読み出す段階と、前記第１画像のデータ及び前記第２画像のデータとに基づいて、前記複数の第１パターン画像がそれぞれ表示される領域として区画された複数の表示領域に前記複数の第２パターン画像が表示されるように第１信号及び第２信号をそれぞれ生成する段階と、前記第１信号及び前記第２信号をそれぞれ出力させる段階と、をコンピュータに実行させることを特徴とする。
【０２２４】
上記構成によれば、プログラムは、複数の第１パターン画像のデータと複数の第２パターン画像のデータとをコンピュータに読み出させる。したがって、経時的な温度変化の影響の少ないクロストークが作り出される。表示面においてクロストークが略全体的に表示されるので、視聴者が実際の映像を視聴する条件に近い条件下でのクロストークがシミュレーションされる。
【０２２５】
第１パターン画像は、異なる輝度で表現される複数の主領域を含む。第１信号は、前記複数の主領域を互いに異なる輝度で表現する。第２パターン画像は、複数の主領域と、複数の主領域内で表示される複数の副領域と、を含む。第２信号は、副領域を、主領域とは異なる輝度で表現する。複数の第１パターン画像がそれぞれ表示される領域として区画された複数の表示領域に複数の第２パターン画像が表示されるので、クロストークが表示面上に適切に現れる。
【０２２６】
上述の実施形態の他の局面に係る表示装置は、異なる輝度で表現される複数の主領域をそれぞれ含む複数の第１パターン画像を有する第１画像が表示され、前記複数の第１パターン画像それぞれが表示される領域として区画される複数の表示領域を含む表示面と、前記第１画像を表示するための第１信号と、前記複数の主領域と前記複数の主領域それぞれにおいて前記主領域とは異なる輝度で表現される複数の副領域とを含む第２パターン画像を複数有する第２画像を前記表示面に表示するための第２信号と、が入力される入力部と、前記表示面の輝度特性を調整するための調整部と、を備え、前記第２信号が前記入力部に入力されると、前記表示面は、前記複数の表示領域に前記複数の第２パターン画像をそれぞれ表示することを特徴とする。
【０２２７】
上記構成によれば、入力部には、複数の第１パターン画像を表示面に表示するための第１信号と、第２パターン画像を表示面に表示するための第２信号と、が入力される。表示面は、複数の第１パターン画像それぞれが表示される領域として区画される複数の表示領域を含む。
【０２２８】
入力部が受け取った第１信号に応じて、表示面は、異なる輝度で表現される複数の主領域を含む第１パターン画像を表示する。入力部が受け取った第２信号に応じて、表示面は、複数の表示領域に複数の第２パターン画像をそれぞれ表示する。この結果、経時的な温度変化の影響の少ないクロストークが表示面に現れる。また、第１パターン画像及び／又は第２パターン画像に対応したクロストークが略同時に表示されるので、視聴者が実際の映像を視聴する条件に近い条件下でのクロストークがシミュレーションされる。
【０２２９】
第１パターン画像は、異なる輝度で表現される複数の主領域を含む。第１信号は、前記複数の主領域を互いに異なる輝度で表現する。第２パターン画像は、複数の主領域と、複数の主領域内で表示される複数の副領域と、を含む。第２信号は、副領域を、主領域とは異なる輝度で表現する。したがって、クロストークが表示面に適切に現れる。
【０２３０】
クロストークのシミュレーションの結果、クロストークが顕著に表れる表示面の領域の輝度特性は、調整部によって調整される。したがって、表示装置は、クロストークの小さな画像を表示することができる。
【０２３１】
上述の実施形態の他の局面に係る画像信号に含まれる複数の同一パターン画像によって区画される複数の表示領域を含む表示面を有する表示装置の製造方法は、異なる輝度で表現される複数の主領域をそれぞれ含む複数の第１パターン画像を有する第１画像と、前記複数の主領域と前記複数の主領域内においてそれぞれ異なる輝度で表現される複数の副領域とをそれぞれ含む複数の第２パターン画像を有する第２画像とを、前記複数の表示領域それぞれに表示する段階と、前記表示面を撮像し、撮像データを得る段階と、前記第１画像及び前記第２画像のうち少なくとも一方と前記撮像データとを対比し、クロストーク特性を検査する段階と、を含むことを特徴とする。
【０２３２】
上記構成によれば、表示面は、画像信号に含まれる複数の同一パターン画像によって区画される複数の表示領域を含む。複数の第１パターン画像を含む第１画像及び複数の第２パターン画像を含む第２画像が複数の表示領域にそれぞれ表示される。第１画像及び第２画像を表示する表示面が撮像される。この結果、撮像データが取得される。第１画像及び第２画像のうち少なくとも一方と撮像データとの対比の結果、クロストークが適切に検出される。
【０２３３】
第１画像の複数の第１パターン画像は、複数の表示領域に表示される。同様に、複数の第２パターン画像は、複数の表示領域に表示される。この結果、第１パターン画像及び／又は第２パターン画像に対応したクロストークが略同時に検出される。したがって、クロストークのデータは、表示領域間で経時的な温度変化の影響を受けにくくなる。かくして、クロストークのデータは、高い再現性を有する。
【０２３４】
上述の如く、第１パターン画像及び／又は第２パターン画像に対応したクロストークが略同時に検出されるので、視聴者が実際の映像を視聴する条件に近い条件下で、クロストークが検出される。したがって、クロストークのデータは、高い信頼性を有する。
【０２３５】
第１パターン画像は、異なる輝度で表現される複数の主領域を含む。第２パターン画像は、複数の主領域と、複数の主領域内においてそれぞれ表現される複数の副領域と、を含む。副領域は、副領域を取り囲む主領域とは異なる輝度で表現される。したがって、第１画像及び第２画像のうち少なくとも一方と撮像データとを対比の結果、クロストークが適切に検出される。
【産業上の利用可能性】
【０２３６】
上述の実施形態の原理は、画像を表示する表示装置や表示装置の検査並びに製造に好適に適用される。
【手続補正３】
【補正対象書類名】図面
【補正対象項目名】全図
【補正方法】変更
【補正の内容】
【図１】
2012056708.tif 000051
【図２】
2012056708.tif 000052
【図５】
2012056708.tif 000053
【図６】
2012056708.tif 000054
【図１０Ａ】
2012056708.tif 000055
【図１０Ｂ】
2012056708.tif 000056
【図１１Ａ】
2012056708.tif 000057
【図１１Ｂ】
2012056708.tif 000058
【図１２Ａ】
2012056708.tif 000059
【図１２Ｂ】
2012056708.tif 000060
【図１４】
2012056708.tif 000061
【図１５】
2012056708.tif 000062
【図１６】
2012056708.tif 000063
【図１８】
2012056708.tif 000064
【図２１】
2012056708.tif 000065
【図２８】
2012056708.tif 000066
【図３】
2012056708.tif 000067
【図４】
2012056708.tif 000068
【図７】
2012056708.tif 000069
【図８】
2012056708.tif 000070
【図９】
2012056708.tif 000071
【図１３】
2012056708.tif 000072
【図１７】
2012056708.tif 000073
【図１９Ａ】
2012056708.tif 000074
【図１９Ｂ】
2012056708.tif 000075
【図２０】
2012056708.tif 000076
【図２２Ａ】
2012056708.tif 000077
【図２２Ｂ】
2012056708.tif 000078
【図２３Ａ】
2012056708.tif 000079
【図２３Ｂ】
2012056708.tif 000080
【図２４】
2012056708.tif 000081
【図２５】
2012056708.tif 000082
【図２６】
2012056708.tif 000083
【図２７Ａ】
2012056708.tif 000084
【図２７Ｂ】
2012056708.tif 000085
【図２９】
2012056708.tif 000086
【国際調査報告】
2012056708.tif 000087
2012056708.tif 000088